(57)【要約】【課題】通信において、６４ＱＡＭより高い変調方式を選択でき、システムの通信性能を高める、チャネル品質指標ならびに変調方式および符号化方式を通知するための方法および装置を提供する。【解決手段】端末により、第１のＣＱＩインデックスを学習するステップと、第１のＣＱＩインデックスを基地局に送信するステップと、基地局により、端末ＵＥにより送信された第１のＣＱＩインデックスを受信するステップと、第１のＣＱＩテーブル、第１のＭＣＳテーブル、および受信した第１のＣＱＩインデックスに従って、第１のＭＣＳインデックスを決定するステップと、決定された第１のＭＣＳインデックスをＵＥに送信するステップと、端末により、基地局により送信された第１のＭＣＳインデックスを受信するステップと、第１のＭＣＳテーブルおよび受信した第１のＭＣＳインデックスに従って変調順序および符号ブロック・サイズを決定するステップとを含む。【選択図】図２
2020053973.tif 000002
【特許請求の範囲】
【請求項１】
チャネル品質指標ＣＱＩ通知方法であって、
取得した第１のＣＱＩテーブルに従って第１のＣＱＩインデックスを学習するステップと、 
前記第１のＣＱＩインデックスを基地局に送信して、前記基地局が前記第１のＣＱＩインデックスに従って第１の変調符号化方式ＭＣＳインデックスを決定するようにするステップと、
を含み、
前記第１のＣＱＩテーブルは、 
変調方式が６４直角位相振幅変調ＱＡＭより高いエントリと、
第２のＣＱＩテーブル内にあり変調方式が４相位相偏移変調ＱＰＳＫである少なくとも１つのエントリであって、変調方式がＱＰＳＫである前記少なくとも１つのエントリは、前記第２のＣＱＩテーブル内にあり変調方式がＱＰＳＫである前記少なくとも１つのエントリにより形成された第１の組合せとは異なる組合せを含み、前記第１の組合せは、前記第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または前記第２のＣＱＩテーブル内にあり変調方式が１６ＱＡＭである少なくとも１つのエントリと、
を含み、
前記第２のＣＱＩテーブル内のエントリの変調方式はＱＰＳＫ、１６ＱＡＭ、および６４ＱＡＭのみを含む、
方法。
【請求項２】
前記第２のＣＱＩテーブル内にあり変調方式がＱＰＳＫである前記少なくとも１つのエントリは、前記第２のＣＱＩテーブル内にあり変調方式がＱＰＳＫであるエントリの一部であって、前記エントリの一部に対応する連続するＣＱＩインデックスの差分は同一である、エントリの一部、または、前記第２のＣＱＩテーブル内にあり変調方式がＱＰＳＫであるエントリの一部であって、前記エントリの一部に対応する連続するＣＱＩインデックスの差分は同一ではない、エントリの一部、または、前記第２のＣＱＩテーブル内にあり変調方式がＱＰＳＫであるエントリの一部であって、前記エントリの一部に対応するＣＱＩインデックスは不連続であり、前記エントリの一部は、対応するＣＱＩインデックスが、前記第２のＣＱＩテーブル内にあり変調方式がＱＰＳＫである全てのエントリのうち最大のものであるエントリと異なる少なくとも１つのエントリである、エントリの一部、または、前記第２のＣＱＩテーブル内にあり変調方式がＱＰＳＫであるエントリの一部であって、前記エントリの一部に対応するＣＱＩインデックスは連続であり、前記エントリの一部は、対応するＣＱＩインデックスが前記ＣＱＩテーブル内にあり変調方式がＱＰＳＫである全てのエントリのうち最大であるエントリと異なる少なくとも１つのエントリである、エントリの一部
を含む、請求項１に記載の方法。
【請求項３】
前記第２のＣＱＩテーブル内にあり変調方式が１６ＱＡＭである前記少なくとも１つのエントリは、前記第２のＣＱＩテーブル内にあり変調方式が１６ＱＡＭである全てのエントリ、または、対応するＣＱＩインデックスが前記第２のＣＱＩテーブル内にあり変調方式が１６ＱＡＭである全てのエントリのうち最小であるエントリと異なる少なくとも１つのエントリ
を含む、請求項１に記載の方法。
【請求項４】
前記第１のＣＱＩテーブルはさらに、前記第２のＣＱＩテーブル内にあり変調方式が６４ＱＡＭである少なくとも１つのエントリを含む、請求項１乃至３の何れか１項に記載の方法。
【請求項５】
変調方式が６４ＱＡＭである前記少なくとも１つのエントリは、前記第２のＣＱＩテーブル内にあり変調方式が６４ＱＡＭである全てのエントリ、または、前記第２のＣＱＩテーブル内にあり変調方式が６４ＱＡＭであるエントリの一部であって、前記エントリの一部は、対応するＣＱＩインデックスが前記第２のＣＱＩテーブル内にあり変調方式が６４ＱＡＭである全てのエントリのうち最大であるエントリと異なる少なくとも１つのエントリである、エントリの一部
を含む、請求項４に記載の方法。
【請求項６】
対応するＣＱＩインデックスが、前記第１のＣＱＩテーブル内にあり変調方式が６４ＱＡＭよりも高いエントリのうち最小であるエントリのスペクトル効率は、対応するＣＱＩインデックスが前記第２のＣＱＩテーブル内にあり変調方式が６４ＱＡＭである全てのエントリのうち最大であるエントリのスペクトル効率に等しいか、または、対応するＣＱＩインデックスが変調方式が６４ＱＡＭよりも高いエントリのうち最小のものであるＴ個のエントリのスペクトル効率は対応するＣＱＩインデックスが、前記第２のＣＱＩテーブル内にあり変調方式が６４ＱＡＭである全てのエントリのうち最大のものであるＴ個のエントリのスペクトル効率に等しいかまたはほぼ等しく、Ｔは１乃至５のうち任意の１つの自然数に等しい、
請求項１に記載の方法。
【請求項７】
対応するＣＱＩインデックスが、前記第１のＣＱＩテーブル内にあり変調方式が６４ＱＡＭよりも高いエントリのうち最大であるエントリのスペクトル効率は、対応するＣＱＩインデックスが前記第２のＣＱＩテーブル内にあり変調方式が６４ＱＡＭである全てのエントリのうち最大であるエントリのスペクトル効率に４／３を掛けたもの、または、１より小さい正の実数である端末の最大符号化率に８を掛けたもの、または、７．４０６３、または、７．４３２である、請求項１に記載の方法。
【請求項８】
前記第１のＣＱＩテーブル内にありＣＱＩインデックスが最大のものであるＸ個のエントリのスペクトル効率は昇順で配置されたスペクトル効率の算術数列または略算術数列であり、前記第１のＣＱＩテーブル内にありＣＱＩインデックスが最大のものであるＸ個のエントリのスペクトル効率が昇順で配置されたスペクトル効率の算術数列であるとは、前記スペクトル効率の昇順で配置された前記Ｘ個のエントリ内の前記２番目のエントリから開始して、各エントリのスペクトル効率と夫々の先行エントリのスペクトル効率の差分が同一の定数に等しいことを示し、前記第１のＣＱＩテーブル内にありＣＱＩインデックスが最大のものであるＸ個のエントリのスペクトル効率が昇順で配置されたスペクトル効率の略算術数列であるとは、前記スペクトル効率の昇順で配置された前記Ｘ個のエントリ内の前記２番目のエントリから開始して、各エントリのスペクトル効率と夫々の先行エントリのスペクトル効率の差分は、定数から事前設定値を引いたものから前記定数に前記事前設定値を足したものまでの範囲内にあることを示し、Ｘは２より大きい整数であり、
対応するＣＱＩインデックスが、前記第１のＣＱＩテーブル内にありＣＱＩインデックスが最大のものである前記Ｘ個のエントリのうち最小であるエントリのスペクトル効率は、対応するＣＱＩインデックスが前記第２のＣＱＩテーブル内にあり変調方式が６４ＱＡＭである全てのエントリのうち最大であるエントリのスペクトル効率に等しく、
対応するＣＱＩインデックスが、前記第１のＣＱＩテーブル内にありＣＱＩインデックスが最大のものである前記Ｘ個のエントリのうち最大であるエントリのスペクトル効率は、前記対応するＣＱＩインデックスが、前記第２のＣＱＩテーブル内にあり変調方式が６４ＱＡＭである全ての前記エントリのうち最大である前記エントリ内の前記スペクトル効率に４／３を掛けたもの、または、１より小さい正の実数である端末の最大符号化率に８を掛けたもの、または、７．４０６３、または、７．４３２である、
請求項１に記載の方法。
【請求項９】
前記第１のＣＱＩテーブル内にあり変調方式が６４ＱＡＭよりも高い前記エントリのスペクトル効率は以下の数値群のうち少なくとも１つ、即ち、
{5.5547  6.1805  6.8062  7.432},
{6.1805  6.8062  7.432},
{5.5547  6.1797  6.8047  7.4297},
{6.1797  6.8047  7.4297},
{5.5547  6.1719  6.7891  7.4063},
{6.1719  6.7891  7.4063},
{5.5547  6.4934  7.432},
{6.4934  7.432},
{5.5547  6.4922  7.4297},
{6.4922  7.4297},
{5.5547  6.4805  7.4063},
{6.4805  7.4063},
{5.5547  6.4844  7.4063},
{6.4844  7.4063},
{5.5547  6.0240  6.4934  6.9627  7.432},
{6.0234  6.4922  6.9609  7.4297},
{5.5547  6.0234  6.4922  6.9609  7.4297},
{6.0176  6.4805  6.9434  7.4063},
{5.5547  6.0176  6.4805  6.9434  7.4063},
{6.0176  6.4805  6.9434  7.4063},
{5.5547  6.0156  6.4844  6.9453  7.4063},
{6.0156  6.4844  6.9453  7.4063},
{5.5547  5.9302  6.3056  6.6811  7.0565  7.432},
{5.9302  6.3056  6.6811  7.0565  7.432},
{5.5547  5.9297  6.3047  6.6797  7.0547  7.4297},
{5.9297  6.3047  6.6797  7.0547  7.4297},
{5.5547  5.9250  6.2953  6.6656  7.0360  7.4063},
{5.9250  6.2953  6.6656  7.0360  7.4063},
{5.5547  5.9219  6.2969  6.6641  7.0391  7.4063}, および
{5.9219  6.2969  6.6641  7.0391  7.4063}
を含む、請求項１乃至３、７、および８の何れか１項に記載の方法。
【請求項１０】
前記第１のＣＱＩテーブル内のＣＱＩインデックスの値範囲は前記第２のＣＱＩテーブル内のＣＱＩインデックスの値範囲と同じである、請求項１に記載の方法。
【請求項１１】
変調符号化方式ＭＣＳ通知方法であって、
端末ＵＥにより送信された第１のチャネル品質指標ＣＱＩインデックスを受信するステップであって、前記第１のＣＱＩインデックスは、取得した第１のＣＱＩテーブルに従って前記ＵＥにより決定される、ステップと、
第１のＭＣＳインデックスを、前記取得した第１のＣＱＩテーブル、取得した第１のＭＣＳテーブル、および前記受信した第１のＣＱＩインデックスに従って決定するステップと、
前記決定された第１のＭＣＳインデックスを前記ＵＥに送信するステップと、
を含み、
前記第１のＣＱＩテーブルは、変調方式が６４ＱＡＭよりも高いエントリを含み、
前記第１のＭＣＳテーブルは、
変調方式が６４ＱＡＭよりも高いエントリと、
第２のＭＣＳテーブル内にあり変調方式がＱＰＳＫである少なくとも１つのエントリであって、変調方式がＱＰＳＫである前記少なくとも１つのエントリは、前記第２のＭＣＳテーブル内にあり変調方式がＱＰＳＫである前記少なくとも１つのエントリにより形成された、第２の組合せと異なる組合せを含み、前記第２の組合せは、前記第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または、前記第２のＭＣＳテーブル内にあり変調方式が１６ＱＡＭである少なくとも１つのエントリと、
を含み、
前記第２のＭＣＳテーブル内の変調方式はＱＰＳＫ、１６ＱＡＭ、および６４ＱＡＭのみを含む、
方法。
【請求項１２】
前記第１のＣＱＩテーブルはさらに、第２のＣＱＩテーブル内にあり変調方式がＱＰＳＫである少なくとも１つのエントリであって、変調方式がＱＰＳＫである前記少なくとも１つのエントリは、前記第２のＣＱＩテーブル内にあり変調方式がＱＰＳＫである前記少なくとも１つのエントリにより形成された第１の組合せとは異なる組合せを含み、前記第１の組合せは、前記第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または前記第２のＣＱＩテーブル内にあり変調方式が１６ＱＡＭである少なくとも１つのエントリ
をさらに含み、
前記第２のＣＱＩテーブル内の変調方式はＱＰＳＫ、１６ＱＡＭ、および６４ＱＡＭのみを含む、
請求項１１に記載の方法。
【請求項１３】
前記取得した第１のＣＱＩテーブル、取得した第１のＭＣＳテーブル、および前記受信した第１のＣＱＩインデックスに従って第１のＭＣＳインデックスを決定するステップは、第１のＴＢＳインデックスおよび前記第１のＭＣＳインデックスを、第１のＰＲＢ量、前記第１のＣＱＩテーブル、前記第１のＭＣＳテーブル、および取得された第１のＴＢＳテーブル、および前記受信した第１のＣＱＩインデックスに従って決定するステップ
を含み、
前記第１のＰＲＢ量は基地局により前記ＵＥに割り当てられたＰＲＢ量であるか、または前記第１のＰＲＢ量は前記ＵＥに割り当てられた前記ＰＲＢ量と特定の係数の積以下の最大の整数であり、
前記第１のＴＢＳテーブルは各ＴＢＳインデックスに対応する少なくとも１つのＰＲＢ量および各ＰＲＢ量に対応する送信ブロック・サイズを含み、前記第１のＴＢＳテーブルは前記第１のＭＣＳテーブルに対応するＴＢＳテーブルである、
請求項１１または１２に記載の方法。
【請求項１４】
前記第１のＴＢＳテーブル内のＴＢＳインデックスの値範囲は０乃至Ａであり、Ａは２６以下の正の整数であるか、または、前記第１のＴＢＳテーブル内のＴＢＳインデックスの値範囲は０乃至Ｂであり、Ｂは２６以上の正の整数であり、前記第１のＴＢＳテーブル内のＴＢＳインデックス０乃至Ｃに対応する送信ブロック・サイズは第２のＴＢＳテーブル内のＴＢＳインデックス０乃至Ｃに対応する送信ブロック・サイズと同一であり、Ｃは２６以下の非負整数であり、前記第２のＴＢＳテーブル内のＴＢＳインデックスの値範囲は０乃至２６であり、前記第２のＴＢＳテーブルは各ＴＢＳインデックスに対応する少なくとも１つのＰＲＢ量および各ＰＲＢ量に対応する送信ブロック・サイズを含む、請求項１３に記載の方法。
【請求項１５】
第１のＴＢＳインデックスを、前記第１のＣＱＩテーブル、第１のＰＲＢ量、第１のＴＢＳテーブル、および前記受信した第１のＣＱＩインデックスに従って決定するステップは、前記第１のＣＱＩテーブルおよび前記受信した第１のＣＱＩインデックスに従って、前記受信した第１のＣＱＩインデックスに対応する第１の変調方式および第１のスペクトル効率を決定するステップと、
前記第１のＰＲＢ量および前記第１のスペクトル効率に従って、前記ＵＥに送信された第１の送信ブロック・サイズを学習するステップと、
前記第１のＴＢＳテーブルを、前記第１のＴＢＳテーブル内にあり前記第１の送信ブロック・サイズおよび前記第１のＰＲＢ量に対応する前記第１のＴＢＳインデックスに従って取得するステップと、
を含む、請求項１３に記載の方法。
【請求項１６】
前記第１のＴＢＳテーブルはＴＢＳインデックスＹ１を含み、ＰＲＢ量ごとに、前記ＴＢＳインデックスＹ１に対応する送信ブロック・サイズは、前記第２のＴＢＳテーブルにおけるＴＢＳインデックス２５に対応する送信ブロック・サイズより大きく、前記第２のＴＢＳテーブルにおけるＴＢＳインデックス２６に対応する送信ブロック・サイズより小さく、前記第２のＴＢＳテーブル内のＴＢＳインデックスの値範囲は０乃至２６であり、前記第２のＴＢＳテーブルは各ＴＢＳインデックスに対応する少なくとも１つのＰＲＢ量および各ＰＲＢ量に対応する送信ブロック・サイズを含む、請求項１３乃至１５の何れか１項に記載の方法。
【請求項１７】
前記第１のＴＢＳテーブルはＴＢＳインデックスＹ２および以下の表Ａ
【表１】
2020053973.tif 000105
における前記ＴＢＳインデックスＹ２に対応する少なくとも１つのエントリを含み、任意の１つのエントリは１つのＰＲＢ量と前記ＰＲＢ量に対応する１つの送信ブロック・サイズを含み、
かつ／または、前記第１のＴＢＳテーブルはＴＢＳインデックスＹ３および以下の表Ｂ１、Ｂ２、Ｂ３、またはＢ４
【表２】
2020053973.tif 000106
2020053973.tif 000107
【表３】
2020053973.tif 000108
【表４】
2020053973.tif 000109
【表５】
2020053973.tif 000110
における前記ＴＢＳインデックスＹ３に対応する少なくとも１つのエントリを含み、任意の１つのエントリは１つのＰＲＢ量と前記ＰＲＢ量に対応する１つの送信ブロック・サイズを含み、
かつ／または、前記第１のＴＢＳテーブルは、ＴＢＳインデックスＹ４＿１乃至Ｙ４＿５および以下の表Ｃ１またはＣ２
【表６】
2020053973.tif 000111
2020053973.tif 000112
2020053973.tif 000113
【表７】
2020053973.tif 000114
2020053973.tif 000115
2020053973.tif 000116
における前記ＴＢＳインデックスＹ４＿１乃至Ｙ４＿５に対応する少なくとも１つのエントリを含み、任意の１つのエントリは１つのＰＲＢ量と前記ＰＲＢ量に対応する５つの送信ブロック・サイズを含む、
請求項１３乃至１５の何れか１項に記載の方法。
【請求項１８】
前記第２のＣＱＩテーブル内にあり変調方式がＱＰＳＫである前記少なくとも１つのエントリは、前記第２のＣＱＩテーブル内にあり変調方式がＱＰＳＫであるエントリの一部であって、前記エントリの一部に対応する連続するＣＱＩインデックスの差分は同一である、エントリの一部、または、前記第２のＣＱＩテーブル内にあり変調方式がＱＰＳＫであるエントリの一部であって、前記エントリの一部に対応する連続するＣＱＩインデックスの差分は同一ではない、エントリの一部、または、前記第２のＣＱＩテーブル内にあり変調方式がＱＰＳＫであるエントリの一部であって、前記エントリの一部に対応するＣＱＩインデックスは不連続であり、前記エントリの一部は、対応するＣＱＩインデックスが、前記第２のＣＱＩテーブル内にあり変調方式がＱＰＳＫである全てのエントリのうち最大のものであるエントリと異なる少なくとも１つのエントリである、エントリの一部、または、前記第２のＣＱＩテーブル内にあり変調方式がＱＰＳＫであるエントリの一部であって、前記エントリの一部に対応するＣＱＩインデックスは連続であり、前記エントリの一部は、対応するＣＱＩインデックスが前記ＣＱＩテーブル内にあり変調方式がＱＰＳＫである全てのエントリのうち最大であるエントリと異なる少なくとも１つのエントリである、エントリの一部
を含む、請求項１２乃至１７の何れか１項に記載の方法。
【請求項１９】
前記第２のＣＱＩテーブル内にあり変調方式が１６ＱＡＭである前記少なくとも１つのエントリは、前記第２のＣＱＩテーブル内にあり変調方式が１６ＱＡＭである全てのエントリ、または、対応するＣＱＩインデックスが前記第２のＣＱＩテーブル内にあり変調方式が１６ＱＡＭである全てのエントリのうち最小であるエントリと異なる少なくとも１つのエントリ
を含む、請求項１２乃至１７の何れか１項に記載の方法。
【請求項２０】
前記第１のＣＱＩテーブルはさらに、前記第２のＣＱＩテーブル内にあり変調方式が６４ＱＡＭである少なくとも１つのエントリを含む、請求項１２乃至１９の何れか１項に記載の方法。
【請求項２１】
変調方式が６４ＱＡＭである前記少なくとも１つのエントリは、前記第２のＣＱＩテーブル内にあり変調方式が６４ＱＡＭである全てのエントリ、または、前記第２のＣＱＩテーブル内にあり変調方式が６４ＱＡＭであるエントリの一部であって、前記エントリの一部は、対応するＣＱＩインデックスが前記第２のＣＱＩテーブル内にあり変調方式が６４ＱＡＭである全てのエントリのうち最大であるエントリと異なる少なくとも１つのエントリである、エントリの一部
を含む、請求項２０に記載の方法。
【請求項２２】
対応するＣＱＩインデックスが、前記第１のＣＱＩテーブル内にあり変調方式が６４ＱＡＭよりも高いエントリのうち最小であるエントリのスペクトル効率は、対応するＣＱＩインデックスが前記第２のＣＱＩテーブル内にあり変調方式が６４ＱＡＭである全てのエントリのうち最大であるエントリのスペクトル効率に等しいか、または、対応するＣＱＩインデックスが変調方式が６４ＱＡＭよりも高いエントリのうち最小のものであるＴ個のエントリのスペクトル効率は対応するＣＱＩインデックスが、前記第２のＣＱＩテーブル内にあり変調方式が６４ＱＡＭである全てのエントリのうち最大のものであるＴ個のエントリのスペクトル効率に等しいかまたはほぼ等しく、Ｔは１乃至５のうち何れか１つの自然数に等しい、
請求項１２乃至２１の何れか１項に記載の方法。
【請求項２３】
前記第１のＣＱＩテーブル内のＣＱＩインデックスの値範囲は前記第２のＣＱＩテーブル内のＣＱＩインデックスの値範囲と同じである、請求項１２乃至２２の何れか１項に記載の方法。
【請求項２４】
前記第２のＭＣＳテーブル内にあり変調方式がＱＰＳＫである前記少なくとも１つのエントリは、前記第２のＭＣＳテーブル内にあり変調方式がＱＰＳＫであるエントリの一部であって、前記エントリの一部に対応する連続するＭＣＳインデックスの差分は同一である、エントリの一部、または、前記第２のＭＣＳテーブル内にあり変調方式がＱＰＳＫであるエントリの一部であって、前記エントリの一部に対応する連続するＭＣＳインデックスの差分は同一ではない、エントリの一部、または、前記第２のＭＣＳテーブル内にあり変調方式がＱＰＳＫであるエントリの一部であって、前記エントリの一部に対応するＭＣＳインデックスは不連続であり、前記エントリの一部は、ＭＣＳインデックスが、前記第２のＭＣＳテーブル内にあり変調方式がＱＰＳＫである全てのエントリのうち最大であるエントリと異なる少なくとも１つのエントリである、エントリの一部、または、前記第２のＭＣＳテーブル内にあり変調方式がＱＰＳＫであるエントリの一部であって、前記エントリの一部に対応するＭＣＳインデックスは連続であり、前記エントリの一部は、ＭＣＳインデックスが、前記第２のＭＣＳテーブル内にあり変調方式がＱＰＳＫである全てのエントリのうち最大であるエントリと異なる少なくとも１つのエントリである、エントリの一部
を含む、請求項１１乃至１５の何れか１項に記載の方法。
【請求項２５】
前記第２のＭＣＳテーブル内にあり変調方式が１６ＱＡＭである前記少なくとも１つのエントリは、前記第２のＭＣＳテーブル内にあり変調方式が１６ＱＡＭである全てのエントリ、または、前記第２のＭＣＳテーブル内にあり変調方式が１６ＱＡＭであるエントリの一部であって、前記エントリの一部に対応する連続するＭＣＳインデックスの差分は同一である、エントリの一部、または、前記第２のＭＣＳテーブル内にあり変調方式が１６ＱＡＭであるエントリの一部であって、前記エントリの一部に対応する連続するＭＣＳインデックスの差分は同一ではない、エントリの一部、または、前記第２のＭＣＳテーブル内にあり変調方式が１６ＱＡＭであるエントリの一部であって、前記エントリの一部に対応するＭＣＳインデックスは不連続であり、前記エントリの一部は、第２のＭＣＳインデックスが、前記第２のＭＣＳテーブル内にあり変調方式が１６ＱＡＭである全てのエントリのうち最大であるエントリと異なる少なくとも１つのエントリである、エントリの一部、または、前記第２のＭＣＳテーブル内にあり変調方式が１６ＱＡＭであるエントリの一部であって、前記エントリの一部に対応するＭＣＳインデックスは連続であり、前記エントリの一部は、ＭＣＳインデックスが、前記第２のＭＣＳテーブル内にあり変調方式が１６ＱＡＭである全てのエントリのうち最大であるエントリと異なる少なくとも１つのエントリである、エントリの一部、または、前記第２のＭＣＳテーブル内にあり変調方式が１６ＱＡＭであるエントリの一部であって、前記エントリの一部は、各ＭＣＳインデックスが、前記第２のＭＣＳテーブル内にあり変調方式が１６ＱＡＭである全てのエントリのうち最大または最小であるエントリと異なる少なくとも１つのエントリである、エントリの一部
を含む、請求項１１乃至１５の何れか１項に記載の方法。
【請求項２６】
前記第１のＭＣＳテーブルはさらに、前記第２のＭＣＳテーブル内にあり変調方式が６４ＱＡＭである少なくとも１つのエントリを含む、請求項１１乃至１５、２４、および２５の何れか１項に記載の方法。
【請求項２７】
前記 第２のＭＣＳテーブル内にあり変調方式が６４ＱＡＭである少なくとも１つのエントリは、前記第２のＭＣＳテーブル内にあり変調方式が６４ＱＡＭである全てのエントリ、または、前記第２のＭＣＳテーブル内にあり変調方式が６４ＱＡＭであるエントリの一部であって、前記エントリの一部は、ＭＣＳインデックスが、前記第２のＭＣＳテーブル内にあり変調方式が６４ＱＡＭである全てのエントリのうち最小であるエントリと異なる少なくとも１つのエントリである、エントリの一部、または、前記第２のＭＣＳテーブル内にあり変調方式が６４ＱＡＭであるエントリの一部であって、前記エントリの一部は、ＭＣＳインデックスが、前記第２のＭＣＳテーブル内にあり変調方式が６４ＱＡＭである全てのエントリのうち最大であるエントリと異なる少なくとも１つのエントリである、エントリの一部
を含む、請求項２６に記載の方法。
【請求項２８】
対応するＭＣＳインデックスが、前記第１のＭＣＳテーブル内にあり変調方式が６４ＱＡＭよりも高い全てのエントリのうち最小であるエントリのＴＢＳインデックスは、ＭＣＳインデックスが、前記第２のＭＣＳテーブル内にあり変調方式が６４ＱＡＭである全てのエントリのうち最大であるエントリのＴＢＳインデックスと同じであり、または、対応するＭＣＳインデックスが、前記第１のＭＣＳテーブル内にあり変調方式が６４ＱＡＭよりも高いエントリのうち最小のものであるＲ個のエントリのＴＢＳインデックスは、ＭＣＳインデックスが、前記第２のＭＣＳテーブル内にあり変調方式が６４ＱＡＭでありＭＣＳインデックスは２７より大きくない全てのエントリのうち最大のものであるＲ個のエントリのＴＢＳインデックスと等しく、Ｒは自然数である、
請求項２６または２７に記載の方法。
【請求項２９】
前記第１のＭＣＳテーブル内のＭＣＳインデックスの値範囲は前記第２のＭＣＳテーブル内のＭＣＳインデックスの値範囲と同じである、請求項１１乃至１５、および２４乃至２８の何れか１項に記載の方法。
【請求項３０】
前記第１のＭＣＳテーブルはさらに以下の表Ｄ１、Ｄ２、Ｄ３、Ｄ４、またはＤ５
【表８】
2020053973.tif 000117
【表９】
2020053973.tif 000118
【表１０】
2020053973.tif 000119
【表１１】
2020053973.tif 000120
【表１２】
2020053973.tif 000121
における少なくとも１つのエントリを含み、および任意の１つのエントリは、１つのＭＣＳインデックス、および前記１つのＭＣＳインデックスに対応する変調順序およびＴＢＳインデックスを含む、請求項１１乃至１５、１７、および２４乃至２９の何れか１項に記載の方法。
【請求項３１】
基地局により送信された第１のＭＣＳインデックスを受信するステップであって、前記第１のＭＣＳインデックスは取得した第１のＭＣＳテーブルに従って前記基地局により決定されるステップと、
前記第１のＭＣＳテーブルおよび前記受信した第１のＭＣＳインデックスに従って変調順序および符号ブロック・サイズを決定するステップと、
を含み、
前記第１のＭＣＳテーブルは、変調方式が６４ＱＡＭよりも高いエントリと、
第２のＭＣＳテーブル内にあり変調方式がＱＰＳＫである少なくとも１つのエントリであって、変調方式がＱＰＳＫである前記少なくとも１つのエントリは、前記第２のＭＣＳテーブル内にあり変調方式がＱＰＳＫである前記少なくとも１つのエントリによって形成された、第１の組合せと異なる組合せを含み、前記第１の組合せは、前記第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または、前記第２のＭＣＳテーブル内にあり変調方式が１６ＱＡＭである少なくとも１つのエントリと、
を含み、
前記第２のＭＣＳテーブル内の変調方式はＱＰＳＫ、１６ＱＡＭ、および６４ＱＡＭのみを含む、
変調符号化方式ＭＣＳ通知方法。
【請求項３２】
前記第１のＭＣＳテーブルおよび前記受信した第１のＭＣＳインデックスに従って変調順序および符号ブロック・サイズを決定するステップは、前記第１のＭＣＳテーブルおよび前記受信した第１のＭＣＳインデックスに従って第１のＴＢＳインデックスおよび前記変調順序を決定するステップと、
第１のＰＲＢ量、および第１のＴＢＳテーブルに従って前記第１のＴＢＳインデックス前記符号ブロック・サイズを決定するステップと、
を含み、
前記第１のＰＲＢ量は前記基地局により前記ＵＥに割り当てられたＰＲＢ量であるか、または前記第１のＰＲＢ量は前記ＵＥに割り当てられた前記ＰＲＢ量と特定の係数の積以下の最大の整数であり、
前記第１のＴＢＳテーブルは各ＴＢＳインデックスに対応する少なくとも１つのＰＲＢ量および各ＰＲＢ量に対応する送信ブロック・サイズを含み、前記第１のＴＢＳテーブルは前記第１のＭＣＳテーブルに対応するＴＢＳテーブルである、
請求項３１に記載の方法。
【請求項３３】
前記第１のＴＢＳテーブル内のＴＢＳインデックスの値範囲は０乃至Ａであり、Ａは２６以下の正の整数であり、または前記第１のＴＢＳテーブル内のＴＢＳインデックスの値範囲は０乃至Ｂであり、Ｂは２６以上の正の整数であり、前記第１のＴＢＳテーブル内のＴＢＳインデックス０乃至Ｃに対応する送信ブロック・サイズは第２のＴＢＳテーブル内のＴＢＳインデックス０乃至Ｃに対応する送信ブロック・サイズと同一であり、Ｃは２６以下の非負整数であり、前記第２のＴＢＳテーブル内のＴＢＳインデックスの値範囲は０乃至２６であり、前記第２のＴＢＳテーブルは各ＴＢＳインデックスに対応する少なくとも１つのＰＲＢ量および各ＰＲＢ量に対応する送信ブロック・サイズを含む、請求項３２に記載の方法。
【請求項３４】
前記第１のＴＢＳテーブルはＴＢＳインデックスＹ１を含み、ＰＲＢ量ごとに、前記ＴＢＳインデックスＹ１に対応する送信ブロック・サイズは、前記第２のＴＢＳテーブルにおけるＴＢＳインデックス２５に対応する送信ブロック・サイズより大きく、前記第２のＴＢＳテーブルにおけるＴＢＳインデックス２６に対応する送信ブロック・サイズより小さく、前記第２のＴＢＳテーブル内のＴＢＳインデックスの値範囲は０乃至２６であり、前記第２のＴＢＳテーブルは各ＴＢＳインデックスに対応する少なくとも１つのＰＲＢ量および各ＰＲＢ量に対応する送信ブロック・サイズを含む、請求項３２または３３に記載の方法。
【請求項３５】
前記第１のＴＢＳテーブルはＴＢＳインデックスＹ２および以下の表Ａ
【表１３】
2020053973.tif 000122
における前記ＴＢＳインデックスＹ２に対応する少なくとも１つのエントリを含み、任意の１つのエントリは１つのＰＲＢ量と前記ＰＲＢ量に対応する１つの送信ブロック・サイズを含み、
かつ／または、前記第１のＴＢＳテーブルはＴＢＳインデックスＹ３および以下の表Ｂ１、Ｂ２、Ｂ３、またはＢ４
【表１４】
2020053973.tif 000123
【表１５】
2020053973.tif 000124
【表１６】
2020053973.tif 000125
【表１７】
2020053973.tif 000126
における前記ＴＢＳインデックスＹ３に対応する少なくとも１つのエントリを含み、任意の１つのエントリは１つのＰＲＢ量と前記ＰＲＢ量に対応する１つの送信ブロック・サイズを含み、
かつ／または、前記第１のＴＢＳテーブルは、ＴＢＳインデックスＹ４＿１乃至Ｙ４＿５と以下の表Ｃ１またはＣ２
【表１８】
2020053973.tif 000127
2020053973.tif 000128
2020053973.tif 000129
【表１９】
2020053973.tif 000130
2020053973.tif 000131
2020053973.tif 000132
における前記ＴＢＳインデックスＹ４＿１乃至Ｙ４＿５に対応する少なくとも１つのエントリを含み、任意の１つのエントリは１つのＰＲＢ量と前記ＰＲＢ量に対応する５つの送信ブロック・サイズを含む、
請求項３２または３３に記載の方法。
【請求項３６】
前記第２のＭＣＳテーブル内にあり変調方式がＱＰＳＫである前記少なくとも１つのエントリは、前記第２のＭＣＳテーブル内にあり変調方式がＱＰＳＫであるエントリの一部であって、前記エントリの一部に対応する連続するＭＣＳインデックスの差分は同一である、エントリの一部、または、前記第２のＭＣＳテーブル内にあり変調方式がＱＰＳＫであるエントリの一部であって、前記エントリの一部に対応する連続するＭＣＳインデックスの差分は同一ではない、エントリの一部、または、前記第２のＭＣＳテーブル内にあり変調方式が前記ＱＰＳＫであるエントリの一部であって、前記エントリの一部に対応するＭＣＳインデックスは不連続であり、前記エントリの一部は、ＭＣＳインデックスが、前記第２のＭＣＳテーブル内にあり変調方式がＱＰＳＫである全てのエントリのうち最大であるエントリと異なる少なくとも１つのエントリである、エントリの一部、または、前記第２のＭＣＳテーブル内にあり変調方式がＱＰＳＫであるエントリの一部であって、前記エントリの一部に対応するＭＣＳインデックスは連続であり、前記エントリの一部は、ＭＣＳインデックスが、前記第２のＭＣＳテーブル内にあり変調方式がＱＰＳＫである全てのエントリのうち最大であるエントリと異なる少なくとも１つのエントリである、エントリの一部
を含む、請求項３１乃至３３の何れか１項に記載の方法。
【請求項３７】
つのエントリは、前記第２のＭＣＳテーブル内にあり変調方式が１６ＱＡＭである全てのエントリ、または、前記第２のＭＣＳテーブル内にあり変調方式が１６ＱＡＭであるエントリの一部であって、前記エントリの一部に対応する連続するＭＣＳインデックスの差分は同一である、エントリの一部、または、前記第２のＭＣＳテーブル内にあり変調方式が１６ＱＡＭであるエントリの一部であって、前記エントリの一部に対応する連続するＭＣＳインデックスの差分は同一ではない、エントリの一部、または、前記第２のＭＣＳテーブル内にあり変調方式が１６ＱＡＭであるエントリの一部であって、前記エントリの一部に対応するＭＣＳインデックスは不連続であり、前記エントリの一部は、第２のＭＣＳインデックスが、前記第２のＭＣＳテーブル内にあり変調方式が１６ＱＡＭである全てのエントリのうち最大であるエントリと異なる少なくとも１つのエントリである、エントリの一部、または、前記第２のＭＣＳテーブル内にあり変調方式が１６ＱＡＭであるエントリの一部であって、前記エントリの一部に対応するＭＣＳインデックスは連続であり、前記エントリの一部は、ＭＣＳインデックスが、前記第２のＭＣＳテーブル内にあり変調方式が１６ＱＡＭである全てのエントリのうち最大であるエントリと異なる少なくとも１つのエントリである、エントリの一部、または、前記第２のＭＣＳテーブル内にあり変調方式が１６ＱＡＭであるエントリの一部であって、前記エントリの一部は、各ＭＣＳインデックスが、前記第２のＭＣＳテーブル内にあり変調方式が１６ＱＡＭである全てのエントリのうち最大または最小であるエントリと異なる少なくとも１つのエントリである、エントリの一部
を含む、請求項３１乃至３３の何れか１項に記載の方法。
【請求項３８】
前記第１のＭＣＳテーブルはさらに、前記第２のＭＣＳテーブル内にあり変調方式が６４ＱＡＭである少なくとも１つのエントリを含む、請求項３１乃至３７の何れか１項に記載の方法。
【請求項３９】
前記 第２のＭＣＳテーブル内にあり変調方式が６４ＱＡＭである少なくとも１つのエントリは、前記第２のＭＣＳテーブル内にあり変調方式が６４ＱＡＭである全てのエントリ、または、前記第２のＭＣＳテーブル内にあり変調方式が６４ＱＡＭであるエントリの一部であって、前記エントリの一部は、ＭＣＳインデックスが、前記第２のＭＣＳテーブル内にあり変調方式が６４ＱＡＭである全てのエントリのうち最小であるエントリと異なる少なくとも１つのエントリである、エントリの一部、または、前記第２のＭＣＳテーブル内にあり変調方式が６４ＱＡＭであるエントリの一部であって、前記エントリの一部は、ＭＣＳインデックスが、前記第２のＭＣＳテーブル内にあり変調方式が６４ＱＡＭである全てのエントリのうち最大であるエントリと異なる少なくとも１つのエントリである、エントリの一部
を含む、請求項３８に記載の方法。
【請求項４０】
対応するＭＣＳインデックスが、前記第１のＭＣＳテーブル内にあり変調方式が６４ＱＡＭよりも高い全てのエントリのうち最小であるエントリのＴＢＳインデックスは、ＭＣＳインデックスが、前記第２のＭＣＳテーブル内にあり変調方式が６４ＱＡＭである全てのエントリのうち最大であるエントリのＴＢＳインデックスと同じであり、または、対応するＭＣＳインデックスが、前記第１のＭＣＳテーブル内にあり変調方式が６４ＱＡＭよりも高いエントリのうち最小のものであるＲ個のエントリのＴＢＳインデックスが、ＭＣＳインデックスが、前記第２のＭＣＳテーブル内にあり変調方式が６４ＱＡＭでありＭＣＳインデックスは２７より大きくない全てのエントリのうち最大のものであるＲ個のエントリのＴＢＳインデックスに等しくてもよく、Ｒは自然数である、
請求項３８または３９に記載の方法。
【請求項４１】
前記第１のＭＣＳテーブル内のＭＣＳインデックスの値範囲は前記第２のＭＣＳテーブル内のＭＣＳインデックスの値範囲と同じである、請求項３１乃至４０の何れか１項に記載の方法。
【請求項４２】
前記第１のＭＣＳテーブルはさらに以下の表Ｄ１、表Ｄ２、表Ｄ３、表Ｄ４、または表Ｄ５
【表２０】
2020053973.tif 000133
【表２１】
2020053973.tif 000134
【表２２】
2020053973.tif 000135
【表２３】
2020053973.tif 000136
【表２４】
2020053973.tif 000137
における少なくとも１つのエントリを含み、任意の１つのエントリは、１つのＭＣＳインデックス、および前記１つのＭＣＳインデックスに対応する変調順序およびＴＢＳインデックスを含む、請求項３１乃至４１の何れか１項に記載の方法。
【請求項４３】
チャネル品質指標ＣＱＩ通知装置であって、
第１のＣＱＩテーブルを取得するように構成された取得モジュールと、
前記取得モジュールにより取得された前記第１のＣＱＩテーブルに従って第１のＣＱＩインデックスを学習するように構成された第１の取得モジュールと、 
前記第１の取得モジュールにより取得された前記第１のＣＱＩインデックスを基地局に送信して、前記基地局が前記第１のＣＱＩインデックスに従って第１の変調符号化方式ＭＣＳインデックスを決定するようにするように構成された送信モジュールと、
を備え、
前記取得モジュールにより取得された前記第１のＣＱＩテーブルは、
変調方式が６４直角位相振幅変調ＱＡＭより高いエントリと、
第２のＣＱＩテーブル内にあり変調方式が４相位相偏移変調ＱＰＳＫである少なくとも１つのエントリであって、変調方式がＱＰＳＫである前記少なくとも１つのエントリは、前記第２のＣＱＩテーブル内にあり変調方式がＱＰＳＫである前記少なくとも１つのエントリにより形成された第１の組合せとは異なる組合せを含み、前記第１の組合せは、前記第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または前記第２のＣＱＩテーブル内にあり変調方式が１６ＱＡＭである少なくとも１つのエントリと、
を含み、
前記第２のＣＱＩテーブル内のエントリの変調方式はＱＰＳＫ、１６ＱＡＭ、および６４ＱＡＭのみを含む、
チャネル品質指標ＣＱＩ通知装置。
【請求項４４】
変調方式がＱＰＳＫであり前記第２のＣＱＩテーブル内にある前記少なくとも１つのエントリは、前記取得モジュールにより取得された前記第１のＣＱＩテーブルにおいて、
前記第２のＣＱＩテーブル内にあり変調方式がＱＰＳＫであるエントリの一部であって、前記エントリの一部に対応する連続するＣＱＩインデックスの差分は同一である、エントリの一部、または、前記第２のＣＱＩテーブル内にあり変調方式がＱＰＳＫであるエントリの一部であって、前記エントリの一部に対応する連続するＣＱＩインデックスの差分は同一ではない、エントリの一部、または、前記第２のＣＱＩテーブル内にあり変調方式がＱＰＳＫであるエントリの一部であって、前記エントリの一部に対応するＣＱＩインデックスは不連続であり、前記エントリの一部は、対応するＣＱＩインデックスが、前記第２のＣＱＩテーブル内にあり変調方式がＱＰＳＫである全てのエントリのうち最大のものであるエントリと異なる少なくとも１つのエントリである、エントリの一部、または、前記第２のＣＱＩテーブル内にあり変調方式がＱＰＳＫであるエントリの一部であって、前記エントリの一部に対応するＣＱＩインデックスは連続であり、前記エントリの一部は、対応するＣＱＩインデックスが、前記第２のＣＱＩテーブル内にあり変調方式がＱＰＳＫである全てのエントリのうち最大のものであるエントリと異なる少なくとも１つのエントリである、エントリの一部
を含む、請求項４３に記載の装置。
【請求項４５】
変調方式が１６ＱＡＭであり前記第２のＣＱＩテーブル内にある前記少なくとも１つのエントリは、前記取得モジュールにより取得された前記第１のＣＱＩテーブルにおいて、
前記第２のＣＱＩテーブル内にあり変調方式が１６ＱＡＭである全てのエントリ、または、対応するＣＱＩインデックスが前記第２のＣＱＩテーブル内にあり変調方式が１６ＱＡＭである全てのエントリのうち最小であるエントリと異なる少なくとも１つのエントリ
を含む、請求項４３に記載の装置。
【請求項４６】
前記取得モジュールにより取得された前記第１のＣＱＩテーブルはさらに、前記第２のＣＱＩテーブル内にあり変調方式が６４ＱＡＭである少なくとも１つのエントリを含む、請求項４３乃至４５の何れか１項に記載の装置。
【請求項４７】
前記取得モジュールにより取得された前記第１のＣＱＩテーブル内にあり変調方式が６４ＱＡＭである前記少なくとも１つのエントリは、前記第２のＣＱＩテーブル内にあり変調方式が６４ＱＡＭである全てのエントリ、または、前記第２のＣＱＩテーブル内にあり変調方式が６４ＱＡＭであるエントリの一部であって、前記エントリの一部は、対応するＣＱＩインデックスが前記第２のＣＱＩテーブル内にあり変調方式が６４ＱＡＭである全てのエントリのうち最大であるエントリと異なる少なくとも１つのエントリである、エントリの一部
を含む、請求項４６に記載の装置。
【請求項４８】
対応するＣＱＩインデックスが、前記取得モジュールにより取得された前記第１のＣＱＩテーブル内にあり変調方式が６４ＱＡＭよりも高いエントリのうち最小であるエントリのスペクトル効率は、対応するＣＱＩインデックスが前記第２のＣＱＩテーブル内にあり変調方式が６４ＱＡＭである全てのエントリのうち最大であるエントリのスペクトル効率に等しいか、または、対応するＣＱＩインデックスが、前記第１のＣＱＩテーブル内にあり変調方式が６４ＱＡＭよりも高いエントリのうち最小のものであるＴ個のエントリのスペクトル効率は、対応するＣＱＩインデックスが、前記第２のＣＱＩテーブル内にあり変調方式が６４ＱＡＭである全てのエントリのうち最大のものであるＴ個のエントリのスペクトル効率に等しいかまたはほぼ等しく、Ｔは１乃至５のうち何れか１つの自然数に等しい、
請求項４３に記載の装置。
【請求項４９】
対応するＣＱＩインデックスが、前記第１のＣＱＩテーブル内にあり変調方式が６４ＱＡＭよりも高いエントリのうち最大であるエントリのスペクトル効率は、対応するＣＱＩインデックスが前記第２のＣＱＩテーブル内にあり変調方式が６４ＱＡＭである全てのエントリのうち最大であるエントリのスペクトル効率に４／３を掛けたもの、または、１より小さい正の実数である端末の最大符号化率に８を掛けたもの、または、７．４０６３、または、７．４３２である、請求項４３に記載の装置。
【請求項５０】
前記第１のＣＱＩテーブル内にありＣＱＩインデックスが最大のものであるＸ個のエントリのスペクトル効率は昇順で配置されたスペクトル効率の算術数列または略算術数列であり、 前記第１の CQI テーブル内にありＣＱＩインデックスが最大のものであるＸ個のエントリのスペクトル効率が昇順で配置されたスペクトル効率の算術数列であるとは、前記スペクトル効率の昇順で配置された前記Ｘ個のエントリ内の前記２番目のエントリから開始して、各エントリのスペクトル効率と夫々の先行エントリのスペクトル効率の差分が同一の定数に等しいことを示し、前記第１のＣＱＩテーブル内にありＣＱＩインデックスが最大のものであるＸ個のエントリのスペクトル効率が昇順で配置されたスペクトル効率の略算術数列であるとは、前記スペクトル効率の昇順で配置された前記Ｘ個のエントリ内の前記２番目のエントリから開始して、各エントリのスペクトル効率と夫々の先行エントリのスペクトル効率の差分は、定数から事前設定値を引いたものから前記定数に前記事前設定値を足したものまでの範囲内にあることを示し、Ｘは２より大きい整数であり、
対応するＣＱＩインデックスが、前記第１のＣＱＩテーブル内にあり前記ＣＱＩインデックスが最大のものである前記Ｘ個のエントリのうち最小であるエントリのスペクトル効率は、対応するＣＱＩインデックスが前記第２のＣＱＩテーブル内にあり変調方式が６４ＱＡＭである全てのエントリのうち最大であるエントリのスペクトル効率に等しく、
対応するＣＱＩインデックスが、前記第１のＣＱＩテーブル内にあり前記ＣＱＩインデックスが最大のものである前記Ｘ個のエントリのうち最大であるエントリのスペクトル効率は、前記対応するＣＱＩインデックスが、前記第２のＣＱＩテーブル内にあり変調方式が６４ＱＡＭである全ての前記エントリのうち最大である前記エントリ内の前記スペクトル効率に４／３を掛けたもの、または、１より小さい正の実数である端末の最大符号化率に８を掛けたもの、または、７．４０６３、または、７．４３２である、
請求項４３に記載の装置。
【請求項５１】
前記第１のＣＱＩテーブル内にあり変調方式が６４ＱＡＭよりも高い前記エントリのスペクトル効率は以下の数値群のうち少なくとも１つ、即ち、
{5.5547  6.1805  6.8062  7.432}、
{6.1805  6.8062  7.432},
{5.5547  6.1797  6.8047  7.4297},
{6.1797  6.8047  7.4297},
{5.5547  6.1719  6.7891  7.4063},
{6.1719  6.7891  7.4063},
{5.5547  6.4934  7.432},
{6.4934  7.432},
{5.5547  6.4922  7.4297},
{6.4922  7.4297},
{5.5547  6.4805  7.4063},
{6.4805  7.4063},
{5.5547  6.4844  7.4063},
{6.4844  7.4063},
{5.5547  6.0240  6.4934  6.9627  7.432},
{6.0234  6.4922  6.9609  7.4297},
{5.5547  6.0234  6.4922  6.9609  7.4297},
{6.0176  6.4805  6.9434  7.4063},
{5.5547  6.0176  6.4805  6.9434  7.4063},
{6.0176  6.4805  6.9434  7.4063},
{5.5547  6.0156  6.4844  6.9453  7.4063},
{6.0156  6.4844  6.9453  7.4063},
{5.5547   5.9302  6.3056  6.6811  7.0565  7.432},
{5.9302  6.3056  6.6811  7.0565  7.432},
{5.5547  5.9297  6.3047  6.6797  7.0547  7.4297},
{5.9297  6.3047  6.6797  7.0547  7.4297},
{5.5547   5.9250  6.2953  6.6656  7.0360  7.4063},
{5.9250  6.2953  6.6656  7.0360  7.4063},
{5.5547  5.9219  6.2969  6.6641  7.0391  7.4063}, および
{5.9219  6.2969  6.6641  7.0391  7.4063}
を含む、請求項４３乃至４５、４９、および５０の何れか１項に記載の装置。
【請求項５２】
前記取得モジュールにより取得された前記第１のＣＱＩテーブル内のＣＱＩインデックスの値範囲は前記第２のＣＱＩテーブル内のＣＱＩインデックスの値範囲と同じである、請求項４３に記載の装置。
【請求項５３】
変調符号化方式ＭＣＳ通知装置であって、
第１のＣＱＩテーブルおよび第１のＭＣＳテーブルを取得するように構成された取得モジュールと、
端末ＵＥにより送信された第１のチャネル品質指標ＣＱＩインデックスを受信するように構成された受信モジュールであって、前記第１のＣＱＩインデックスは前記第１のＣＱＩテーブルに従って前記ＵＥにより決定される、受信モジュールと、
前記取得モジュールにより取得された前記第１のＣＱＩテーブル、前記取得モジュールにより取得された前記第１のＭＣＳテーブル、および前記受信モジュールにより受信された前記第１のＣＱＩインデックスに従って第１のＭＣＳインデックスを決定するように構成された決定モジュールと、
前記決定された第１のＭＣＳインデックスを前記ＵＥに送信するように構成された送信モジュールと、
を備え、
前記取得モジュールにより取得された前記第１のＣＱＩテーブルは変調方式が６４ＱＡＭよりも高いエントリを含み、
前記取得モジュールにより取得された前記第１のＭＣＳテーブルは、
変調方式が６４ＱＡＭよりも高いエントリと、
第２のＭＣＳテーブル内にあり変調方式がＱＰＳＫである少なくとも１つのエントリであって、変調方式がＱＰＳＫである前記少なくとも１つのエントリは、前記第２のＭＣＳテーブル内にあり変調方式がＱＰＳＫである前記少なくとも１つのエントリにより形成された、第２の組合せと異なる組合せを含み、前記第２の組合せは、前記第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数であり、かつ／または、前記第２のＭＣＳテーブル内にあり変調方式が１６ＱＡＭである少なくとも１つのエントリである、少なくとも１つのエントリと、
を備え、
前記第２のＭＣＳテーブル内の変調方式はＱＰＳＫ、１６ＱＡＭ、および６４ＱＡＭのみを含む、
装置。
【請求項５４】
前記第１のＣＱＩテーブルは、第２のＣＱＩテーブル内にあり変調方式がＱＰＳＫである少なくとも１つのエントリであって、変調方式がＱＰＳＫである前記少なくとも１つのエントリは、前記第２のＣＱＩテーブル内にあり変調方式がＱＰＳＫである前記少なくとも１つのエントリにより形成された第１の組合せとは異なる組合せを含み、前記第１の組合せは、前記第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または前記第２のＣＱＩテーブル内にあり変調方式が１６ＱＡＭである少なくとも１つのエントリをさらに含み、
前記第２のＣＱＩテーブル内の変調方式はＱＰＳＫ、１６ＱＡＭ、および６４ＱＡＭのみを含む、
請求項５３に記載の装置。
【請求項５５】
前記決定モジュールは特に、取得した第１のＰＲＢ量、前記取得モジュールにより取得された前記第１のＣＱＩテーブル、前記取得モジュールにより取得された前記第１のＭＣＳテーブル、第１のＴＢＳテーブル、および前記受信した第１のＣＱＩインデックスに従って、第１のＴＢＳインデックスおよび前記第１のＭＣＳインデックスを決定するように構成され、
前記第１のＰＲＢ量は基地局により前記ＵＥに割り当てられたＰＲＢ量であるか、または前記第１のＰＲＢ量は前記ＵＥに割り当てられた前記ＰＲＢ量と特定の係数の積以下の最大の整数であり、
前記第１のＴＢＳテーブルは各ＴＢＳインデックスに対応する少なくとも１つのＰＲＢ量および各ＰＲＢ量に対応する送信ブロック・サイズを含み、前記第１のＴＢＳテーブルは前記第１のＭＣＳテーブルに対応するＴＢＳテーブルである、
請求項５３または５４に記載の装置。
【請求項５６】
前記第１のＴＢＳテーブル内のＴＢＳインデックスの値範囲は０乃至Ａであり、Ａは２６以下の正の整数であるか、または、前記第１のＴＢＳテーブル内のＴＢＳインデックスの値範囲は０乃至Ｂであり、Ｂは２６以上の正の整数であり、前記第１のＴＢＳテーブル内のＴＢＳインデックス０乃至Ｃに対応する送信ブロック・サイズは第２のＴＢＳテーブル内のＴＢＳインデックス０乃至Ｃに対応する送信ブロック・サイズと同一であり、Ｃは２６以下の非負整数であり、前記第２のＴＢＳテーブル内のＴＢＳインデックスの値範囲は０乃至２６であり、前記第２のＴＢＳテーブルは各ＴＢＳインデックスに対応する少なくとも１つのＰＲＢ量および各ＰＲＢ量に対応する送信ブロック・サイズを含む、請求項５５に記載の装置。
【請求項５７】
前記決定モジュールは、前記取得モジュールにより取得された前記第１のＣＱＩテーブルおよび前記受信モジュールにより受信された前記第１のＣＱＩインデックスに従って、前記受信した第１のＣＱＩインデックスに対応する第１の変調方式および第１のスペクトル効率を決定するように構成された第１の決定サブモジュールと、
前記取得された第１のＰＲＢ量および前記第１の決定サブモジュールにより決定された前記第１のスペクトル効率に従って、前記ＵＥに送信された第１の送信ブロック・サイズを学習し、前記第１のＴＢＳテーブルを、前記第１のＴＢＳテーブル内にあり前記第１の送信ブロック・サイズおよび前記第１のＰＲＢ量に対応する前記第１のＴＢＳインデックスに従って取得するように構成された第２の決定サブモジュールと、
を備え、
前記第１の送信ブロック・サイズは前記第２の決定サブモジュールにより決定される、
請求項５５に記載の装置。
【請求項５８】
前記第１のＴＢＳテーブルはＴＢＳインデックスＹ１を含み、ＰＲＢ量ごとに、前記ＴＢＳインデックスＹ１に対応する送信ブロック・サイズは、前記第２のＴＢＳテーブルにおけるＴＢＳインデックス２５に対応する送信ブロック・サイズより大きく、前記第２のＴＢＳテーブルにおけるＴＢＳインデックス２６に対応する送信ブロック・サイズより小さく、前記第２のＴＢＳテーブル内のＴＢＳインデックスの値範囲は０乃至２６であり、前記第２のＴＢＳテーブルは各ＴＢＳインデックスに対応する少なくとも１つのＰＲＢ量および各ＰＲＢ量に対応する送信ブロック・サイズを含む、請求項５５乃至５７の何れか１項に記載の装置。
【請求項５９】
前記第１のＴＢＳテーブルはＴＢＳインデックスＹ２および以下の表Ａ
【表２５】
2020053973.tif 000138
における前記ＴＢＳインデックスＹ２に対応する少なくとも１つのエントリを含み、任意の１つのエントリは１つのＰＲＢ量と前記ＰＲＢ量に対応する１つの送信ブロック・サイズを含み、
かつ／または、前記第１のＴＢＳテーブルはＴＢＳインデックスＹ３および以下の表Ｂ１、Ｂ２、Ｂ３、またはＢ４
【表２６】
2020053973.tif 000139
【表２７】
2020053973.tif 000140
【表２８】
2020053973.tif 000141
【表２９】
2020053973.tif 000142
における前記ＴＢＳインデックスＹ３に対応する少なくとも１つのエントリを含み、任意の１つのエントリは１つのＰＲＢ量と前記ＰＲＢ量に対応する１つの送信ブロック・サイズを含み、
かつ／または、前記第１のＴＢＳテーブルは、ＴＢＳインデックスＹ４＿１乃至Ｙ４＿５と以下の表Ｃ１またはＣ２
【表３０】
2020053973.tif 000143
2020053973.tif 000144
2020053973.tif 000145
【表３１】
2020053973.tif 000146
2020053973.tif 000147
2020053973.tif 000148
における前記ＴＢＳインデックスＹ４＿１乃至Ｙ４＿５に対応する少なくとも１つのエントリを含み、任意の１つのエントリは１つのＰＲＢ量と前記ＰＲＢ量に対応する５つの送信ブロック・サイズを含む、
請求項５５乃至５７の何れか１項に記載の装置。
【請求項６０】
変調方式がＱＰＳＫであり前記第２のＣＱＩテーブル内にある前記少なくとも１つのエントリは、前記取得モジュールにより取得された前記第１のＣＱＩテーブルにおいて、
前記第２のＣＱＩテーブル内にあり変調方式がＱＰＳＫであるエントリの一部であって、前記エントリの一部に対応する連続するＣＱＩインデックスの差分は同一である、エントリの一部、または、前記第２のＣＱＩテーブル内にあり変調方式がＱＰＳＫであるエントリの一部であって、前記エントリの一部に対応する連続するＣＱＩインデックスの差分は同一ではない、エントリの一部、または、前記第２のＣＱＩテーブル内にあり変調方式がＱＰＳＫであるエントリの一部であって、前記エントリの一部に対応するＣＱＩインデックスは不連続であり、前記エントリの一部は、対応するＣＱＩインデックスが、前記第２のＣＱＩテーブル内にあり変調方式がＱＰＳＫである全てのエントリのうち最大のものであるエントリと異なる少なくとも１つのエントリである、エントリの一部、または、前記第２のＣＱＩテーブル内にあり変調方式がＱＰＳＫであるエントリの一部であって、前記エントリの一部に対応するＣＱＩインデックスは連続であり、前記エントリの一部は、対応するＣＱＩインデックスが前記ＣＱＩテーブル内にあり変調方式がＱＰＳＫである全てのエントリのうち最大であるエントリと異なる少なくとも１つのエントリである、エントリの一部
を含む、請求項５４乃至５９の何れか１項に記載の装置。
【請求項６１】
変調方式が１６ＱＡＭであり前記第２のＣＱＩテーブル内にある前記少なくとも１つのエントリは、前記取得モジュールにより取得された前記第１のＣＱＩテーブルにおいて、
前記第２のＣＱＩテーブル内にあり変調方式が１６ＱＡＭである全てのエントリ、または、対応するＣＱＩインデックスが前記第２のＣＱＩテーブル内にあり変調方式が１６ＱＡＭである全てのエントリのうち最小であるエントリと異なる少なくとも１つのエントリ
を含む、請求項５４乃至５９の何れか１項に記載の装置。
【請求項６２】
前記取得モジュールにより取得された前記第１のＣＱＩテーブルはさらに、前記第２のＣＱＩテーブル内にあり変調方式が６４ＱＡＭである少なくとも１つのエントリを含む、請求項５４乃至６１の何れか１項に記載の装置。
【請求項６３】
変調方式が６４ＱＡＭであり前記第２のＣＱＩテーブル内にある前記少なくとも１つのエントリは、前記取得モジュールにより取得された前記第１のＣＱＩテーブルにおいて、
前記第２のＣＱＩテーブル内にあり変調方式が６４ＱＡＭである全てのエントリ、または、前記第２のＣＱＩテーブル内にあり変調方式が６４ＱＡＭであるエントリの一部であって、前記エントリの一部は、対応するＣＱＩインデックスが前記第２のＣＱＩテーブル内にあり変調方式が６４ＱＡＭである全てのエントリのうち最大であるエントリと異なる少なくとも１つのエントリである、エントリの一部
を含む、請求項６２に記載の装置。
【請求項６４】
対応するＣＱＩインデックスが、前記取得モジュールにより取得された前記第１のＣＱＩテーブル内にあり変調方式が６４ＱＡＭよりも高いエントリのうち最小であるエントリのスペクトル効率は、対応するＣＱＩインデックスが前記第２のＣＱＩテーブル内にあり変調方式が６４ＱＡＭである全てのエントリのうち最大であるエントリのスペクトル効率に等しいか、または、対応するＣＱＩインデックスが、前記第１のＣＱＩテーブル内にあり変調方式が６４ＱＡＭよりも高いエントリのうち最小のものであるＴ個のエントリのスペクトル効率は、対応するＣＱＩインデックスが、前記第２のＣＱＩテーブル内にあり変調方式が６４ＱＡＭである全てのエントリのうち最大のものであるＴ個のエントリのスペクトル効率に等しいかまたはほぼ等しく、Ｔは１乃至５のうち何れか１つの自然数に等しい、
請求項５４乃至６３の何れか１項に記載の装置。
【請求項６５】
前記取得モジュールにより取得された前記第１のＣＱＩテーブル内のＣＱＩインデックスの値範囲は前記第２のＣＱＩテーブル内のＣＱＩインデックスの値範囲と同じである、請求項５４乃至６４の何れか１項に記載の装置。
【請求項６６】
変調方式がＱＰＳＫであり前記第２のＭＣＳテーブル内にある前記少なくとも１つのエントリは、前記取得モジュールにより取得された前記第１のＭＣＳテーブルにおいて、
前記第２のＭＣＳテーブル内にあり変調方式がＱＰＳＫであるエントリの一部であって、前記エントリの一部に対応する連続するＭＣＳインデックスの差分は同一である、エントリの一部、または、前記第２のＭＣＳテーブル内にあり変調方式がＱＰＳＫであるエントリの一部であって、前記エントリの一部に対応する連続するＭＣＳインデックスの差分は同一ではない、エントリの一部、または、前記第２のＭＣＳテーブル内にあり変調方式がＱＰＳＫであるエントリの一部であって、前記エントリの一部に対応するＭＣＳインデックスは不連続であり、前記エントリの一部は、ＭＣＳインデックスが、前記第２のＭＣＳテーブル内にあり変調方式がＱＰＳＫである全てのエントリのうち最大であるエントリと異なる少なくとも１つのエントリである、エントリの一部、または、前記第２のＭＣＳテーブル内にあり変調方式がＱＰＳＫであるエントリの一部であって、前記エントリの一部に対応するＭＣＳインデックスは連続であり、前記エントリの一部は、ＭＣＳインデックスが、前記第２のＭＣＳテーブル内にあり変調方式がＱＰＳＫである全てのエントリのうち最大であるエントリと異なる少なくとも１つのエントリである、エントリの一部
を含む、請求項５３乃至５７の何れか１項に記載の装置。
【請求項６７】
変調方式が１６ＱＡＭであり前記第２のＭＣＳテーブル内にある前記少なくとも１つのエントリは、前記取得モジュールにより取得された前記第１のＣＱＩテーブルにおいて、
前記第２のＭＣＳテーブル内にあり変調方式が１６ＱＡＭである全てのエントリ、または、前記第２のＭＣＳテーブル内にあり変調方式が１６ＱＡＭであるエントリの一部であって、前記エントリの一部に対応する連続するＭＣＳインデックスの差分は同一である、エントリの一部、または、前記第２のＭＣＳテーブル内にあり変調方式が１６ＱＡＭであるエントリの一部であって、前記エントリの一部に対応する連続するＭＣＳインデックスの差分は同一ではない、エントリの一部、または、前記第２のＭＣＳテーブル内にあり変調方式が１６ＱＡＭであるエントリの一部であって、前記エントリの一部に対応するＭＣＳインデックスは不連続であり、前記エントリの一部は、第２のＭＣＳインデックスが、前記第２のＭＣＳテーブル内にあり変調方式が１６ＱＡＭである全てのエントリのうち最大であるエントリと異なる少なくとも１つのエントリである、エントリの一部、または、前記第２のＭＣＳテーブル内にあり変調方式が１６ＱＡＭであるエントリの一部であって、前記エントリの一部に対応するＭＣＳインデックスは連続であり、前記エントリの一部は、ＭＣＳインデックスが、前記第２のＭＣＳテーブル内にあり変調方式が１６ＱＡＭである全てのエントリのうち最大であるエントリと異なる少なくとも１つのエントリである、エントリの一部、または、前記第２のＭＣＳテーブル内にあり変調方式が１６ＱＡＭであるエントリの一部であって、前記エントリの一部は、各ＭＣＳインデックスが、前記第２のＭＣＳテーブル内にあり変調方式が１６ＱＡＭである全てのエントリのうち最大または最小であるエントリと異なる少なくとも１つのエントリである、エントリの一部
を含む、請求項５３乃至５７の何れか１項に記載の装置。
【請求項６８】
前記取得モジュールにより取得された前記第１のＭＣＳテーブルはさらに、前記第２のＭＣＳテーブル内にあり変調方式が６４ＱＡＭである少なくとも１つのエントリを含む、請求項５３乃至５７、６６および６７の何れか１項に記載の装置。
【請求項６９】
変調方式が６４ＱＡＭであり前記第２のＭＣＳテーブル内にある前記少なくとも１つのエントリは、前記取得モジュールにより取得された前記第１のＣＱＩテーブルにおいて
前記第２のＭＣＳテーブル内にあり変調方式が６４ＱＡＭである全てのエントリ、または、前記第２のＭＣＳテーブル内にあり変調方式が６４ＱＡＭであるエントリの一部であって、前記エントリの一部は、ＭＣＳインデックスが、前記第２のＭＣＳテーブル内にあり変調方式が６４ＱＡＭである全てのエントリのうち最小であるエントリと異なる少なくとも１つのエントリである、エントリの一部、または、前記第２のＭＣＳテーブル内にあり変調方式が６４ＱＡＭであるエントリの一部であって、前記エントリの一部は、ＭＣＳインデックスが、前記第２のＭＣＳテーブル内にあり変調方式が６４ＱＡＭである全てのエントリのうち最大であるエントリと異なる少なくとも１つのエントリである、エントリの一部
を含む、請求項６８に記載の装置。
【請求項７０】
対応するＭＣＳインデックスが、前記第１のＭＣＳテーブル内にあり変調方式が６４ＱＡＭよりも高い全てのエントリのうち最小であるエントリのＴＢＳインデックスは、ＭＣＳインデックスが、前記第２のＭＣＳテーブル内にあり変調方式が６４ＱＡＭである全てのエントリのうち最大であるエントリのＴＢＳインデックスと同じであり、または、対応するＭＣＳインデックスが、前記第１のＭＣＳテーブル内にあり変調方式が６４ＱＡＭよりも高いエントリのうち最小のものであるＲ個のエントリのＴＢＳインデックスが、ＭＣＳインデックスが、前記第２のＭＣＳテーブル内にあり変調方式が６４ＱＡＭでありＭＣＳインデックスは２７より大きくない全てのエントリのうち最大のものであるＲ個のエントリのＴＢＳインデックスに等しくてもよく、Ｒは自然数である、
請求項６８または６９に記載の装置。
【請求項７１】
前記取得モジュールにより取得された前記第１のＭＣＳテーブル内のＭＣＳインデックスの値範囲は前記第２のＭＣＳテーブル内のＭＣＳインデックスの値範囲と同じである、請求項５３乃至５７、および６６乃至７０の何れか１項に記載の装置。
【請求項７２】
前記第１のＭＣＳテーブルはさらに以下の表Ｄ１、Ｄ２、Ｄ３、Ｄ４、またはＤ５
【表３２】
2020053973.tif 000149
【表３３】
2020053973.tif 000150
【表３４】
2020053973.tif 000151
【表３５】
2020053973.tif 000152
【表３６】
2020053973.tif 000153
における少なくとも１つのエントリを含み、および任意の１つのエントリは、１つのＭＣＳインデックス、および前記１つのＭＣＳインデックスに対応する変調順序およびＴＢＳインデックスを含む、請求項５３乃至５７、５９、および６６乃至７１の何れか１項に記載の装置。
【請求項７３】
第１のＭＣＳテーブルを取得するように構成された取得モジュールと；
基地局により送信された第１のＭＣＳインデックスを受信するように構成された受信モジュールであって、前記第１のＭＣＳインデックスは、前記取得モジュールにより取得された前記第１のＭＣＳテーブルに従って前記基地局により決定される、受信モジュールと、
前記取得モジュールにより取得された前記第１のＭＣＳテーブルおよび前記受信モジュールにより受信された前記第１のＭＣＳインデックスに従って変調順序および符号ブロック・サイズを決定するように構成された決定モジュールと、
を備え、
前記取得モジュールにより取得された前記第１のＭＣＳテーブルは、変調方式が６４ＱＡＭよりも高いエントリと、
第２のＭＣＳテーブル内にあり変調方式がＱＰＳＫである少なくとも１つのエントリであって、変調方式がＱＰＳＫである前記少なくとも１つのエントリは、前記第２のＭＣＳテーブル内にあり変調方式がＱＰＳＫである前記少なくとも１つのエントリによって形成された、第１の組合せと異なる組合せを含み、前記第１の組合せは、前記第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数であり、かつ／または、前記第２のＭＣＳテーブル内にあり変調方式が１６ＱＡＭである少なくとも１つのエントリである、少なくとも１つのエントリと、
を含み、
前記第２のＭＣＳテーブル内の変調方式はＱＰＳＫ、１６ＱＡＭ、および６４ＱＡＭのみを含む、
変調符号化方式ＭＣＳ通知装置。
【請求項７４】
前記決定モジュールは、前記取得モジュールにより取得された前記第１のＭＣＳテーブルおよび前記受信した第１のＭＣＳインデックスに従って第１のＴＢＳインデックスおよび変調順序を決定するように構成された第１の決定サブモジュールと、
前記第１のＴＢＳインデックス、第１のＰＲＢ量、および第１のＴＢＳテーブルに従って前記符号ブロック・サイズを決定するように構成された第２の決定サブモジュールと、
を備え、
前記第１のＰＲＢ量は前記基地局により前記ＵＥに割り当てられたＰＲＢ量であるか、または前記第１のＰＲＢ量は前記ＵＥに割り当てられた前記ＰＲＢ量と特定の係数の積以下の最大の整数であり、
前記第１のＴＢＳテーブルは各ＴＢＳインデックスに対応する少なくとも１つのＰＲＢ量および各ＰＲＢ量に対応する送信ブロック・サイズを含み、前記第１のＴＢＳテーブルは前記第１のＭＣＳテーブルに対応するＴＢＳテーブルである、
請求項７３に記載の装置。
【請求項７５】
前記第１のＴＢＳテーブル内のＴＢＳインデックスの値範囲は０乃至Ａであり、Ａは２６以下の正の整数であるか、または、前記第１のＴＢＳテーブル内のＴＢＳインデックスの値範囲は０乃至Ｂであり、Ｂは２６以上の正の整数であり、前記第１のＴＢＳテーブル内のＴＢＳインデックス０乃至Ｃに対応する送信ブロック・サイズは第２のＴＢＳテーブル内のＴＢＳインデックス０乃至Ｃに対応する送信ブロック・サイズと同一であり、Ｃは２６以下の非負整数であり、前記第２のＴＢＳテーブル内のＴＢＳインデックスの値範囲は０乃至２６であり、前記第２のＴＢＳテーブルは各ＴＢＳインデックスに対応する少なくとも１つのＰＲＢ量および各ＰＲＢ量に対応する送信ブロック・サイズを含む、請求項７４に記載の装置。
【請求項７６】
前記第１のＴＢＳテーブルはＴＢＳインデックスＹ１を含み、ＰＲＢ量ごとに、前記ＴＢＳインデックスＹ１に対応する送信ブロック・サイズは、前記第２のＴＢＳテーブルにおけるＴＢＳインデックス２５に対応する送信ブロック・サイズより大きく、前記第２のＴＢＳテーブルにおけるＴＢＳインデックス２６に対応する送信ブロック・サイズより小さく、前記第２のＴＢＳテーブル内のＴＢＳインデックスの値範囲は０乃至２６であり、前記第２のＴＢＳテーブルは各ＴＢＳインデックスに対応する少なくとも１つのＰＲＢ量および各ＰＲＢ量に対応する送信ブロック・サイズを含む、請求項７４または７５、に記載の装置。
【請求項７７】
前記第１のＴＢＳテーブルはＴＢＳインデックスＹ２および以下の表Ａ
【表３７】
2020053973.tif 000154
における前記ＴＢＳインデックスＹ２に対応する少なくとも１つのエントリを含み、任意の１つのエントリは１つのＰＲＢ量と前記ＰＲＢ量に対応する１つの送信ブロック・サイズを含み、
かつ／または、前記第１のＴＢＳテーブルはＴＢＳインデックスＹ３および以下の表Ｂ１、Ｂ２、Ｂ３、またはＢ４
【表３８】
2020053973.tif 000155
【表３９】
2020053973.tif 000156
【表４０】
2020053973.tif 000157
【表４１】
2020053973.tif 000158
における前記ＴＢＳインデックスＹ３に対応する少なくとも１つのエントリを含み、任意の１つのエントリは１つのＰＲＢ量と前記ＰＲＢ量に対応する１つの送信ブロック・サイズを含み、
かつ／または、前記第１のＴＢＳテーブルは、ＴＢＳインデックスＹ４＿１乃至Ｙ４＿５と以下の表Ｃ１またはＣ２
【表４２】
2020053973.tif 000159
2020053973.tif 000160
2020053973.tif 000161
【表４３】
2020053973.tif 000162
2020053973.tif 000163
2020053973.tif 000164
における前記ＴＢＳインデックスＹ４＿１乃至Ｙ４＿５に対応する少なくとも１つのエントリを含み、任意の１つのエントリは１つのＰＲＢ量と前記ＰＲＢ量に対応する５つの送信ブロック・サイズを含む、
請求項７４または７５に記載の装置。
【請求項７８】
変調方式がＱＰＳＫであり前記第２のＭＣＳテーブル内にある前記少なくとも１つのエントリは、前記取得モジュールにより取得された前記第１のＭＣＳテーブルにおいて、
前記第２のＭＣＳテーブル内にあり変調方式がＱＰＳＫであるエントリの一部であって、前記エントリの一部に対応する連続するＭＣＳインデックスの差分は同一である、エントリの一部、または、前記第２のＭＣＳテーブル内にあり変調方式がＱＰＳＫであるエントリの一部であって、前記エントリの一部に対応する連続するＭＣＳインデックスの差分は同一でない、エントリの一部、または、前記第２のＭＣＳテーブル内にあり変調方式がＱＰＳＫであるエントリの一部であって、前記エントリの一部に対応するＭＣＳインデックスは不連続であり、前記エントリの一部は、ＭＣＳインデックスが、前記第２のＭＣＳテーブル内にあり変調方式がＱＰＳＫである全てのエントリのうち最大であるエントリと異なる少なくとも１つのエントリである、エントリの一部、または、前記第２のＭＣＳテーブル内にあり変調方式がＱＰＳＫであるエントリの一部であって、前記エントリの一部に対応するＭＣＳインデックスは連続であり、前記エントリの一部は、ＭＣＳインデックスが、前記第２のＭＣＳテーブル内にあり変調方式がＱＰＳＫである全てのエントリのうち最大であるエントリと異なる少なくとも１つのエントリである、エントリの一部
を含む、請求項７３乃至７５の何れか１項に記載の装置。
【請求項７９】
変調方式が１６ＱＡＭであり前記第２のＭＣＳテーブル内にある前記少なくとも１つのエントリは、前記取得モジュールにより取得された前記第１のＭＣＳテーブルにおいて、
前記第２のＭＣＳテーブル内にあり変調方式が１６ＱＡＭである全てのエントリ、または、前記第２のＭＣＳテーブル内にあり変調方式が１６ＱＡＭであるエントリの一部であって、前記エントリの一部に対応する連続するＭＣＳインデックスの差分は同一である、エントリの一部、または、前記第２のＭＣＳテーブル内にあり変調方式が１６ＱＡＭであるエントリの一部であって、前記エントリの一部に対応する連続するＭＣＳインデックスの差分は同一ではない、エントリの一部、または、前記第２のＭＣＳテーブル内にあり変調方式が１６ＱＡＭであるエントリの一部であって、前記エントリの一部に対応するＭＣＳインデックスは不連続であり、前記エントリの一部は、第２のＭＣＳインデックスが、前記第２のＭＣＳテーブル内にあり変調方式が１６ＱＡＭである全てのエントリのうち最大であるエントリと異なる少なくとも１つのエントリである、エントリの一部、または、前記第２のＭＣＳテーブル内にあり変調方式が１６ＱＡＭであるエントリの一部であって、前記エントリの一部に対応するＭＣＳインデックスは連続であり、前記エントリの一部は、ＭＣＳインデックスが、前記第２のＭＣＳテーブル内にあり変調方式が１６ＱＡＭである全てのエントリのうち最大であるエントリと異なる少なくとも１つのエントリである、エントリの一部、または、前記第２のＭＣＳテーブル内にあり変調方式が１６ＱＡＭであるエントリの一部であって、前記エントリの一部は、各ＭＣＳインデックスが、前記第２のＭＣＳテーブル内にあり変調方式が１６ＱＡＭである全てのエントリのうち最大または最小であるエントリと異なる少なくとも１つのエントリである、エントリの一部
を含む、請求項７３乃至７５の何れか１項に記載の装置。
【請求項８０】
前記取得モジュールにより取得された前記第１のＭＣＳテーブルはさらに前記第２のＭＣＳテーブル内にあり変調方式が６４ＱＡＭである少なくとも１つのエントリを含む、請求項７３乃至７９の何れか１項に記載の装置。
【請求項８１】
変調方式が６４ＱＡＭであり前記第２のＭＣＳテーブル内にある前記少なくとも１つのエントリは、前記取得モジュールにより取得された前記第１のＭＣＳテーブルにおいて、
前記第２のＭＣＳテーブル内にあり変調方式が６４ＱＡＭである全てのエントリ、または、前記第２のＭＣＳテーブル内にあり変調方式が６４ＱＡＭであるエントリの一部であって、前記エントリの一部は、ＭＣＳインデックスが、前記第２のＭＣＳテーブル内にあり変調方式が６４ＱＡＭである全てのエントリのうち最小であるエントリと異なる少なくとも１つのエントリである、エントリの一部、または、前記第２のＭＣＳテーブル内にあり変調方式が６４ＱＡＭであるエントリの一部であって、前記エントリの一部は、ＭＣＳインデックスが、前記第２のＭＣＳテーブル内にあり変調方式が６４ＱＡＭである全てのエントリのうち最大であるエントリと異なる少なくとも１つのエントリである、エントリの一部
を含む、請求項８０に記載の装置。
【請求項８２】
対応するＭＣＳインデックスが、前記第１のＭＣＳテーブル内にあり変調方式が６４ＱＡＭよりも高い全てのエントリのうち最小であるエントリのＴＢＳインデックスは、ＭＣＳインデックスが、前記第２のＭＣＳテーブル内にあり変調方式が６４ＱＡＭである全てのエントリのうち最大であるエントリのＴＢＳインデックスと同じであり、または、対応するＭＣＳインデックスが、前記第１のＭＣＳテーブル内にあり変調方式が６４ＱＡＭよりも高いエントリのうち最小のものであるＲ個のエントリのＴＢＳインデックスが、ＭＣＳインデックスが、前記第２のＭＣＳテーブル内にあり変調方式が６４ＱＡＭでありＭＣＳインデックスは２７より大きくない全てのエントリのうち最大のものであるＲ個のエントリのＴＢＳインデックスに等しくてもよく、Ｒは自然数である、
請求項８０または８１に記載の装置。
【請求項８３】
前記取得モジュールにより取得された前記第１のＭＣＳテーブル内のＭＣＳインデックスの値範囲は前記第２のＭＣＳテーブル内のＭＣＳインデックスの値範囲と同じである、請求項７３乃至８２の何れか１項に記載の装置。
【請求項８４】
前記第１のＭＣＳテーブルはさらに以下の表Ｄ１、Ｄ２、Ｄ３、Ｄ４、またはＤ５
【表４４】
2020053973.tif 000165
【表４５】
2020053973.tif 000166
【表４６】
2020053973.tif 000167
【表４７】
2020053973.tif 000168
【表４８】
2020053973.tif 000169
における少なくとも１つのエントリを含み、および任意の１つのエントリは、１つのＭＣＳインデックス、および前記１つのＭＣＳインデックスに対応する変調順序およびＴＢＳインデックスを含む、請求項７３乃至８３の何れか１項に記載の装置。
【発明の詳細な説明】
【技術分野】
【０００１】
本願は、発明の名称を「チャネル品質指標ならびに変調方式および符号化方式を通知するための方法および装置」とした、２０１３年６月８日に中国国家知識産権局に出願された中国特許出願第ＰＣＴ／ＣＮ２０１３／０７７０２３号に対する優先権を主張し、その全体を引用により本明細書に組み込む。
【０００２】
本発明は、通信の分野に関し、特に、チャネル品質指標ならびに変調方式および符号化方式を通知するための方法および装置に関する。
【背景技術】
【０００３】
今日、ロング・ターム・エボリューション（ＬＴＥ、Ｌｏｎｇ  Ｔｅｒｍ  Ｅｖｏｌｕｔｉｏｎ）システムにおいて、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）の適応型変調および符号化プロセスは以下の手順に従う。即ち、端末装置がチャネル状態情報（ＣＳＩ、Ｃｈａｎｎｅｌ  Ｓｔａｔｅ  Ｉｎｆｏｒｍａｔｉｏｎ）を測定するために使用されるチャネル情報を推定し、端末装置が当該チャネル情報を用い最適ランク指標（ＲＩ、Ｒａｎｋ  Ｉｎｄｉｃａｔｉｏｎ）および／または最適なプリコーディング行列指標（ＰＭＩ、Ｐｒｅｃｏｄｉｎｇ  Ｍａｔｒｉｘ  Ｉｎｄｉｃａｔｉｏｎ）に基づいて信号対雑音干渉比（ＳＩＮＲ、Ｓｉｇｎａｌ  ｔｏ  Ｉｎｔｅｒｆｅｒｅｎｃｅ  ｐｌｕｓ  Ｎｏｉｓｅ  Ｒａｔｉｏ）を計算し、端末装置が当該ＳＩＮＲに従って対応するチャネル品質指標（ＣＱＩ、Ｃｈａｎｎｅｌ  Ｑｕａｌｉｔｙ  Ｉｎｄｉｃａｔｏｒ）を取得し、当該ＣＱＩの値を基地局に報告し、端末装置が報告したチャネル品質指標（ＣＱＩ、Ｃｈａｎｎｅｌ  Ｑｕａｌｉｔｙ  Ｉｎｄｉｃａｔｏｒ）ＣＱＩ値とネットワーク状況に従って基地局が変調方式および符号化方式（ＭＣＳ、Ｍｏｄｕｌａｔｉｏｎ  ａｎｄ  Ｃｏｄｉｎｇ  Ｓｃｈｅｍｅ）を端末装置に割り当てるというものである。ＭＣＳは、現在ＰＤＳＣＨで使用されている変調方式および符号化方式を示すために使用される。
【０００４】
ホットスポットのシナリオでは、例えば、中継（Ｒｅｌａｙ）シナリオまたはＬＴＥホットスポット改善（ＬＴＥ−Ｈｉ、ＬＴＥｈｏｔｓｐｏｔ  ｉｍｐｒｏｖｅｍｅｎｔｓ）シナリオでは、端末装置は６４直角位相振幅変調（ＱＡＭ、Ｑｕａｄｒａｔｕｒｅ  Ａｍｐｌｉｔｕｄｅ  Ｍｏｄｕｌａｔｉｏｎ）より高い変調方式を必要とする。しかし、先行技術における制限のため、最大ＣＱＩ値は１５であり、当該最大ＣＱＩ値に対応する変調方式は６４ＱＡＭである。これは、端末装置は６４ＱＡＭより高い変調方式を選択することができず、システム性能に悪影響が及ぶことを意味する。同様に、基地局は６４ＱＡＭより高い変調方式を端末装置に割り当てることもできない。
【発明の概要】
【課題を解決するための手段】
【０００５】
本発明の諸実施形態では、チャネル品質指標ならびに変調方式および符号化方式を通知するための方法および装置を提供する。当該方法および装置により、端末装置と基地局は６４ＱＡＭより高い変調方式を選択することができ、それによりシステム性能を高める。
【０００６】
上記目的を実現するために、本発明の諸実施形態では以下の技術的解決策を用いる。
【０００７】
第１の態様によればＣＱＩ通知方法が提供される。当該方法は、取得した第１のＣＱＩテーブルに従って第１のＣＱＩインデックスを学習するステップと、基地局が第１のＣＱＩインデックスに従って第１の変調符号化方式ＭＣＳインデックスを決定するように、第１のＣＱＩインデックスを基地局に送信するステップとを含み、第１のＣＱＩテーブルは、変調方式が６４直角位相振幅変調ＱＡＭより高いエントリと、第２のＣＱＩテーブル内にあり変調方式が４相位相偏移変調ＱＰＳＫである少なくとも１つのエントリであって、変調方式がＱＰＳＫである少なくとも１つのエントリは、第２のＣＱＩテーブル内にあり変調方式がＱＰＳＫである少なくとも１つのエントリにより形成された第１の組合せとは異なる組合せを含み、第１の組合せは、第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または第２のＣＱＩテーブル内にあり変調方式が１６ＱＡＭである少なくとも１つのエントリとを含み、第２のＣＱＩテーブル内のエントリの変調方式はＱＰＳＫ、１６ＱＡＭ、および６４ＱＡＭのみを含む。
【０００８】
第１の態様を参照して、第１の可能な実装形態では、第２のＣＱＩテーブル内にあり変調方式がＱＰＳＫである少なくとも１つのエントリは、第２のＣＱＩテーブル内にあり変調方式がＱＰＳＫであるエントリの一部であって、当該エントリの一部に対応する連続するＣＱＩインデックスの差分は同一である、エントリの一部、または、第２のＣＱＩテーブル内にあり変調方式がＱＰＳＫであるエントリの一部であって、当該エントリの一部に対応する連続するＣＱＩインデックスの差分は同一ではない、エントリの一部、または、第２のＣＱＩテーブル内にあり変調方式がＱＰＳＫであるエントリの一部であって、当該エントリの一部に対応するＣＱＩインデックスは不連続であり、当該エントリの一部は、対応するＣＱＩインデックスが、第２のＣＱＩテーブル内にあり変調方式がＱＰＳＫである全てのエントリのうち最大のものであるエントリと異なる少なくとも１つのエントリである、エントリの一部、または、第２のＣＱＩテーブル内にあり変調方式がＱＰＳＫであるエントリの一部であって、当該エントリの一部に対応するＣＱＩインデックスは連続であり、当該エントリの一部は、対応するＣＱＩインデックスが当該ＣＱＩテーブル内にあり変調方式がＱＰＳＫである全てのエントリのうち最大であるエントリと異なる少なくとも１つのエントリである、エントリの一部を含む。
【０００９】
第１の態様を参照して、第２の可能な実装形態では、第２のＣＱＩテーブル内にあり変調方式が１６ＱＡＭである少なくとも１つのエントリは、第２のＣＱＩテーブル内にあり変調方式が１６ＱＡＭである全てのエントリ、または、対応するＣＱＩインデックスが第２のＣＱＩテーブル内にあり変調方式が１６ＱＡＭである全てのエントリのうち最小であるエントリと異なる少なくとも１つのエントリを含む。
【００１０】
第１の態様または以上の２つの可能な実装形態を参照して、第３の可能な実装形態では、第１のＣＱＩテーブルはさらに、第２のＣＱＩテーブル内にあり変調方式が６４ＱＡＭである少なくとも１つのエントリを含む。
【００１１】
第３の可能な実装形態を参照して、第４の可能な実装形態では、変調方式が６４ＱＡＭである少なくとも１つのエントリは、第２のＣＱＩテーブル内にあり変調方式が６４ＱＡＭである全てのエントリ、または、第２のＣＱＩテーブル内にあり変調方式が６４ＱＡＭであるエントリの一部であって、当該エントリの一部は、対応するＣＱＩインデックスが第２のＣＱＩテーブル内にあり変調方式が６４ＱＡＭである全てのエントリのうち最大であるエントリと異なる少なくとも１つのエントリである、エントリの一部を含む。
【００１２】
第１の態様を参照して、第５の可能な実装形態では、対応するＣＱＩインデックスが第１のＣＱＩテーブル内にあり変調方式が６４ＱＡＭよりも高いエントリのうち最小であるエントリのスペクトル効率は、対応するＣＱＩインデックスが第２のＣＱＩテーブル内にあり変調方式が６４ＱＡＭである全てのエントリのうち最大であるエントリのスペクトル効率に等しいか、または、対応するＣＱＩインデックスが変調方式が６４ＱＡＭよりも高いエントリのうち最小のものであるＴ個のエントリのスペクトル効率は、対応するＣＱＩインデックスが、第２のＣＱＩテーブル内にあり変調方式が６４ＱＡＭである全てのエントリのうち最大のものであるＴ個のエントリのスペクトル効率に等しいかまたはほぼ等しく、Ｔは１乃至５のうち何れか１つの自然数に等しい。
【００１３】
第１の態様を参照して、第６の可能な実装形態では、対応するＣＱＩインデックスが第１のＣＱＩテーブル内にあり変調方式が６４ＱＡＭよりも高いエントリのうち最大であるエントリのスペクトル効率は、対応するＣＱＩインデックスが第２のＣＱＩテーブル内にあり変調方式が６４ＱＡＭである全てのエントリのうち最大であるエントリのスペクトル効率に４／３を掛けたもの、または、１より小さい正の実数である端末の最大符号化率に８を掛けたもの、または、７．４０６３、または、７．４３２である。
【００１４】
第１の態様を参照して、第７の可能な実装形態では、第１のＣＱＩテーブル内にありＣＱＩインデックスが最大のものであるＸ個のエントリのスペクトル効率は昇順で配置されたスペクトル効率の算術数列または略算術数列であり、第１のＣＱＩテーブル内にありＣＱＩインデックスが最大のものであるＸ個のエントリのスペクトル効率が昇順で配置されたスペクトル効率の算術数列であることは、当該スペクトル効率の昇順で配置された当該Ｘ個のエントリ内の２番目のエントリから開始して、各エントリのスペクトル効率と夫々の先行エントリのスペクトル効率の差分が同一の定数に等しいことを示し、第１のＣＱＩテーブル内にありＣＱＩインデックスが最大のものであるＸ個のエントリのスペクトル効率が昇順で配置されたスペクトル効率の略算術数列であるとは、当該スペクトル効率の昇順で配置された当該Ｘ個のエントリ内の２番目のエントリから開始して、各エントリのスペクトル効率と夫々の先行エントリのスペクトル効率の差分は、定数から事前設定値を引いたものから当該定数に当該事前設定値を足したものまでの範囲内にあることを示し、Ｘは２より大きい整数であり、対応するＣＱＩインデックスが第１のＣＱＩテーブル内にありＣＱＩインデックスが最大のものである当該Ｘ個のエントリのうち最小であるエントリのスペクトル効率は、対応するＣＱＩインデックスが第２のＣＱＩテーブル内にあり変調方式が６４ＱＡＭである全てのエントリのうち最大であるエントリのスペクトル効率に等しく、対応するＣＱＩインデックスが第１のＣＱＩテーブル内にありＣＱＩインデックスが最大のものである当該Ｘ個のエントリのうち最大であるエントリのスペクトル効率は、対応するＣＱＩインデックスが、第２のＣＱＩテーブル内にあり変調方式が６４ＱＡＭである全てのエントリのうち最大であるエントリのスペクトル効率に４／３を掛けたもの、または、１より小さい正の実数である端末の最大符号化率に８を掛けたもの、または、７．４０６３、または、７．４３２である。
【００１５】
第１の態様または第１、第２、第６、および第７の可能な実装形態の何れか１つを参照して、第８の可能な実装形態では、第１のＣＱＩテーブル内にあり変調方式が６４ＱＡＭよりも高いエントリのスペクトル効率は以下の数値群のうち少なくとも１つを含む。
{5.5547  6.1805  6.8062  7.432},
{6.1805  6.8062  7.432},
{5.5547  6.1797  6.8047  7.4297},
{6.1797  6.8047  7.4297},
{5.5547  6.1719  6.7891  7.4063},
{6.1719  6.7891  7.4063},
{5.5547  6.4934  7.432},
{6.4934  7.432},
{5.5547  6.4922  7.4297},
{6.4922  7.4297},
{5.5547  6.4805  7.4063},
{6.4805  7.4063},
{5.5547  6.4844  7.4063},
{6.4844  7.4063},
{5.5547  6.0240  6.4934  6.9627  7.432},
{6.0234  6.4922  6.9609  7.4297},
{5.5547  6.0234  6.4922  6.9609  7.4297},
{6.0176  6.4805  6.9434  7.4063},
{5.5547  6.0176  6.4805  6.9434  7.4063},
{6.0176  6.4805  6.9434  7.4063},
{5.5547  6.0156  6.4844  6.9453  7.4063},
{6.0156  6.4844  6.9453  7.4063},
{5.5547  5.9302  6.3056  6.6811  7.0565  7.432},
{5.9302  6.3056  6.6811  7.0565  7.432},
{5.5547  5.9297  6.3047  6.6797  7.0547  7.4297},
{5.9297  6.3047  6.6797  7.0547  7.4297},
{5.5547  5.9250  6.2953  6.6656  7.0360  7.4063},
{5.9250  6.2953  6.6656  7.0360  7.4063},
{5.5547  5.9219  6.2969  6.6641  7.0391  7.4063}, および
{5.9219  6.2969  6.6641  7.0391  7.4063}
【００１６】
第１の態様を参照して、第９の可能な実装形態では、第１のＣＱＩテーブル内のＣＱＩインデックスの値範囲は第２のＣＱＩテーブル内のＣＱＩインデックスの値範囲と同じである。
【００１７】
第２の態様によればＭＣＳ通知方法が提供される。当該方法は、端末装置により送信された第１のチャネル品質指標ＣＱＩインデックスを受信するステップであって、第１のＣＱＩインデックスは取得した第１のＣＱＩテーブルに従って端末装置により決定される、ステップと、第１のＣＱＩテーブル、第１のＭＣＳテーブル、および受信した第１のＣＱＩインデックスに従って、第１のＭＣＳインデックスを決定するステップと、決定された第１のＭＣＳインデックスを端末装置に送信するステップとを含み、第１のＣＱＩテーブルは、変調方式が６４ＱＡＭよりも高いエントリを含み、第１のＭＣＳテーブルは、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは、第２のＭＣＳテーブル内にあり変調方式がＱＰＳＫである少なくとも１つのエントリにより形成された、第２の組合せと異なる組合せを含み、第２の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含み、第２のＭＣＳテーブル内の変調方式はＱＰＳＫ、１６ＱＡＭ、および６４ＱＡＭのみを含む。
【００１８】
第２の態様を参照して、第１の可能な実装形態では、第１のＣＱＩテーブルはさらに、第２のＣＱＩテーブル内にあり変調方式がＱＰＳＫである少なくとも１つのエントリであって、変調方式がＱＰＳＫである少なくとも１つのエントリは、第２のＣＱＩテーブル内にあり変調方式がＱＰＳＫである少なくとも１つのエントリにより形成された第１の組合せとは異なる組合せを含み、第１の組合せは、第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または第２のＣＱＩテーブル内にあり変調方式が１６ＱＡＭである少なくとも１つのエントリとを含み、第２のＣＱＩテーブル内の変調方式はＱＰＳＫ、１６ＱＡＭ、および６４ＱＡＭのみを含む。
【００１９】
第２の態様または第１の可能な実装形態を参照して、第２の可能な実装形態では、取得した第１のＣＱＩテーブル、取得した第１のＭＣＳテーブル、および受信した第１のＣＱＩインデックスに従って第１のＭＣＳインデックスを決定するステップは、第１のＴＢＳインデックスおよび第１のＭＣＳインデックスを、第１のＰＲＢ量、第１のＣＱＩテーブル、第１のＭＣＳテーブル、取得された第１のＴＢＳテーブル、および受信した第１のＣＱＩインデックスに従って決定するステップを含み、第１のＰＲＢ量は基地局により端末装置に割り当てられたＰＲＢ量であるか、または、第１のＰＲＢ量は端末装置に割り当てられた当該ＰＲＢ量と特定の係数の積以下の最大の整数であり、第１のＴＢＳテーブルは各ＴＢＳインデックスに対応する少なくとも１つのＰＲＢ量および各ＰＲＢ量に対応する送信ブロック・サイズを含み、第１のＴＢＳテーブルは第１のＭＣＳテーブルに対応するＴＢＳテーブルである。
【００２０】
第２の可能な実装形態を参照して、第３の可能な実装形態では、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブル内のＴＢＳインデックス０乃至Ｃに対応する送信ブロック・サイズは第２のＴＢＳテーブル内のＴＢＳインデックス０乃至Ｃに対応する送信ブロック・サイズと同一であり、Ｃは２６以下の非負整数であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【００２１】
第２の態様を参照して、第４の可能な実装形態では、第１のＴＢＳインデックスを、第１のＣＱＩテーブル、第１のＰＲＢ量、第１のＴＢＳテーブル、および受信した第１のＣＱＩインデックスに従って決定するステップは、第１のＣＱＩテーブルおよび受信した第１のＣＱＩインデックスに従って、受信した第１のＣＱＩインデックスに対応する第１の変調方式および第１のスペクトル効率を決定するステップと、第１のＰＲＢ量および第１のスペクトル効率に従って、端末装置に送信された第１の送信ブロック・サイズを学習するステップと、第１のＴＢＳテーブル内にあり第１の送信ブロック・サイズおよび第１のＰＲＢ量に対応する第１のＴＢＳインデックスに従って、第１のＴＢＳテーブルを取得するステップとを含む。
【００２２】
第２、第３、および第４の可能な実装形態の何れか１つを参照して、第５の可能な実装形態では、第１のＴＢＳテーブルはＴＢＳインデックスＹ１を含み、ＰＲＢ量ごとに、ＴＢＳインデックスＹ１に対応する送信ブロック・サイズは、第２のＴＢＳテーブルにおけるＴＢＳインデックス２５に対応する送信ブロック・サイズより大きく、第２のＴＢＳテーブルにおけるＴＢＳインデックス２６に対応する送信ブロック・サイズより小さく、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【００２３】
第２、第３、および第４の可能な実装形態の何れか１つを参照して、第６の可能な実装形態では、第１のＴＢＳテーブルは、ＴＢＳインデックスＹ２および以下の表ＡにおけるＴＢＳインデックスＹ２に対応するエントリのうち少なくとも１つを含む。任意の１つのエントリは、１つのＰＲＢ量および当該ＰＲＢ量に対応する１つの送信ブロック・サイズを含む。
【００２４】
【表１】
2020053973.tif 000003
【００２５】
かつ／または、第１のＴＢＳテーブルはＴＢＳインデックスＹ３および以下の表Ｂ１、Ｂ２、Ｂ３、またはＢ４におけるＴＢＳインデックスＹ３に対応する少なくとも１つのエントリを含む。任意の１つのエントリは、１つのＰＲＢ量および当該ＰＲＢ量に対応する１つの送信ブロック・サイズを含む。
【００２６】
【表２】
2020053973.tif 000004
【００２７】
【表３】
2020053973.tif 000005
【００２８】
【表４】
2020053973.tif 000006
【００２９】
【表５】
2020053973.tif 000007
【００３０】
かつ／または、第１のＴＢＳテーブルはＴＢＳインデックスＹ４＿１乃至Ｙ４＿５および以下の表Ｃ１またはＣ２におけるＴＢＳインデックスＹ４＿１乃至Ｙ４＿５に対応する少なくとも１つのエントリを含む。任意の１つのエントリは、１つのＰＲＢ量および当該ＰＲＢ量に対応する５つの送信ブロック・サイズを含む。
【００３１】
【表６】
2020053973.tif 000008
2020053973.tif 000009
2020053973.tif 000010
【００３２】
【表７】
2020053973.tif 000011
2020053973.tif 000012
2020053973.tif 000013
【００３３】
第１乃至第６の可能な実装形態の何れか１つを参照して、第７の可能な実装形態では、第２のＣＱＩテーブル内にあり変調方式がＱＰＳＫである少なくとも１つのエントリは、第２のＣＱＩテーブル内にあり変調方式がＱＰＳＫであるエントリの一部であって、当該エントリの一部に対応する連続するＣＱＩインデックスの差分は同一である、エントリの一部、または、第２のＣＱＩテーブル内にあり変調方式がＱＰＳＫであるエントリの一部であって、当該エントリの一部に対応する連続するＣＱＩインデックスの差分は同一ではない、エントリの一部、または、第２のＣＱＩテーブル内にあり変調方式がＱＰＳＫであるエントリの一部であって、当該エントリの一部に対応するＣＱＩインデックスは不連続であり、当該エントリの一部は、対応するＣＱＩインデックスが、第２のＣＱＩテーブル内にあり変調方式がＱＰＳＫである全てのエントリのうち最大のものであるエントリと異なる少なくとも１つのエントリである、エントリの一部、または、第２のＣＱＩテーブル内にあり変調方式がＱＰＳＫであるエントリの一部であって、当該エントリの一部に対応するＣＱＩインデックスは連続であり、当該エントリの一部は、対応するＣＱＩインデックスが当該ＣＱＩテーブル内にあり変調方式がＱＰＳＫである全てのエントリのうち最大であるエントリと異なる少なくとも１つのエントリである、エントリの一部を含む。
【００３４】
第１乃至第６の可能な実装形態の何れか１つを参照して、第８の可能な実装形態では、第２のＣＱＩテーブル内にあり変調方式が１６ＱＡＭである少なくとも１つのエントリは、第２のＣＱＩテーブル内にあり変調方式が１６ＱＡＭである全てのエントリ、または、対応するＣＱＩインデックスが第２のＣＱＩテーブル内にあり変調方式が１６ＱＡＭである全てのエントリのうち最小であるエントリと異なる少なくとも１つのエントリを含む。
【００３５】
第１乃至第８の可能な実装形態の何れか１つを参照して、第９の可能な実装形態では、第１のＣＱＩテーブルはさらに、第２のＣＱＩテーブル内にあり変調方式が６４ＱＡＭである少なくとも１つのエントリを含む。
【００３６】
第９の可能な実装形態を参照して、第１０の可能な実装形態では、変調方式が６４ＱＡＭである少なくとも１つのエントリは、第２のＣＱＩテーブル内にあり変調方式が６４ＱＡＭである全てのエントリ、または、第２のＣＱＩテーブル内にあり変調方式が６４ＱＡＭであるエントリの一部であって、当該エントリの一部は、対応するＣＱＩインデックスが第２のＣＱＩテーブル内にあり変調方式が６４ＱＡＭである全てのエントリのうち最大であるエントリと異なる少なくとも１つのエントリである、エントリの一部を含む。
【００３７】
第１乃至第１０の可能な実装形態の何れか１つを参照して、第１１の可能な実装形態では、対応するＣＱＩインデックスが第１のＣＱＩテーブル内にあり変調方式が６４ＱＡＭよりも高いエントリのうち最小であるエントリのスペクトル効率は、対応するＣＱＩインデックスが第２のＣＱＩテーブル内にあり変調方式が６４ＱＡＭである全てのエントリのうち最大であるエントリのスペクトル効率に等しいか、または、対応するＣＱＩインデックスが変調方式が６４ＱＡＭよりも高いエントリのうち最小のものであるＴ個のエントリのスペクトル効率は、対応するＣＱＩインデックスが、第２のＣＱＩテーブル内にあり変調方式が６４ＱＡＭである全てのエントリのうち最大のものであるＴ個のエントリのスペクトル効率に等しいかまたはほぼ等しく、Ｔは１乃至５のうち何れか１つの自然数に等しい。
【００３８】
第１乃至第１１の可能な実装形態の何れか１つを参照して、第１２の可能な実装形態では、第１のＣＱＩテーブル内のＣＱＩインデックスの値範囲は第２のＣＱＩテーブル内のＣＱＩインデックスの値範囲と同じである。
【００３９】
第２の態様または第１乃至第４の可能な実装形態の何れか１つを参照して、第１３の可能な実装形態では、第２のＭＣＳテーブル内にあり変調方式がＱＰＳＫである少なくとも１つのエントリは、第２のＭＣＳテーブル内にあり変調方式がＱＰＳＫであるエントリの一部であって、当該エントリの一部に対応する連続するＭＣＳインデックスの差分は同一である、エントリの一部、または、第２のＭＣＳテーブル内にあり変調方式がＱＰＳＫであるエントリの一部であって、当該エントリの一部に対応する連続するＭＣＳインデックスの差分は同一ではない、エントリの一部、または、第２のＭＣＳテーブル内にあり変調方式がＱＰＳＫであるエントリの一部であって、当該エントリの一部に対応するＭＣＳインデックスは不連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部、または、第２のＭＣＳテーブル内にあり変調方式がＱＰＳＫであるエントリの一部であって、当該エントリの一部に対応するＭＣＳインデックスは連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部を含む。
【００４０】
第１乃至第４の可能な実装形態の何れか１つを参照して、第１４の可能な実装形態では、第２のＭＣＳテーブル内にあり変調方式が１６ＱＡＭである少なくとも１つのエントリは、第２のＭＣＳテーブル内にあり変調方式が１６ＱＡＭである全てのエントリ、または、第２のＭＣＳテーブル内にあり変調方式が１６ＱＡＭであるエントリの一部であって、当該エントリの一部に対応する連続するＭＣＳインデックスの差分は同一である、エントリの一部、または、第２のＭＣＳテーブル内にあり変調方式が１６ＱＡＭであるエントリの一部であって、当該エントリの一部に対応する連続するＭＣＳインデックスの差分は同一ではない、エントリの一部、または、第２のＭＣＳテーブル内にあり変調方式が１６ＱＡＭであるエントリの一部であって、当該エントリの一部に対応するＭＣＳインデックスは不連続であり、当該エントリの一部は、第２のＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部に対応するＭＣＳインデックスは連続であり、当該エントリの一部は、ＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部は、各ＭＣＳインデックスが、第２のＭＣＳテーブル内にあり変調方式が１６ＱＡＭである全てのエントリのうち最大または最小であるエントリと異なる少なくとも１つのエントリである、エントリの一部を含む。
【００４１】
第２の態様または第１乃至第４、第１３、および第１４の可能な実装形態の何れか１つを参照して、第１５の可能な実装形態では、第１のＭＣＳテーブルはさらに、第２のＭＣＳテーブル内にあり変調方式が６４ＱＡＭである少なくとも１つのエントリを含む。
【００４２】
第１５の可能な実装形態を参照して、第１６の可能な実装形態では、第２のＭＣＳテーブル内にあり変調方式が６４ＱＡＭである少なくとも１つのエントリは、第２のＭＣＳテーブル内にあり変調方式が６４ＱＡＭである全てのエントリ、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最小であるエントリと異なる少なくとも１つのエントリである、エントリの一部、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最大であるエントリと異なる少なくとも１つのエントリである、エントリの一部を含む。
【００４３】
第１５または第１６の可能な実装形態を参照して、第１７の可能な実装形態では、対応するＭＣＳインデックスが、第１のＭＣＳテーブル内にあり変調方式が６４ＱＡＭよりも高い全てのエントリのうち最小であるエントリのＴＢＳインデックスは、ＭＣＳインデックスが、第２のＭＣＳテーブル内にあり変調方式が６４ＱＡＭである全てのエントリのうち最大であるエントリのＴＢＳインデックスと同じであり、または、対応するＭＣＳインデックスが、第１のＭＣＳテーブル内にあり変調方式が６４ＱＡＭよりも高いエントリのうち最小のものであるＲ個のエントリのＴＢＳインデックスは、ＭＣＳインデックスが、第２のＭＣＳテーブル内にあり変調方式が６４ＱＡＭでありＭＣＳインデックスは２７より大きくない全てのエントリのうち最大のものであるＲ個のエントリのＴＢＳインデックスと等しく、Ｒは自然数である。
【００４４】
第２の態様または第１乃至第４、および第１３乃至第１７の可能な実装形態の何れか１つを参照して、第１８の可能な実装形態では、第１のＭＣＳテーブル内のＭＣＳインデックスの値範囲は第２のＭＣＳテーブル内のＭＣＳインデックスの値範囲と同じである。
【００４５】
第２の態様または第１乃至第４、第６、および第１３乃至第１８の可能な実装形態の何れか１つを参照して、第１９の可能な実装形態では、第１のＭＣＳテーブルはさらに、以下の表Ｄ１、Ｄ２、Ｄ３、Ｄ４、またはＤ５における少なくとも１つのエントリを含み、任意の１つのエントリは１つのＭＣＳインデックス、および当該１つのＭＣＳインデックスに対応する変調順序およびＴＢＳインデックスを含む。
【００４６】
【表８】
2020053973.tif 000014
【００４７】
【表９】
2020053973.tif 000015
【００４８】
【表１０】
2020053973.tif 000016
【００４９】
【表１１】
2020053973.tif 000017
【００５０】
【表１２】
2020053973.tif 000018
【００５１】
第３の態様によれば、ＭＣＳ通知方法が提供される。当該方法は、基地局により送信された第１のＭＣＳインデックスを受信するステップであって、第１のＭＣＳインデックスは第１のＭＣＳテーブルに従って基地局により決定される、ステップと、第１のＭＣＳテーブルおよび受信した第１のＭＣＳインデックスに従って変調順序および符号ブロック・サイズを決定するステップと、を含み、第１のＭＣＳテーブルは、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは第２のＭＣＳテーブル内にあり変調方式がＱＰＳＫである少なくとも１つのエントリによって形成された、第１の組合せと異なる組合せを含み、第１の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含み、第２のＭＣＳテーブル内の変調方式はＱＰＳＫ、１６ＱＡＭ、および６４ＱＡＭのみを含む。
【００５２】
第３の態様を参照して、第１の可能な実装形態では、第１のＭＣＳテーブルおよび受信した第１のＭＣＳインデックスに従って変調順序および符号ブロック・サイズを決定するステップは、第１のＭＣＳテーブルおよび受信した第１のＭＣＳインデックスに従って、第１のＴＢＳインデックスおよび当該変調順序を決定するステップと、第１のＴＢＳインデックス、第１のＰＲＢ量、および第１のＴＢＳテーブルに従って当該符号ブロック・サイズを決定するステップとを含み、第１のＰＲＢ量は基地局により端末装置に割り当てられたＰＲＢ量であるか、または、第１のＰＲＢ量は端末装置に割り当てられた当該ＰＲＢ量と特定の係数の積以下の最大の整数であり、第１のＴＢＳテーブルは各ＴＢＳインデックスに対応する少なくとも１つのＰＲＢ量および各ＰＲＢ量に対応する送信ブロック・サイズを含み、第１のＴＢＳテーブルは第１のＭＣＳテーブルに対応するＴＢＳテーブルである。
【００５３】
第１の可能な実装形態を参照して、第２の可能な実装形態では、第１のＴＢＳテーブル内のＴＢＳインデックスの値範囲は０乃至Ａであり、Ａは２６以下の正の整数であり、または第１のＴＢＳテーブル内のＴＢＳインデックスの値範囲は０乃至Ｂであり、Ｂは２６以上の正の整数であり、第１のＴＢＳテーブル内のＴＢＳインデックス０乃至Ｃに対応する送信ブロック・サイズは第２のＴＢＳテーブル内のＴＢＳインデックス０乃至Ｃに対応する送信ブロック・サイズと同一であり、Ｃは２６以下の非負整数であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【００５４】
第１または第２の可能な実装形態を参照して、第３の可能な実装形態では、第１のＴＢＳテーブルはＴＢＳインデックスＹ１を含み、ＰＲＢ量ごとに、ＴＢＳインデックスＹ１に対応する送信ブロック・サイズは、第２のＴＢＳテーブルにおけるＴＢＳインデックス２５に対応する送信ブロック・サイズより大きく、第２のＴＢＳテーブルにおけるＴＢＳインデックス２６に対応する送信ブロック・サイズより小さく、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【００５５】
第１または第２の可能な実装形態を参照して、第４の可能な実装形態では、第１のＴＢＳテーブルはＴＢＳインデックスＹ２および以下の表ＡにおけるＴＢＳインデックスＹ２に対応するエントリのうち少なくとも１つを含む。任意の１つのエントリは、１つのＰＲＢ量および当該ＰＲＢ量に対応する１つの送信ブロック・サイズを含む。
【００５６】
【表１３】
2020053973.tif 000019
【００５７】
かつ／または、第１のＴＢＳテーブルはＴＢＳインデックスＹ３および以下の表Ｂ１、Ｂ２、Ｂ３、またはＢ４におけるＴＢＳインデックスＹ３に対応する少なくとも１つのエントリを含む。任意の１つのエントリは、１つのＰＲＢ量および当該ＰＲＢ量に対応する１つの送信ブロック・サイズを含む。
【００５８】
【表１４】
2020053973.tif 000020
【００５９】
【表１５】
2020053973.tif 000021
【００６０】
【表１６】
2020053973.tif 000022
【００６１】
【表１７】
2020053973.tif 000023
【００６２】
かつ／または、第１のＴＢＳテーブルはＴＢＳインデックスＹ４＿１乃至Ｙ４＿５および以下の表Ｃ１またはＣ２におけるＴＢＳインデックスＹ４＿１乃至Ｙ４＿５に対応する少なくとも１つのエントリを含む。任意の１つのエントリは、１つのＰＲＢ量および当該ＰＲＢ量に対応する５つの送信ブロック・サイズを含む。
【００６３】
【表１８】
2020053973.tif 000024
2020053973.tif 000025
2020053973.tif 000026
【００６４】
【表１９】
2020053973.tif 000027
2020053973.tif 000028
2020053973.tif 000029
【００６５】
第３の態様または第１および第２の可能な実装形態の何れか１つを参照して、第５の可能な実装形態では、第２のＭＣＳテーブル内にあり変調方式がＱＰＳＫである少なくとも１つのエントリは、第２のＭＣＳテーブル内にあり変調方式がＱＰＳＫであるエントリの一部であって、当該エントリの一部に対応する連続するＭＣＳインデックスの差分は同一である、エントリの一部、または、第２のＭＣＳテーブル内にあり変調方式がＱＰＳＫであるエントリの一部であって、当該エントリの一部に対応する連続するＭＣＳインデックスの差分は同一ではない、エントリの一部、または、第２のＭＣＳテーブル内にあり変調方式が当該ＱＰＳＫであるエントリの一部であって、当該エントリの一部に対応するＭＣＳインデックスは不連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部、または、第２のＭＣＳテーブル内にあり変調方式がＱＰＳＫであるエントリの一部であって、当該エントリの一部に対応するＭＣＳインデックスは連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部を含む。
【００６６】
第３の態様または第１および第２の可能な実装形態の何れか１つを参照して、第６の可能な実装形態では、第２のＭＣＳテーブル内にあり変調方式が１６ＱＡＭである少なくとも１つのエントリは、第２のＭＣＳテーブル内にあり変調方式が１６ＱＡＭである全てのエントリ、または、第２のＭＣＳテーブル内にあり変調方式が１６ＱＡＭであるエントリの一部であって、当該エントリの一部に対応する連続するＭＣＳインデックスの差分は同一である、エントリの一部、または、第２のＭＣＳテーブル内にあり変調方式が１６ＱＡＭであるエントリの一部であって、当該エントリの一部に対応する連続するＭＣＳインデックスの差分は同一ではない、エントリの一部、または、第２のＭＣＳテーブル内にあり変調方式が１６ＱＡＭであるエントリの一部であって、当該エントリの一部に対応するＭＣＳインデックスは不連続であり、当該エントリの一部は、第２のＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部に対応するＭＣＳインデックスは連続であり、当該エントリの一部は、ＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部は、各ＭＣＳインデックスが、第２のＭＣＳテーブル内にあり変調方式が１６ＱＡＭである全てのエントリのうち最大または最小であるエントリと異なる少なくとも１つのエントリである、エントリの一部を含む。
【００６７】
第３の態様または以上の６つの可能な実装形態の何れか１つを参照して、第７の可能な実装形態では、第１のＭＣＳテーブルはさらに、第２のＭＣＳテーブル内にあり変調方式が６４ＱＡＭである少なくとも１つのエントリを含む。
【００６８】
第７の可能な実装形態を参照して、第８の可能な実装形態では、第２のＭＣＳテーブル内にあり変調方式が６４ＱＡＭである少なくとも１つのエントリは、第２のＭＣＳテーブル内にあり変調方式が６４ＱＡＭである全てのエントリ、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最小であるエントリと異なる少なくとも１つのエントリである、エントリの一部、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最大であるエントリと異なる少なくとも１つのエントリである、エントリの一部を含む。
【００６９】
第７または第８の可能な実装形態を参照して、第９の可能な実装形態では、変調方式が６４ＱＡＭであり第２のＭＣＳテーブル内にある少なくとも１つのエントリは、ＭＣＳインデックスが、第２のＭＣＳテーブル内にあり変調方式が６４ＱＡＭである全てのエントリのうち最大であるエントリのＴＢＳインデックスと同じである、対応するＭＣＳインデックスが、第１のＭＣＳテーブル内にあり変調方式が６４ＱＡＭよりも高い全てのエントリのうち最小であるエントリのＴＢＳインデックス、または、ＭＣＳインデックスが、第２のＭＣＳテーブル内にあり変調方式が６４ＱＡＭでありＭＣＳインデックスは２７より大きくない全てのエントリのうち最大のものであるＲ個のエントリのＴＢＳインデックスに等しくてもよい、対応するＭＣＳインデックスが、第１のＭＣＳテーブル内にあり変調方式が６４ＱＡＭよりも高いエントリのうち最小のものであるＲ個のエントリのＴＢＳインデックスを含む。Ｒは自然数である。
【００７０】
第３の態様または以上の９個の可能な実装形態の何れか１つを参照して、第１０の可能な実装形態では、第１のＭＣＳテーブル内のＭＣＳインデックスの値範囲は第２のＭＣＳテーブル内のＭＣＳインデックスの値範囲と同じである。
【００７１】
第３の態様または以上の１０個の可能な実装形態の何れか１つを参照して、第１１の可能な実装形態では、第１のＭＣＳテーブルはさらに、以下の表Ｄ１、表Ｄ２、表Ｄ３、表Ｄ４、または表Ｄ５における少なくとも１つのエントリを含む。任意の１つのエントリは１つのＭＣＳインデックス、および当該１つのＭＣＳインデックスに対応する変調順序およびＴＢＳインデックスを含む。
【００７２】
【表２０】
2020053973.tif 000030
【００７３】
【表２１】
2020053973.tif 000031
【００７４】
【表２２】
2020053973.tif 000032
【００７５】
【表２３】
2020053973.tif 000033
【００７６】
【表２４】
2020053973.tif 000034
【００７７】
第４の態様によれば、ＣＱＩ通知装置が提供される。当該装置は、第１のＣＱＩテーブルを取得するように構成された取得モジュールと、当該取得モジュールにより取得された第１のＣＱＩテーブルに従って第１のＣＱＩインデックスを学習するように構成された第１の取得モジュールと、基地局が第１のＣＱＩインデックスに従って第１の変調符号化方式ＭＣＳインデックスを決定するように、第１の取得モジュールにより取得された第１のＣＱＩインデックスを基地局に送信するように構成された送信モジュールとを備え、当該取得モジュールにより取得された第１のＣＱＩテーブルは、変調方式が６４直角位相振幅変調ＱＡＭより高いエントリと、第２のＣＱＩテーブル内にあり変調方式が４相位相偏移変調ＱＰＳＫである少なくとも１つのエントリであって、変調方式がＱＰＳＫである少なくとも１つのエントリは、第２のＣＱＩテーブル内にあり変調方式がＱＰＳＫである少なくとも１つのエントリにより形成された第１の組合せとは異なる組合せを含み、第１の組合せは、第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または第２のＣＱＩテーブル内にあり変調方式が１６ＱＡＭである少なくとも１つのエントリとを含み、第２のＣＱＩテーブル内のエントリの変調方式はＱＰＳＫ、１６ＱＡＭ、および６４ＱＡＭのみを含む。
【００７８】
第４の態様を参照して、第１の可能な実装形態では、変調方式がＱＰＳＫである少なくとも１つのエントリは、当該取得モジュールにより取得された第１のＣＱＩテーブルにおいて、第２のＣＱＩテーブル内にあり変調方式がＱＰＳＫであるエントリの一部であって、当該エントリの一部に対応する連続するＣＱＩインデックスの差分は同一である、エントリの一部、または、第２のＣＱＩテーブル内にあり変調方式がＱＰＳＫであるエントリの一部であって、当該エントリの一部に対応する連続するＣＱＩインデックスの差分は同一ではない、エントリの一部、または、第２のＣＱＩテーブル内にあり変調方式がＱＰＳＫであるエントリの一部であって、当該エントリの一部に対応するＣＱＩインデックスは不連続であり、当該エントリの一部は、対応するＣＱＩインデックスが、第２のＣＱＩテーブル内にあり変調方式がＱＰＳＫである全てのエントリのうち最大のものであるエントリと異なる少なくとも１つのエントリである、エントリの一部、または、第２のＣＱＩテーブル内にあり変調方式がＱＰＳＫであるエントリの一部であって、当該エントリの一部に対応するＣＱＩインデックスは連続であり、当該エントリの一部は、対応するＣＱＩインデックスが、第２のＣＱＩテーブル内にあり変調方式がＱＰＳＫである全てのエントリのうち最大のものであるエントリと異なる少なくとも１つのエントリである、エントリの一部を含む。
【００７９】
第４の態様を参照して、第２の可能な実装形態では、変調方式が１６ＱＡＭである少なくとも１つのエントリは、当該取得モジュールにより取得された第１のＣＱＩテーブルにおいて、第２のＣＱＩテーブル内にあり変調方式が１６ＱＡＭである全てのエントリ、または、対応するＣＱＩインデックスが第２のＣＱＩテーブル内にあり変調方式が１６ＱＡＭである全てのエントリのうち最小であるエントリと異なる少なくとも１つのエントリを含む。
【００８０】
第４の態様または以上の２つの可能な実装形態の何れか１つを参照して、第３の可能な実装形態では、当該取得モジュールにより取得された第１のＣＱＩテーブルはさらに、第２のＣＱＩテーブル内にあり変調方式が６４ＱＡＭである少なくとも１つのエントリを含む。
【００８１】
第３の可能な実装形態を参照して、第４の可能な実装形態では、変調方式が６４ＱＡＭである少なくとも１つのエントリは、第２のＣＱＩテーブル内にあり変調方式が６４ＱＡＭである全てのエントリ、または、第２のＣＱＩテーブル内にあり変調方式が６４ＱＡＭであるエントリの一部であって、当該エントリの一部は、対応するＣＱＩインデックスが第２のＣＱＩテーブル内にあり変調方式が６４ＱＡＭである全てのエントリのうち最大であるエントリと異なる少なくとも１つのエントリである、エントリの一部を含む。
【００８２】
第４の態様を参照して、第５の可能な実装形態では、対応するＣＱＩインデックスが、当該取得モジュールにより取得された第１のＣＱＩテーブル内にあり変調方式が６４ＱＡＭよりも高いエントリのうち最小であるエントリのスペクトル効率は、対応するＣＱＩインデックスが第２のＣＱＩテーブル内にあり変調方式が６４ＱＡＭである全てのエントリのうち最大であるエントリのスペクトル効率に等しいか、または、対応するＣＱＩインデックスが第１のＣＱＩテーブル内にあり変調方式が６４ＱＡＭよりも高いエントリのうち最小のものであるＴ個のエントリのスペクトル効率は、対応するＣＱＩインデックスが、第２のＣＱＩテーブル内にあり変調方式が６４ＱＡＭである全てのエントリのうち最大のものであるＴ個のエントリのスペクトル効率に等しいかまたはほぼ等しく、Ｔは１乃至５のうち何れか１つの自然数に等しい。
【００８３】
第４の態様を参照して、第６の可能な実装形態では、対応するＣＱＩインデックスが第１のＣＱＩテーブル内にあり変調方式が６４ＱＡＭよりも高いエントリのうち最大であるエントリのスペクトル効率は、対応するＣＱＩインデックスが第２のＣＱＩテーブル内にあり変調方式が６４ＱＡＭである全てのエントリのうち最大であるエントリのスペクトル効率に４／３を掛けたもの、１より小さい正の実数である端末の最大符号化率に８を掛けたもの、または、７．４０６３、または、７．４３２である。
【００８４】
第４の態様を参照して、第７の可能な実装形態では、第１のＣＱＩテーブル内にありＣＱＩインデックスが最大のものであるＸ個のエントリのスペクトル効率は昇順で配置されたスペクトル効率の算術数列または略算術数列であり、第１のＣＱＩテーブル内にありＣＱＩインデックスが最大のものであるＸ個のエントリのスペクトル効率が昇順で配置されたスペクトル効率の算術数列であることは、当該スペクトル効率の昇順で配置された当該Ｘ個のエントリ内の２番目のエントリから開始して、各エントリのスペクトル効率と夫々の先行エントリのスペクトル効率の差分が同一の定数に等しいことを示し、第１のＣＱＩテーブル内にありＣＱＩインデックスが最大のものであるＸ個のエントリのスペクトル効率が昇順で配置されたスペクトル効率の略算術数列であるとは、当該スペクトル効率の昇順で配置された当該Ｘ個のエントリ内の２番目のエントリから開始して、各エントリのスペクトル効率と夫々の先行エントリのスペクトル効率の差分は、定数から事前設定値を引いたものから当該定数に当該事前設定値を足したものまでの範囲内にあることを示し、Ｘは２より大きい整数であり、対応するＣＱＩインデックスが第１のＣＱＩテーブル内にあり当該ＣＱＩインデックスが最大のものである当該Ｘ個のエントリのうち最小であるエントリのスペクトル効率は、対応するＣＱＩインデックスが第２のＣＱＩテーブル内にあり変調方式が６４ＱＡＭである全てのエントリのうち最大であるエントリのスペクトル効率に等しく、対応するＣＱＩインデックスが第１のＣＱＩテーブル内にあり当該ＣＱＩインデックスが最大のものである当該Ｘ個のエントリのうち最大であるエントリのスペクトル効率は、当該対応するＣＱＩインデックスが、第２のＣＱＩテーブル内にあり変調方式が６４ＱＡＭである全てのエントリのうち最大であるエントリのスペクトル効率に４／３を掛けたもの、または、１より小さい正の実数である端末の最大符号化率に８を掛けたもの、または、７．４０６３、または、７．４３２である。
【００８５】
第４の態様または第１および第２、第６、および第７の可能な実装形態の何れか１つを参照して、第８の可能な実装形態では、第１のＣＱＩテーブル内にあり変調方式が６４ＱＡＭよりも高いエントリのスペクトル効率は以下の数値群のうち少なくとも１つを含む。
{5.5547  6.1805  6.8062  7.432},
{6.1805  6.8062  7.432},
{5.5547  6.1797  6.8047  7.4297},
{6.1797  6.8047  7.4297},
{5.5547  6.1719  6.7891  7.4063},
{6.1719  6.7891  7.4063},
{5.5547  6.4934  7.432},
{6.4934  7.432},
{5.5547  6.4922  7.4297},
{6.4922  7.4297},
{5.5547  6.4805  7.4063},
{6.4805  7.4063},
{5.5547  6.4844  7.4063},
{6.4844  7.4063},
{5.5547  6.0240  6.4934  6.9627  7.432},
{6.0234  6.4922  6.9609  7.4297},
{5.5547  6.0234  6.4922  6.9609  7.4297},
{6.0176  6.4805  6.9434  7.4063},
{5.5547  6.0176  6.4805  6.9434  7.4063},
{6.0176  6.4805  6.9434  7.4063},
{5.5547  6.0156  6.4844  6.9453  7.4063},
{6.0156  6.4844  6.9453  7.4063},
{5.5547  5.9302  6.3056  6.6811  7.0565  7.432},
{5.9302  6.3056  6.6811  7.0565  7.432},
{5.5547  5.9297  6.3047  6.6797  7.0547  7.4297},
{5.9297  6.3047  6.6797  7.0547  7.4297},
{5.5547  5.9250  6.2953  6.6656  7.0360  7.4063},
{5.9250  6.2953  6.6656  7.0360  7.4063},
{5.5547  5.9219  6.2969  6.6641  7.0391  7.4063}, および
{5.9219  6.2969  6.6641  7.0391  7.4063}
【００８６】
第４の態様を参照して、第９の可能な実装形態では、当該取得モジュールにより取得された第１のＣＱＩテーブル内のＣＱＩインデックスの値範囲は第２のＣＱＩテーブル内のＣＱＩインデックスの値範囲と同じである。
【００８７】
第５の態様によれば、ＭＣＳ通知装置が提供される。当該装置は、第１のＣＱＩテーブルおよび第１のＭＣＳテーブルを取得するように構成された取得モジュールと、端末装置により送信された第１のチャネル品質指標ＣＱＩインデックスを受信するように構成された受信モジュールであって、第１のＣＱＩインデックスは第１のＣＱＩテーブルに従って端末装置により決定される、受信モジュールと、当該取得モジュールにより取得された第１のＣＱＩテーブル、当該取得モジュールにより取得された第１のＭＣＳテーブル、および当該受信モジュールにより受信された第１のＣＱＩインデックスに従って第１のＭＣＳインデックスを決定するように構成された決定モジュールと、決定された第１のＭＣＳインデックスを端末装置に送信するように構成された送信モジュールとを備え、当該取得モジュールにより取得された第１のＣＱＩテーブルは変調方式が６４ＱＡＭよりも高いエントリを含み、当該取得モジュールにより取得された第１のＭＣＳテーブルは、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは、第２のＭＣＳテーブル内にあり変調方式がＱＰＳＫである少なくとも１つのエントリにより形成された、第２の組合せと異なる組合せを含み、第２の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含み、第２のＭＣＳテーブル内の変調方式はＱＰＳＫ、１６ＱＡＭ、および６４ＱＡＭのみを含む。
【００８８】
第５の態様を参照して、第１の可能な実装形態では、第１のＣＱＩテーブルはさらに、第２のＣＱＩテーブル内にあり変調方式がＱＰＳＫである少なくとも１つのエントリであって、変調方式がＱＰＳＫである少なくとも１つのエントリは、第２のＣＱＩテーブル内にあり変調方式がＱＰＳＫである少なくとも１つのエントリにより形成された第１の組合せとは異なる組合せを含み、第１の組合せは、第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または第２のＣＱＩテーブル内にあり変調方式が１６ＱＡＭである少なくとも１つのエントリとを含み、第２のＣＱＩテーブル内の変調方式はＱＰＳＫ、１６ＱＡＭ、および６４ＱＡＭのみを含む。
【００８９】
第５の態様または第１の可能な実装形態を参照して、第２の可能な実装形態では、当該決定モジュールは特に、取得した第１のＰＲＢ量、当該取得モジュールにより取得された第１のＣＱＩテーブル、当該取得モジュールにより取得された第１のＭＣＳテーブル、第１のＴＢＳテーブル、および受信した第１のＣＱＩインデックスに従って、第１のＴＢＳインデックスおよび第１のＭＣＳインデックスを決定するように構成され、第１のＰＲＢ量は基地局により端末装置に割り当てられたＰＲＢ量であるか、または、第１のＰＲＢ量は端末装置に割り当てられた当該ＰＲＢ量と特定の係数の積以下の最大の整数であり、第１のＴＢＳテーブルは各ＴＢＳインデックスに対応する少なくとも１つのＰＲＢ量および各ＰＲＢ量に対応する送信ブロック・サイズを含み、第１のＴＢＳテーブルは第１のＭＣＳテーブルに対応するＴＢＳテーブルである。
【００９０】
第２の可能な実装形態を参照して、第３の可能な実装形態では、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブル内のＴＢＳインデックス０乃至Ｃに対応する送信ブロック・サイズは第２のＴＢＳテーブル内のＴＢＳインデックス０乃至Ｃに対応する送信ブロック・サイズと同一であり、Ｃは２６以下の非負整数であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【００９１】
第２の可能な実装形態を参照して、第４の可能な実装形態では、当該決定モジュールは、当該取得モジュールにより取得された第１のＣＱＩテーブルおよび受信した第１のＣＱＩインデックスに従って、受信した第１のＣＱＩインデックスに対応する第１の変調方式および第１のスペクトル効率を決定するように構成された第１の決定サブモジュールと、当該取得された第１のＰＲＢ量および第１の決定サブモジュールにより決定された第１のスペクトル効率に従って、端末装置に送信された第１の送信ブロック・サイズを学習し、第１のＴＢＳテーブル内にあり第１の送信ブロック・サイズおよび第１のＰＲＢ量に対応する第１のＴＢＳインデックスに従って、第１のＴＢＳテーブルを取得するように構成された第２の決定サブモジュールとを備える。
【００９２】
第２乃至第４の可能な実装形態の何れか１つを参照して、第５の可能な実装形態では、第１のＴＢＳテーブルはＴＢＳインデックスＹ１を含み、ＰＲＢ量ごとに、ＴＢＳインデックスＹ１に対応する送信ブロック・サイズは、第２のＴＢＳテーブルにおけるＴＢＳインデックス２５に対応する送信ブロック・サイズより大きく、第２のＴＢＳテーブルにおけるＴＢＳインデックス２６に対応する送信ブロック・サイズより小さく、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【００９３】
第２乃至第４の可能な実装形態の何れか１つを参照して、第６の可能な実装形態では、第１のＴＢＳテーブルはＴＢＳインデックスＹ２および以下の表ＡにおけるＴＢＳインデックスＹ２に対応するエントリのうち少なくとも１つを含む。任意の１つのエントリは、１つのＰＲＢ量および当該ＰＲＢ量に対応する１つの送信ブロック・サイズを含む。
【００９４】
【表２５】
2020053973.tif 000035
2020053973.tif 000036
【００９５】
かつ／または、第１のＴＢＳテーブルはＴＢＳインデックスＹ３および以下の表Ｂ１、Ｂ２、Ｂ３、またはＢ４におけるＴＢＳインデックスＹ３に対応する少なくとも１つのエントリを含む。任意の１つのエントリは、１つのＰＲＢ量および当該ＰＲＢ量に対応する１つの送信ブロック・サイズを含む。
【００９６】
【表２６】
2020053973.tif 000037
2020053973.tif 000038
【００９７】
【表２７】
2020053973.tif 000039
【００９８】
【表２８】
2020053973.tif 000040
【００９９】
【表２９】
2020053973.tif 000041
【０１００】
かつ／または、第１のＴＢＳテーブルはＴＢＳインデックスＹ４＿１乃至Ｙ４＿５および以下の表Ｃ１またはＣ２におけるＴＢＳインデックスＹ４＿１乃至Ｙ４＿５に対応する少なくとも１つのエントリを含む。任意の１つのエントリは、１つのＰＲＢ量および当該ＰＲＢ量に対応する５つの送信ブロック・サイズを含む。
【０１０１】
【表３０】
2020053973.tif 000042
2020053973.tif 000043
2020053973.tif 000044
【０１０２】
【表３１】
2020053973.tif 000045
2020053973.tif 000046
2020053973.tif 000047
【０１０３】
以上の６つの可能な実装形態の何れか１つを参照して、第７の可能な実装形態では、第２のＣＱＩテーブル内にあり変調方式がＱＰＳＫである少なくとも１つのエントリは、第２のＣＱＩテーブル内にあり変調方式がＱＰＳＫであるエントリの一部であって、当該エントリの一部に対応する連続するＣＱＩインデックスの差分は同一である、エントリの一部、または、第２のＣＱＩテーブル内にあり変調方式がＱＰＳＫであるエントリの一部であって、当該エントリの一部に対応する連続するＣＱＩインデックスの差分は同一ではない、エントリの一部、または、第２のＣＱＩテーブル内にあり変調方式がＱＰＳＫであるエントリの一部であって、当該エントリの一部に対応するＣＱＩインデックスは不連続であり、当該エントリの一部は、対応するＣＱＩインデックスが、第２のＣＱＩテーブル内にあり変調方式がＱＰＳＫである全てのエントリのうち最大のものであるエントリと異なる少なくとも１つのエントリである、エントリの一部、または、第２のＣＱＩテーブル内にあり変調方式がＱＰＳＫであるエントリの一部であって、当該エントリの一部に対応するＣＱＩインデックスは連続であり、当該エントリの一部は、対応するＣＱＩインデックスが当該ＣＱＩテーブル内にあり変調方式がＱＰＳＫである全てのエントリのうち最大であるエントリと異なる少なくとも１つのエントリである、エントリの一部を含む。
【０１０４】
以上の６つの可能な実装形態の何れか１つを参照して、第８の可能な実装形態では、変調方式が１６ＱＡＭであり第２のＣＱＩテーブル内にある少なくとも１つのエントリは、当該取得モジュールにより取得された第１のＣＱＩテーブルにおいて、第２のＣＱＩテーブル内にあり変調方式が１６ＱＡＭである全てのエントリ、または、対応するＣＱＩインデックスが第２のＣＱＩテーブル内にあり変調方式が１６ＱＡＭである全てのエントリのうち最小であるエントリと異なる少なくとも１つのエントリを含む。
【０１０５】
以上の８つの可能な実装形態の何れか１つを参照して、第９の可能な実装形態では、当該取得モジュールにより取得された第１のＣＱＩテーブルはさらに、第２のＣＱＩテーブル内にあり変調方式が６４ＱＡＭである少なくとも１つのエントリを含む。
【０１０６】
第９の可能な実装形態を参照して、第１０の可能な実装形態では、変調方式が６４ＱＡＭである少なくとも１つのエントリは、第２のＣＱＩテーブル内にあり変調方式が６４ＱＡＭである全てのエントリ、または、第２のＣＱＩテーブル内にあり変調方式が６４ＱＡＭであるエントリの一部であって、当該エントリの一部は、対応するＣＱＩインデックスが第２のＣＱＩテーブル内にあり変調方式が６４ＱＡＭである全てのエントリのうち最大であるエントリと異なる少なくとも１つのエントリである、エントリの一部を含む。
【０１０７】
以上の１０個の可能な実装形態の何れか１つを参照して、第１１の可能な実装形態では、対応するＣＱＩインデックスが、当該取得モジュールにより取得された第１のＣＱＩテーブル内にあり変調方式が６４ＱＡＭよりも高いエントリのうち最小であるエントリのスペクトル効率は、対応するＣＱＩインデックスが第２のＣＱＩテーブル内にあり変調方式が６４ＱＡＭである全てのエントリのうち最大であるエントリのスペクトル効率に等しいか、または、対応するＣＱＩインデックスが第１のＣＱＩテーブル内にあり変調方式が６４ＱＡＭよりも高いエントリのうち最小のものであるＴ個のエントリのスペクトル効率は、対応するＣＱＩインデックスが、第２のＣＱＩテーブル内にあり変調方式が６４ＱＡＭである全てのエントリのうち最大のものであるＴ個のエントリのスペクトル効率に等しいかまたはほぼ等しく、Ｔは１乃至５のうち何れか１つの自然数に等しい。
【０１０８】
以上の１１個の可能な実装形態の何れか１つを参照して、第１２の可能な実装形態では、当該取得モジュールにより取得された第１のＣＱＩテーブル内のＣＱＩインデックスの値範囲は第２のＣＱＩテーブル内のＣＱＩインデックスの値範囲と同じである。
【０１０９】
第５の態様または以上の４つの可能な実装形態の何れか１つを参照して、第１３の可能な実装形態では、変調方式がＱＰＳＫであり第２のＭＣＳテーブル内にある少なくとも１つのエントリは、当該取得モジュールにより取得された第１のＭＣＳテーブルにおいて、第２のＭＣＳテーブル内にあり変調方式がＱＰＳＫであるエントリの一部であって、当該エントリの一部に対応する連続するＭＣＳインデックスの差分は同一である、エントリの一部、または、第２のＭＣＳテーブル内にあり変調方式がＱＰＳＫであるエントリの一部であって、当該エントリの一部に対応する連続するＭＣＳインデックスの差分は同一ではない、エントリの一部、または、第２のＭＣＳテーブル内にあり変調方式がＱＰＳＫであるエントリの一部であって、当該エントリの一部に対応するＭＣＳインデックスは不連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部、または、第２のＭＣＳテーブル内にあり変調方式がＱＰＳＫであるエントリの一部であって、当該エントリの一部に対応するＭＣＳインデックスは連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部を含む。
【０１１０】
第５の態様または以上の４つの可能な実装形態の何れか１つを参照して、第１４の可能な実装形態では、変調方式が１６ＱＡＭであり第２のＭＣＳテーブル内にある少なくとも１つのエントリは、当該取得モジュールにより取得された第１のＣＱＩテーブルにおいて、第２のＭＣＳテーブル内にあり変調方式が１６ＱＡＭである全てのエントリ、または、第２のＭＣＳテーブル内にあり変調方式が１６ＱＡＭであるエントリの一部であって、当該エントリの一部に対応する連続するＭＣＳインデックスの差分は同一である、エントリの一部、または、第２のＭＣＳテーブル内にあり変調方式が１６ＱＡＭであるエントリの一部であって、当該エントリの一部に対応する連続するＭＣＳインデックスの差分は同一ではない、エントリの一部、または、第２のＭＣＳテーブル内にあり変調方式が１６ＱＡＭであるエントリの一部であって、当該エントリの一部に対応するＭＣＳインデックスは不連続であり、当該エントリの一部は、第２のＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部に対応するＭＣＳインデックスは連続であり、当該エントリの一部は、ＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部は、各ＭＣＳインデックスが、第２のＭＣＳテーブル内にあり変調方式が１６ＱＡＭである全てのエントリのうち最大または最小であるエントリと異なる少なくとも１つのエントリである、エントリの一部を含む。
【０１１１】
第５の態様または第１乃至第４、第１３、および第１４の可能な実装形態の何れか１つを参照して、第１５の可能な実装形態では、当該取得モジュールにより取得された第１のＭＣＳテーブルはさらに、第２のＭＣＳテーブル内にあり変調方式が６４ＱＡＭである少なくとも１つのエントリを含む。
【０１１２】
第１５の可能な実装形態を参照して、第１６の可能な実装形態では、変調方式が６４ＱＡＭであり第２のＭＣＳテーブル内にある少なくとも１つのエントリは、当該取得モジュールにより取得された第１のＣＱＩテーブルにおいて、第２のＭＣＳテーブル内にあり変調方式が６４ＱＡＭである全てのエントリ、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最小であるエントリと異なる少なくとも１つのエントリである、エントリの一部、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最大であるエントリと異なる少なくとも１つのエントリである、エントリの一部を含む。
【０１１３】
第１５または第１６の可能な実装形態を参照して、第１７の可能な実装形態では、対応するＭＣＳインデックスが、第１のＭＣＳテーブル内にあり変調方式が６４ＱＡＭよりも高い全てのエントリのうち最小であるエントリのＴＢＳインデックスは、ＭＣＳインデックスが、第２のＭＣＳテーブル内にあり変調方式が６４ＱＡＭである全てのエントリのうち最大であるエントリのＴＢＳインデックスと同じであり、または、対応するＭＣＳインデックスが、第１のＭＣＳテーブル内にあり変調方式が６４ＱＡＭよりも高いエントリのうち最小のものであるＲ個のエントリのＴＢＳインデックスが、ＭＣＳインデックスが、第２のＭＣＳテーブル内にあり変調方式が６４ＱＡＭでありＭＣＳインデックスは２７より大きくない全てのエントリのうち最大のものであるＲ個のエントリのＴＢＳインデックスに等しくてもよく、Ｒは自然数である。
【０１１４】
第５の態様または以上の４つの可能な実装形態および第１３乃至第１７の可能な実装形態の何れか１つを参照して、第１８の可能な実装形態では、当該取得モジュールにより取得された第１のＭＣＳテーブル内のＭＣＳインデックスの値範囲は第２のＭＣＳテーブル内のＭＣＳインデックスの値範囲と同じである。
【０１１５】
第５の態様または以上の４つの可能な実装形態、および第６、および第１３乃至第１８の可能な実装形態の何れか１つを参照して、第１９の可能な実装形態では、第１のＭＣＳテーブルはさらに、以下の表Ｄ１、Ｄ２、Ｄ３、Ｄ４、またはＤ５における少なくとも１つのエントリを含み、任意の１つのエントリは１つのＭＣＳインデックス、および当該１つのＭＣＳインデックスに対応する変調順序およびＴＢＳインデックスを含む。
【０１１６】
【表３２】
2020053973.tif 000048
【０１１７】
【表３３】
2020053973.tif 000049
【０１１８】
【表３４】
2020053973.tif 000050
【０１１９】
【表３５】
2020053973.tif 000051
【０１２０】
【表３６】
2020053973.tif 000052
【０１２１】
第６の態様によれば、ＭＣＳ通知装置が提供される。当該装置は、第１のＭＣＳテーブルを取得するように構成された取得モジュールと、基地局により送信された第１のＭＣＳインデックスを受信するように構成された受信モジュールであって、第１のＭＣＳインデックスは、当該取得モジュールにより取得された第１のＭＣＳテーブルに従って基地局により決定される、受信モジュールと、当該取得モジュールにより取得された第１のＭＣＳテーブルおよび当該受信モジュールにより受信された第１のＭＣＳインデックスに従って変調順序および符号ブロック・サイズを決定するように構成された決定モジュールとを備え、当該取得モジュールにより取得された第１のＭＣＳテーブルは、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは第２のＭＣＳテーブル内にあり変調方式がＱＰＳＫである少なくとも１つのエントリによって形成された、第１の組合せと異なる組合せを含み、第１の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含み、第２のＭＣＳテーブル内の変調方式はＱＰＳＫ、１６ＱＡＭ、および６４ＱＡＭのみを含む。
【０１２２】
第６の態様を参照して、第１の可能な実装形態では、当該決定モジュールは、当該取得モジュールにより取得された第１のＭＣＳテーブルおよび受信した第１のＭＣＳインデックスに従って第１のＴＢＳインデックスおよび変調順序を決定するように構成された第１の決定サブモジュールと、第１のＴＢＳインデックス、第１のＰＲＢ量、および第１のＴＢＳテーブルに従って当該符号ブロック・サイズを決定するように構成された第２の決定サブモジュールとを備え、第１のＰＲＢ量は基地局により端末装置に割り当てられたＰＲＢ量であるか、または、第１のＰＲＢ量は端末装置に割り当てられた当該ＰＲＢ量と特定の係数の積以下の最大の整数であり、第１のＴＢＳテーブルは各ＴＢＳインデックスに対応する少なくとも１つのＰＲＢ量および各ＰＲＢ量に対応する送信ブロック・サイズを含み、第１のＴＢＳテーブルは第１のＭＣＳテーブルに対応するＴＢＳテーブルである。
【０１２３】
第１の可能な実装形態を参照して、第２の可能な実装形態では、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブル内のＴＢＳインデックス０乃至Ｃに対応する送信ブロック・サイズは第２のＴＢＳテーブル内のＴＢＳインデックス０乃至Ｃに対応する送信ブロック・サイズと同一であり、Ｃは２６以下の非負整数であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【０１２４】
第１または第２の可能な実装形態を参照して、第３の可能な実装形態では、第１のＴＢＳテーブルはＴＢＳインデックスＹ１を含み、ＰＲＢ量ごとに、ＴＢＳインデックスＹ１に対応する送信ブロック・サイズは、第２のＴＢＳテーブルにおけるＴＢＳインデックス２５に対応する送信ブロック・サイズより大きく、第２のＴＢＳテーブルにおけるＴＢＳインデックス２６に対応する送信ブロック・サイズより小さく、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【０１２５】
第１または第２の可能な実装形態を参照して、第４の可能な実装形態では、第１のＴＢＳテーブルはＴＢＳインデックスＹ２および以下の表ＡにおけるＴＢＳインデックスＹ２に対応するエントリのうち少なくとも１つを含む。任意の１つのエントリは、１つのＰＲＢ量および当該ＰＲＢ量に対応する１つの送信ブロック・サイズを含む。
【０１２６】
【表３７】
2020053973.tif 000053
【０１２７】
かつ／または、第１のＴＢＳテーブルはＴＢＳインデックスＹ３および以下の表Ｂ１、Ｂ２、Ｂ３、またはＢ４におけるＴＢＳインデックスＹ３に対応する少なくとも１つのエントリを含む。任意の１つのエントリは、１つのＰＲＢ量および当該ＰＲＢ量に対応する１つの送信ブロック・サイズを含む。
【０１２８】
【表３８】
2020053973.tif 000054
【０１２９】
【表３９】
2020053973.tif 000055
【０１３０】
【表４０】
2020053973.tif 000056
【０１３１】
【表４１】
2020053973.tif 000057
【０１３２】
かつ／または、第１のＴＢＳテーブルはＴＢＳインデックスＹ４＿１乃至Ｙ４＿５および以下の表Ｃ１またはＣ２におけるＴＢＳインデックスＹ４＿１乃至Ｙ４＿５に対応する少なくとも１つのエントリを含む。任意の１つのエントリは、１つのＰＲＢ量および当該ＰＲＢ量に対応する５つの送信ブロック・サイズを含む。
【０１３３】
【表４２】
2020053973.tif 000058
2020053973.tif 000059
2020053973.tif 000060
【０１３４】
【表４３】
2020053973.tif 000061
2020053973.tif 000062
2020053973.tif 000063
【０１３５】
第６の態様または以上の２つの可能な実装形態の何れか１つを参照して、第５の可能な実装形態では、第２のＭＣＳテーブル内にあり変調方式がＱＰＳＫである少なくとも１つのエントリは、第２のＭＣＳテーブル内にあり変調方式がＱＰＳＫであるエントリの一部であって、当該エントリの一部に対応する連続するＭＣＳインデックスの差分は同一である、エントリの一部、または、第２のＭＣＳテーブル内にあり変調方式がＱＰＳＫであるエントリの一部であって、当該エントリの一部に対応する連続するＭＣＳインデックスの差分は同一でない、または、第２のＭＣＳテーブル内にあり変調方式がＱＰＳＫであるエントリの一部であって、当該エントリの一部に対応するＭＣＳインデックスは不連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部、または、第２のＭＣＳテーブル内にあり変調方式がＱＰＳＫであるエントリの一部であって、当該エントリの一部に対応するＭＣＳインデックスは連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部を含む。
【０１３６】
第６の態様または以上の２つの可能な実装形態の何れか１つを参照して、第６の可能な実装形態では、第２のＭＣＳテーブル内にあり変調方式が１６ＱＡＭである少なくとも１つのエントリは、第２のＭＣＳテーブル内にあり変調方式が１６ＱＡＭである全てのエントリ、または、第２のＭＣＳテーブル内にあり変調方式が１６ＱＡＭであるエントリの一部であって、当該エントリの一部に対応する連続するＭＣＳインデックスの差分は同一である、エントリの一部、または、第２のＭＣＳテーブル内にあり変調方式が１６ＱＡＭであるエントリの一部であって、当該エントリの一部に対応する連続するＭＣＳインデックスの差分は同一ではない、エントリの一部、または、第２のＭＣＳテーブル内にあり変調方式が１６ＱＡＭであるエントリの一部であって、当該エントリの一部に対応するＭＣＳインデックスは不連続であり、当該エントリの一部は、第２のＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部に対応するＭＣＳインデックスは連続であり、当該エントリの一部は、ＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部は、各ＭＣＳインデックスが、第２のＭＣＳテーブル内にあり変調方式が１６ＱＡＭである全てのエントリのうち最大または最小であるエントリと異なる少なくとも１つのエントリである、エントリの一部を含む。
【０１３７】
第６の態様または以上の６つの可能な実装形態の何れか１つを参照して、第７の可能な実装形態では、当該取得モジュールにより取得された第１のＭＣＳテーブルはさらに、第２のＭＣＳテーブル内にあり変調方式が６４ＱＡＭである少なくとも１つのエントリを含む。
【０１３８】
第７の可能な実装形態を参照して、第８の可能な実装形態では、第２のＭＣＳテーブル内にあり変調方式が６４ＱＡＭである少なくとも１つのエントリは、第２のＭＣＳテーブル内にあり変調方式が６４ＱＡＭである全てのエントリ、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最小であるエントリと異なる少なくとも１つのエントリである、エントリの一部、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最大であるエントリと異なる少なくとも１つのエントリである、エントリの一部を含む。
【０１３９】
第７のまたは第８の可能な実装形態を参照して、第９の可能な実装形態では、対応するＭＣＳインデックスが、第１のＭＣＳテーブル内にあり変調方式が６４ＱＡＭよりも高い全てのエントリのうち最小であるエントリのＴＢＳインデックスは、ＭＣＳインデックスが、第２のＭＣＳテーブル内にあり変調方式が６４ＱＡＭである全てのエントリのうち最大であるエントリのＴＢＳインデックスと同じであり、または、対応するＭＣＳインデックスが、第１のＭＣＳテーブル内にあり変調方式が６４ＱＡＭよりも高いエントリのうち最小のものであるＲ個のエントリのＴＢＳインデックスが、ＭＣＳインデックスが、第２のＭＣＳテーブル内にあり変調方式が６４ＱＡＭでありＭＣＳインデックスは２７より大きくない全てのエントリのうち最大のものであるＲ個のエントリのＴＢＳインデックスに等しくてもよく、Ｒは自然数である。
【０１４０】
第６の態様または以上の９個の可能な実装形態の何れか１つを参照して、第１０の可能な実装形態では、当該取得モジュールにより取得された第１のＭＣＳテーブル内のＭＣＳインデックスの値範囲は第２のＭＣＳテーブル内のＭＣＳインデックスの値範囲と同じである。
【０１４１】
第６の態様または以上の１０個の可能な実装形態の何れか１つを参照して、第１１の可能な実装形態では、第１のＭＣＳテーブルはさらに、以下の表Ｄ１、Ｄ２、Ｄ３、Ｄ４、またはＤ５における少なくとも１つのエントリを含み、任意の１つのエントリは１つのＭＣＳインデックス、および当該１つのＭＣＳインデックスに対応する変調順序およびＴＢＳインデックスを含む。
【０１４２】
【表４４】
2020053973.tif 000064
【０１４３】
【表４５】
2020053973.tif 000065
【０１４４】
【表４６】
2020053973.tif 000066
【０１４５】
【表４７】
2020053973.tif 000067
【０１４６】
【表４８】
2020053973.tif 000068
【０１４７】
第７の態様によれば、チャネル品質指標ＣＱＩ通知装置が提供される。当該装置はメモリおよび当該メモリに接続されたプロセッサを備え、さらに送信器を備える。当該メモリは１群のプログラム・コードを格納し、当該プロセッサは、第１の態様に従う方法を実行するために、当該メモリに格納された当該プログラム・コードを呼び出すように構成され、当該送信器は、第１の態様に従う方法または第１の態様の任意の可能な実装形態を実行して第１のＣＱＩインデックスを得るための、当該メモリに格納され当該プロセッサにより呼び出されるプログラム・コードを送信するように構成される。
【０１４８】
第８の態様によれば、変調符号化方式ＭＣＳ通知装置が提供される。当該装置は、メモリおよび当該メモリに接続されたプロセッサを備え、さらに送信器と受信器を備える。当該メモリは１群のプログラム・コードを格納し、当該プロセッサは、当該課題を解決するための手段の第２の態様に従う方法または第２の態様の任意の可能な実装形態を実行するための、当該メモリに格納されたプログラムを呼び出すように構成され、当該受信器は、端末装置により送信された第１のＣＱＩインデックスを受信するように構成され、当該送信器は、諸請求項の第２の態様に従う方法または第２の態様の任意の可能な実装形態を実行して第１のＭＣＳインデックスを得るための、当該メモリに格納され当該プロセッサにより呼び出されるプログラム・コードを送信するように構成される。
【０１４９】
第９の態様によれば、変調符号化方式ＭＣＳ通知装置が提供される。当該装置は、メモリおよび当該メモリに接続されたプロセッサを備え、さらに受信器を備える。当該メモリは１群のプログラム・コードを格納し、当該プロセッサは、第３の態様に従う方法または第３の態様の任意の可能な実装形態を実行するための、当該メモリに格納されたプログラム・コードを呼び出すように構成され、当該受信器は、基地局により送信された第１のＭＣＳインデックスを受信するように構成される。
【０１５０】
本発明は、チャネル品質指標ならびに変調方式および符号化方式を通知するための方法および装置を提供する。当該方法および装置により、端末装置は、６４ＱＡＭより高い変調方式を選択し、ＣＱＩインデックスを送信するための方法を用いることによって基地局に通知でき、また、基地局は、６４ＱＡＭより高い変調方式を選択し、ＭＣＳインデックスを送信するための方法を用いることによって端末装置に通知でき、それによりシステム性能を高める。
【０１５１】
本発明の諸実施形態では、チャネル品質指標ならびに変調方式および符号化方式を通知するための方法および装置を提供する。当該方法および装置により、端末装置は比較的低いスペクトル効率を選択し、ＣＱＩインデックスを送信するための方法を用いることによって基地局に通知でき、また、基地局は比較的小さい送信ブロック・サイズを選択し、ＭＣＳインデックスを送信するための方法を用いることによって端末装置に通知でき、それにより高次変調方式を使用するとき端末装置が急激な低信号雑音比シナリオに対応できることを保証、即ち、端末装置が信号雑音比の劇的変化に適応できることを保証する。
【０１５２】
本発明の諸実施形態における技術的解決策をより明確に説明するために、以下では当該諸実施形態を説明するのに必要な添付図面を簡単に説明する。明らかに、下記の説明における添付図面は本発明の幾つかの実施形態を示すにすぎず、当業者は創造的作業なしにこれらの添付図面から他の図面を導出することができる。
【図面の簡単な説明】
【０１５３】
【図１】本発明の１実施形態に従うＣＱＩ通知方法の略図である。
【図２】本発明の１実施形態に従うＭＣＳ通知方法の略図である。
【図３】本発明の１実施形態に従う別のＭＣＳ通知方法の略図である。
【図４】本発明の１実施形態に従う別のＭＣＳ通知方法の略図である。
【図５】本発明の１実施形態に従うＣＱＩ通知装置の略図である。
【図６】本発明の１実施形態に従うＭＣＳ通知装置の略図である。
【図７】本発明の１実施形態に従う別のＭＣＳ通知装置の略図である。
【図８】本発明の１実施形態に従う別のＭＣＳ通知装置の略図である。
【図９】本発明の１実施形態に従う別のＣＱＩ通知装置の略図である。
【図１０】本発明の１実施形態に従う別のＭＣＳ通知装置の略図である。
【図１１】本発明の１実施形態に従う別のＭＣＳ通知装置の略図である。
【図１２】本発明の１実施形態に従う別のＭＣＳ通知装置の略図である。
【発明を実施するための形態】
【０１５４】
以下で、本発明の諸実施形態における添付図面を参照して本発明の諸実施形態における技術的解決策を明確に説明する。明らかに、説明する実施形態は本発明の諸実施形態の一部にすぎず全部ではない。当業者が創造的作業なしに本発明の諸実施形態に基づいて得る他の全ての実施形態は本発明の保護範囲に入るものとする。
【０１５５】
物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）の適応型変調および符号化は以下の通りである。
【０１５６】
先ず、ユーザ機器（端末装置、Ｕｓｅｒ  Ｅｑｕｉｐｍｅｎｔ）が、チャネル状態情報（ＣＳＩ、Ｃｈａｎｎｅｌ  Ｓｔａｔｅ  Ｉｎｆｏｒｍａｔｉｏｎ）を測定するために使用されるチャネル情報を推定し、次いで、端末装置が、当該チャネル情報を用いて最適ランク指標（ＲＩ、Ｒａｎｋ  Ｉｎｄｉｃａｔｉｏｎ）および／または最適プリコーディング行列指標（ＰＭＩ、Ｐｒｅｃｏｄｉｎｇ  Ｍａｔｒｉｘ  Ｉｎｄｉｃａｔｉｏｎ）に基づいて信号対雑音干渉比（ＳＩＮＲ、Ｓｉｇｎａｌ  ｔｏ  Ｉｎｔｅｒｆｅｒｅｎｃｅ  ｐｌｕｓ  Ｎｏｉｓｅ  Ｒａｔｉｏ）を計算し、最後に、端末装置が当該ＳＩＮＲに従って対応するチャネル品質指標（ＣＱＩ、Ｃｈａｎｎｅｌ  Ｑｕａｌｉｔｙ  Ｉｎｄｉｃａｔｏｒ）を取得し、当該ＣＱＩの値を基地局に報告する。
【０１５７】
さらに、本発明における変調順序は変調方式に対応する。例えば、変調方式が４相位相偏移変調（ＱＰＳＫ、Ｑｕａｄｒａｔｕｒｅ  Ｐｈａｓｅ  Ｓｈｉｆｔ  Ｋｅｙｉｎｇ）である場合、変調順序は２であり、変調方式が１６ＱＡＭである場合、変調順序が４であり、変調方式が６４ＱＡＭである場合、変調順序は６であり、変調方式が２５６ＱＡＭである場合、変調順序は８である。
【０１５８】
添付図面を参照して、以下で本発明の１実施形態に従うＣＱＩ通知方法を詳細に説明する。
【０１５９】
図１に示すように、当該ＣＱＩ通知方法の諸ステップは以下の通りである。
Ｓ１０１：端末装置が、取得した第１のＣＱＩテーブルに従って、第１のＣＱＩインデックスを学習する。
【０１６０】
第１のＣＱＩテーブルをプロトコルで予め定義してもよく、プロトコルに準拠して端末装置により事前設定してもよく、または端末装置により事前に格納してもよく、またはダウンリンク・チャネル状態に従って少なくとも２つの所定のテーブルから端末装置により選択され、または基地局により端末装置に通知してもよい。特に、基地局により端末装置に通知するための方法が、基地局により、アップリンク・チャネル状態またはダウンリンク・チャネル状態に従って少なくとも２つの所定のテーブルから１つのテーブルを選択するステップと、端末装置に当該選択されたテーブルを通知するステップとであってもよい。ＣＱＩテーブルは、ＣＱＩインデックスとエントリの間のマッピング関係を記述するために使用される。本発明の当該実施形態における当該ＣＱＩテーブル内のマッピング関係は本発明を理解する簡単さのため１例として用いたにすぎず、本発明におけるＣＱＩテーブルの表現形式は、本明細書で説明した形式に限定されることを意味するものではない。即ち、当該ＣＱＩテーブルは、ＣＱＩインデックスとエントリの間のマッピング関係を提供できる限り、様々な組合せを有してもよい。当該組合せの全ては本発明の保護範囲に入るものとする。
【０１６１】
特に、端末装置は、測定された第１のＳＩＮＲに従って第１のスペクトル効率を決定し、次いで、第１のスペクトル効率および第１のＣＱＩテーブルに従って、第１のスペクトル効率に対応する第１のＣＱＩインデックスを取得する。第１のＣＱＩテーブルを端末装置により事前に格納してもよい。
【０１６２】
第１のＣＱＩテーブルが、変調方式が６４ＱＡＭよりも高いエントリと、第２のＣＱＩテーブル内にあり変調方式がＱＰＳＫである少なくとも１つのエントリであって、変調方式がＱＰＳＫである少なくとも１つのエントリが第２のＣＱＩテーブル内にあり変調方式がＱＰＳＫである少なくとも１つのエントリにより形成された第１の組合せとは異なる組合せを含んでもよく、第１の組合せは、第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または第２のＣＱＩテーブル内にあり変調方式が１６ＱＡＭである少なくとも１つのエントリとを含んでもよい。第２のＣＱＩテーブル内のエントリの変調方式がＱＰＳＫ、１６ＱＡＭ、および６４ＱＡＭのみを含んでもよい。
【０１６３】
即ち、第１のＣＱＩテーブルは変調方式が６４ＱＡＭよりも高いエントリを含み、第１のＣＱＩテーブルはさらに、第２のＣＱＩテーブル内にあり変調方式がＱＰＳＫである少なくとも１つのエントリを含んでもよい。第１のＣＱＩテーブル内にあり変調方式がＱＰＳＫであるエントリは、第２のＣＱＩテーブル内にあり変調方式がＱＰＳＫであり対応するＣＱＩインデックスが連続かつ最大のものであるＮ個のエントリにすぎないということはありえず、Ｎが３に等しくてもよくまたはＮが４未満の正の整数であってもよくまたはＮが正の整数であってもよく、かつ／または第１のＣＱＩテーブルはさらに、第２のＣＱＩテーブル内にあり変調方式が１６ＱＡＭである少なくとも１つのエントリを含む。
【０１６４】
さらに、本発明におけるＮの値は幾つかの例にすぎず、本発明を限定することを意味しない。
【０１６５】
第２のＣＱＩテーブル内のエントリの変調方式はＱＰＳＫ、１６ＱＡＭ、および６４ＱＡＭのみを含み、第１のＣＱＩテーブル内のエントリが第１のＣＱＩテーブル内のＣＱＩインデックスに対応する１つの変調方式、１つの符号化率、および１つのスペクトル効率を指してもよく、第２のＣＱＩテーブル内のエントリは第２のＣＱＩテーブル内のＣＱＩインデックスに対応する１つの変調方式、１つの符号化率、および１つのスペクトル効率を指す。明らかに、本発明におけるエントリを、アップリンク状態情報またはダウンリンク状態情報に従って設定してもよく、本発明の以上の第１のＣＱＩテーブルおよび第２のＣＱＩテーブル内のエントリは例にすぎず、本発明を限定することを意味しない。
【０１６６】
さらに、当該組合せが、第２のＣＱＩテーブル内にあり変調方式がＱＰＳＫである少なくとも１つのエントリによって形成された組合せであってもよい。表１に示す第２のＣＱＩテーブルの例では、第２のＣＱＩテーブル内にあり変調方式がＱＰＳＫである少なくとも１つのエントリにより形成された２６−１＝６３個の組合せが存在する。例えば、当該組合せが、第２のＣＱＩテーブル内のＣＱＩインデックス６に対応するエントリによって形成された組合せであってもよく、または第２のＣＱＩテーブル内の、それぞれＣＱＩインデックス４、５、および６に対応するエントリによって形成された組合せであってもよく、または、第２のＣＱＩテーブル内の、それぞれＣＱＩインデックス３、５、および６に対応するエントリによって形成された組合せであってもよい、等である。
【０１６７】
特に、以下の３つのタイプの第１のＣＱＩテーブルが存在してもよい。
１番目のタイプの第１のＣＱＩテーブル：変調方式がＱＰＳＫであるエントリおよび変調方式が６４ＱＡＭよりも高いエントリのみを含む。
２番目のタイプの第１のＣＱＩテーブル：変調方式が１６ＱＡＭであるエントリおよび変調方式が６４ＱＡＭよりも高いエントリのみを含む。
３番目のタイプの第１のＣＱＩテーブル：変調方式がＱＰＳＫであるエントリ、変調方式が１６ＱＡＭであるエントリ、および変調方式が６４ＱＡＭよりも高いエントリのみを含む。
【０１６８】
本発明において様々なタイプの第１のＣＱＩテーブルが存在してもよく、以上の３つのタイプの第１のＣＱＩテーブルは本発明を理解する簡単さのための例にすぎず、本発明を限定することを意味しない。
【０１６９】
理解の簡単さのため、以下のＣＱＩテーブル（即ち、第２のＣＱＩテーブル）を説明のための１例として用いる。
【０１７０】
【表４９】
2020053973.tif 000069
【０１７１】
第１のＣＱＩテーブルは変調方式が６４ＱＡＭよりも高いエントリを含む。例えば、変調方式が６４ＱＡＭよりも高い１つのエントリまたは複数のエントリを含めてもよい。
【０１７２】
例えば、６４ＱＡＭより高く第１のＣＱＩテーブルに含まれる変調方式が１２８ＱＡＭ、２５６ＱＡＭ等であってもよい。第１のＣＱＩテーブルが１つの変調方式のみを含む場合、当該変調方式が１２８ＱＡＭ、２５６ＱＡＭ、および他の高い変調方式の何れかであってもよく、第１のＣＱＩテーブルが複数の変調方式を含む場合、第１のＣＱＩテーブルに含まれる当該複数の変調方式が１２８ＱＡＭ、２５６ＱＡＭ、および他の高い変調方式のうち任意の１つまたは複数であってもよい。
【０１７３】
例えば、以下の表に示すように、第１のＣＱＩテーブルが、変調方式が６４ＱＡＭより高いエントリを含んでもよい。
【０１７４】
【表５０】
2020053973.tif 000070
【０１７５】
具体的な実装プロセスにおいて先行技術への変更を最小化するために、第１のＣＱＩテーブル内のＣＱＩインデックスの値範囲および第２のＣＱＩテーブル内のＣＱＩインデックスの値範囲が同一であってもよく、特に、０乃至１５であってもよいのが好ましいことに留意されたい。明らかに、第１のＣＱＩテーブル内のＣＱＩインデックスの値範囲が第２のＣＱＩテーブル内のＣＱＩインデックスの値範囲より大きくてもよく、例えば、第１のＣＱＩテーブル内のＣＱＩインデックスの値範囲が０乃至２０であってもよい。本発明の当該実施形態におけるＣＱＩインデックスの値範囲は本発明を理解する容易さのための例にすぎず、本発明を限定することを意味するものではない。
【０１７６】
１番目のタイプの第１のＣＱＩテーブル：当該１番目のタイプの第１のＣＱＩテーブルは変調方式がＱＰＳＫであるエントリおよび変調方式が６４ＱＡＭよりも高いエントリのみを含む。
【０１７７】
第１のＣＱＩテーブルが変調方式が６４ＱＡＭよりも高い１つのエントリまたは複数のエントリを含んでもよく、変調方式が６４ＱＡＭよりも高い各エントリは変調方式、符号化率、およびスペクトル効率を含み、対応するＣＱＩインデックスを有する。
【０１７８】
第１のＣＱＩテーブルはさらに第２のＣＱＩテーブル内にあり変調方式がＱＰＳＫであるエントリの一部を含んでもよい。具体的には、第２のＣＱＩテーブル（即ち、表１）内の、それぞれがＣＱＩインデックス１乃至６に対応し変調方式がＱＰＳＫである６つのエントリの一部、第１のＣＱＩテーブル内にあり変調方式がＱＰＳＫであるエントリは、第２のＣＱＩテーブル内にあり変調方式がＱＰＳＫであり対応するＣＱＩインデックスが連続であり最大のものであるＮ個のエントリではなく、Ｎは３に等しい。換言すれば、第１のＣＱＩテーブル内にあり変調方式がＱＰＳＫであるエントリが、第２のＣＱＩテーブル内の、それぞれＣＱＩインデックス４、５、および６に対応するエントリにすぎないということはありえない。
【０１７９】
あるいは、第１のＣＱＩテーブルはさらに第２のＣＱＩテーブル内にあり変調方式がＱＰＳＫであるエントリの一部、具体的には、第２のＣＱＩテーブル内の、それぞれがＣＱＩインデックス１乃至６に対応し変調方式がＱＰＳＫである６つのエントリの一部を含んでもよく、第１のＣＱＩテーブル内にあり変調方式がＱＰＳＫであるエントリは第２のＣＱＩテーブル内にあり変調方式がＱＰＳＫであり対応するＣＱＩインデックスが連続であり最大のものであるＮ個のエントリではなく、Ｎは正の整数でありＮは４未満であり、これはＮが１、２、または３に等しくてもよいことを意味する。Ｎが１に等しい場合、第１のＣＱＩテーブル内にあり変調方式がＱＰＳＫであるエントリが、第２のＣＱＩテーブル内にありＣＱＩインデックス６に対応するエントリにすぎないということはありえないか、または、Ｎが２に等しい場合、第１のＣＱＩテーブル内にあり変調方式がＱＰＳＫであるエントリが、第２のＣＱＩテーブル内にありそれぞれがＣＱＩインデックス５および６に対応するエントリにすぎないということはありえないか、または、Ｎが３に等しい場合、第１のＣＱＩテーブル内にあり変調方式がＱＰＳＫであるエントリが、第２のＣＱＩテーブル内にありそれぞれがＣＱＩインデックス４、５、および６に対応するエントリにすぎないということはありえない。
【０１８０】
あるいは、第１のＣＱＩテーブルはさらに、第２のＣＱＩテーブル内にあり変調方式がＱＰＳＫであるエントリの一部、具体的には、第２のＣＱＩテーブル内の、それぞれがＣＱＩインデックス１乃至６に対応し変調方式がＱＰＳＫである６つのエントリの一部を含み、第１のＣＱＩテーブル内にあり変調方式がＱＰＳＫであるエントリは、第２のＣＱＩテーブル内にあり変調方式がＱＰＳＫであり対応するＣＱＩインデックスが連続であり最大のものであるＮ個のエントリではなく、Ｎは正の整数である。これはＮの値範囲が１乃至５であってもよいことを意味する。Ｎが１に等しい場合、第１のＣＱＩテーブル内にあり変調方式がＱＰＳＫであるエントリが、第２のＣＱＩテーブル内にありＣＱＩインデックス６に対応するエントリにすぎないということはありえないか、または、Ｎが２に等しい場合、第１のＣＱＩテーブル内にあり変調方式がＱＰＳＫであるエントリが、第２のＣＱＩテーブル内の、それぞれがＣＱＩインデックス５および６に対応するエントリにすぎないということはありえないか、または、Ｎが３に等しい場合、第１のＣＱＩテーブル内にあり変調方式がＱＰＳＫであるエントリが、第２のＣＱＩテーブル内の、それぞれＣＱＩインデックス４、５、および６に対応するエントリにすぎないということはありえないか、または、Ｎが４に等しい場合、第１のＣＱＩテーブル内にあり変調方式がＱＰＳＫであるエントリが、第２のＣＱＩテーブル内の、それぞれがＣＱＩインデックス３、４、５、および６に対応するエントリにすぎないということはありえないか、または、Ｎが５に等しい場合、第１のＣＱＩテーブル内にあり変調方式がＱＰＳＫであるエントリが、第２のＣＱＩテーブル内の、それぞれがＣＱＩインデックス２、３、４、５、および６に対応するエントリにすぎないということはありえない。
【０１８１】
さらに、本発明におけるＮの値は幾つかの例にすぎず、本発明を限定することを意味しない。
【０１８２】
あるいは、第１のＣＱＩテーブル内にあり変調方式がＱＰＳＫであるエントリは、第２のＣＱＩテーブル内にあり変調方式がＱＰＳＫであるエントリの一部を含み、当該エントリの一部に対応する連続するＣＱＩインデックスの差分は同一である。
【０１８３】
例えば、第１のＣＱＩテーブル内にあり変調方式がＱＰＳＫであるエントリが第２のＣＱＩテーブル内にあり変調方式がＱＰＳＫであるエントリのうち３つを含む場合、第１のＣＱＩテーブル内にあり変調方式がＱＰＳＫであるエントリが、第２のＣＱＩテーブル内の、それぞれがＣＱＩインデックス１、３、および５に対応するエントリを含んでもよいか、または、第１のＣＱＩテーブル内にあり変調方式がＱＰＳＫであるエントリが、第２のＣＱＩテーブル内の、それぞれがＣＱＩインデックス２、４、および６に対応するエントリを含んでもよい。
【０１８４】
あるいは、第１のＣＱＩテーブル内にあり変調方式がＱＰＳＫであるエントリは第２のＣＱＩテーブル内にあり変調方式がＱＰＳＫであるエントリの一部を含み、当該エントリの一部に対応する連続するＣＱＩインデックスの差分は同一ではない。
【０１８５】
例えば、第１のＣＱＩテーブル内にあり変調方式がＱＰＳＫであるエントリが第２のＣＱＩテーブル内にあり変調方式がＱＰＳＫであるエントリのうち３つを含む場合、第１のＣＱＩテーブル内にあり変調方式がＱＰＳＫであるエントリが、第２のＣＱＩテーブル内の、それぞれがＣＱＩインデックス１、４、および６に対応するエントリを含んでもよいか、または、第１のＣＱＩテーブル内にあり変調方式がＱＰＳＫであるエントリが、第２のＣＱＩテーブル内の、それぞれがＣＱＩインデックス２、５、および６に対応するエントリを含んでもよい。あるいは、第１のＣＱＩテーブル内にあり変調方式がＱＰＳＫであるエントリが第２のＣＱＩテーブル内にあり変調方式がＱＰＳＫであるエントリのうち４つを含む場合、第１のＣＱＩテーブル内にあり変調方式がＱＰＳＫであるエントリが、第２のＣＱＩテーブル内の、それぞれがＣＱＩインデックス１、３、４、および６に対応するエントリを含んでもよいか、または、第１のＣＱＩテーブル内にあり変調方式がＱＰＳＫであるエントリが、第２のＣＱＩテーブル内の、それぞれがＣＱＩインデックス１、２、４、および６に対応するエントリを含んでもよい。あるいは、第１のＣＱＩテーブル内にあり変調方式がＱＰＳＫであるエントリが第２のＣＱＩテーブル内にあり変調方式がＱＰＳＫであるエントリのうち５つを含む場合、第１のＣＱＩテーブル内にあり変調方式がＱＰＳＫであるエントリが、第２のＣＱＩテーブル内の、それぞれがＣＱＩインデックス１、２、３、４、および６に対応するエントリを含んでもよい。
【０１８６】
あるいは、第１のＣＱＩテーブル内にあり変調方式がＱＰＳＫであるエントリは、第２のＣＱＩテーブル内にあり変調方式がＱＰＳＫであるエントリの一部を含む。当該エントリの一部に対応するＣＱＩインデックスは不連続であり、当該エントリの一部は、対応するＣＱＩインデックスが全ての当該第２のＣＱＩテーブル内にあり変調方式がＱＰＳＫであるエントリのうち最大であるエントリと異なる少なくとも１つのエントリである。
【０１８７】
例えば、第１のＣＱＩテーブル内にあり変調方式がＱＰＳＫであるエントリが、第２のＣＱＩテーブル内の、それぞれがＣＱＩインデックス１および３に対応するエントリを含んでもよいか、または、第１のＣＱＩテーブル内にあり変調方式がＱＰＳＫであるエントリが、第２のＣＱＩテーブル内の、それぞれがＣＱＩインデックス２、４、および５に対応するエントリを含んでもよい。
【０１８８】
あるいは、第１のＣＱＩテーブル内にあり変調方式がＱＰＳＫであるエントリは、第２のＣＱＩテーブル内にあり変調方式がＱＰＳＫであるエントリの一部を含む。当該エントリの一部に対応するＣＱＩインデックスは連続であり、当該エントリの一部は、対応するＣＱＩインデックスが、当該ＣＱＩテーブル内にあり変調方式がＱＰＳＫである全てのエントリのうち最大であるエントリと異なる少なくとも１つのエントリである。
【０１８９】
例えば、第１のＣＱＩテーブル内にあり変調方式がＱＰＳＫであるエントリが、第２のＣＱＩテーブル内の、それぞれがＣＱＩインデックス２、３、および４に対応するエントリを含んでもよいか、または、第１のＣＱＩテーブル内にあり変調方式がＱＰＳＫであるエントリが、第２のＣＱＩテーブル内の、それぞれがＣＱＩインデックス２、３、４、および５に対応するエントリを含んでもよい。
【０１９０】
２番目のタイプの第１のＣＱＩテーブル：当該１番目のタイプの第１のＣＱＩテーブルは、変調方式が１６ＱＡＭであるエントリおよび変調方式が６４ＱＡＭよりも高いエントリのみを含む。
【０１９１】
第１のＣＱＩテーブルが変調方式は６４ＱＡＭよりも高い１つのエントリまたは複数のエントリを含んでもよく、変調方式が６４ＱＡＭよりも高い各エントリは変調方式、符号化率、およびスペクトル効率を含み、対応するＣＱＩインデックスを有する。
【０１９２】
第１のＣＱＩテーブルはさらに、第２のＣＱＩテーブル内にあり変調方式が１６ＱＡＭである全てのエントリを含む。
【０１９３】
例示的に、第１のＣＱＩテーブルはさらに、第２のＣＱＩテーブル内の、それぞれがＣＱＩインデックス７乃至９に対応し対応する変調方式が１６ＱＡＭである３つのエントリを含む。
【０１９４】
あるいは、特に、第１のＣＱＩテーブルはさらに、第２のＣＱＩテーブル内にあり変調方式が１６ＱＡＭであるエントリの一部を含む。当該エントリの一部は、対応するＣＱＩインデックスが第２のＣＱＩテーブル内にあり変調方式が１６ＱＡＭである全てのエントリのうち最小であるエントリと異なる少なくとも１つのエントリである。
【０１９５】
例示的に、第１のＣＱＩテーブル内にあり変調方式が１６ＱＡＭであるエントリはさらに、第２のＣＱＩテーブル内の、それぞれがＣＱＩインデックス８および９に対応するエントリを含んでもよく、または、第１のＣＱＩテーブル内にあり変調方式が１６ＱＡＭであるエントリはさらに、第２のＣＱＩテーブル内のＣＱＩインデックス８または９に対応するエントリを含んでもよい。
【０１９６】
３番目のタイプの第１のＣＱＩテーブル：変調方式が１６ＱＡＭであるエントリを当該１番目のタイプの第１のＣＱＩテーブルに追加して当該３番目のタイプの第１のＣＱＩテーブルを得る。当該３番目のタイプの第１のＣＱＩテーブルは、変調方式がＱＰＳＫであるエントリ、変調方式が１６ＱＡＭであるエントリ、および変調方式が６４ＱＡＭよりも高いエントリのみを含む。当該３番目のタイプの第１のＣＱＩテーブルに含まれ変調方式が１６ＱＡＭであるエントリが、当該２番目のタイプの第１のＣＱＩテーブルに含まれ変調方式が１６ＱＡＭであるエントリと同一であってもよい。
【０１９７】
特に、第１のＣＱＩテーブルはさらに、第２のＣＱＩテーブル内にあり変調方式が１６ＱＡＭである全てのエントリを含む。
【０１９８】
あるいは、特に、第１のＣＱＩテーブルはさらに、第２のＣＱＩテーブル内にあり変調方式が１６ＱＡＭであるエントリの一部を含む。当該エントリの一部は、対応するＣＱＩインデックスが第２のＣＱＩテーブル内にあり変調方式が１６ＱＡＭである全てのエントリのうち最小であるエントリと異なる少なくとも１つのエントリである。
【０１９９】
さらに、第１のＣＱＩテーブルはさらに、第２のＣＱＩテーブル内にあり変調方式が６４ＱＡＭである少なくとも１つのエントリを含む。
【０２００】
即ち、変調方式が６４ＱＡＭであるエントリを当該１番目のタイプの第１のＣＱＩテーブルに追加して４番目のタイプの第１のＣＱＩテーブルを得る。この場合、当該４番目のタイプの第１のＣＱＩテーブルは変調方式がＱＰＳＫであるエントリ、変調方式が６４ＱＡＭよりも高いエントリと、変調方式が６４ＱＡＭであるエントリを含む。あるいは、変調方式が６４ＱＡＭであるエントリを当該２番目のタイプの第１のＣＱＩテーブルに追加して５番目のタイプの第１のＣＱＩテーブルを得る。この場合、当該５番目のタイプの第１のＣＱＩテーブルは変調方式が６４ＱＡＭよりも高いエントリ、変調方式が１６ＱＡＭであるエントリ、および変調方式が６４ＱＡＭであるエントリを含む。あるいは、変調方式が６４ＱＡＭであるエントリを当該３番目のタイプの第１のＣＱＩテーブルに追加して６番目のタイプの第１のＣＱＩテーブルを得る。この場合、当該６番目のタイプの第１のＣＱＩテーブルは変調方式が６４ＱＡＭよりも高いエントリ、変調方式がＱＰＳＫであるエントリ、変調方式が１６ＱＡＭであるエントリ、および変調方式が６４ＱＡＭであるエントリを含む。
【０２０１】
４番目、５番目または６番目のタイプの第１のＣＱＩテーブルにおいて、変調方式が６４ＱＡＭであるエントリは以下の通りである。
【０２０２】
特に、第１のＣＱＩテーブルはさらに、第２のＣＱＩテーブル内にあり変調方式が６４ＱＡＭである全てのエントリを含む。
【０２０３】
例示的に、第２のＣＱＩテーブル内の、それぞれＣＱＩインデックス１０乃至１５に対応し対応する変調方式が６４ＱＡＭである６つのエントリが含まれる。
【０２０４】
あるいは、特に、第１のＣＱＩテーブルはさらに、第２のＣＱＩテーブル内にあり変調方式が６４ＱＡＭであるエントリの一部を含む。当該エントリの一部は、対応するＣＱＩインデックスが第２のＣＱＩテーブル内にあり変調方式が６４ＱＡＭである全てのエントリのうち最大であるエントリと異なる少なくとも１つのエントリである。
【０２０５】
例示的に、第１のＣＱＩテーブル内の変調方式が６４ＱＡＭであるエントリはさらに、第２のＣＱＩテーブル内の、それぞれがＣＱＩインデックス１０乃至Ｍに対応するエントリを含んでもよい。Ｍが１１、１２、１３、または１４であってもよい。第１のＣＱＩテーブル内の変調方式が６４ＱＡＭであるエントリはさらに、第２のＣＱＩテーブル内の、それぞれがＣＱＩインデックス１０、１２、および１４に対応するエントリを含んでもよく、第１のＣＱＩテーブル内の変調方式が６４ＱＡＭであるエントリはさらに、第２のＣＱＩテーブル内の、それぞれがＣＱＩインデックス１０および１３に対応するエントリを含んでもよいか、または、第１のＣＱＩテーブル内の変調方式が６４ＱＡＭであるエントリはさらに、第２のＣＱＩテーブル内の、ＣＱＩインデックス１０、１３、および１４に対応するエントリを含んでもよい。
【０２０６】
さらに、上記の６種の第１のＣＱＩテーブルにおいて、対応するＣＱＩインデックスが、変調方式が６４ＱＡＭよりも高いエントリのうち最小であるエントリのスペクトル効率が、対応するＣＱＩインデックスが第２のＣＱＩテーブル内にあり変調方式が６４ＱＡＭである全てのエントリのうち最大であるエントリのスペクトル効率に等しくてもよい。
【０２０７】
さらに、上記の６種の第１のＣＱＩテーブルにおいて、対応するＣＱＩインデックスが変調方式が６４ＱＡＭよりも高いエントリのうち最小のものであるＴ個のエントリの（昇順で配置された）スペクトル効率｛Ｓ１，・・・，Ｓｉ，・・・，ＳＴ｝が、対応するＣＱＩインデックスが、第２のＣＱＩテーブル内にあり変調方式が６４ＱＡＭである全てのエントリのうち最大のものであるＴ個のエントリの（昇順で配置された）スペクトル効率｛Ｐ１，・・・，Ｐｉ，・・・，ＰＴ｝に等しいかまたはまたはほぼ等しくてもよい。Ｔは１乃至５の何れかの自然数に等しく、１≦ｉ≦Ｔである。ほぼ等しいとは、｛Ｓ１，・・・，Ｓｉ，・・・，ＳＴ｝が｛Ｐ１，・・・，Ｐｉ，・・・，ＰＴ｝と完全に同じではなく、ＳｉとＰｉの差がが事前設定値より小さいことを意味する。
【０２０８】
例示的に、対応するＣＱＩインデックスが第１のＣＱＩテーブル内にあり変調方式が６４ＱＡＭよりも高いエントリのうち最小のものであるＴ個のエントリのスペクトル効率は、以下の数値：｛３．３２２３、３．９０２３、４．５２３４、５．１１５２、５．５５４７｝のうち任意の１つまたは複数（２つ以上）を含むか、または、以下の数値：｛３．３２０３、３．８９８４、４．５２３４、５．１１７２、５．５５４７｝のうち任意の１つまたは複数を含む。以上のスペクトル効率はそれぞれ、対応するＣＱＩインデックスが、第２のＣＱＩテーブル内にあり変調方式が６４ＱＡＭである全てのエントリのうち最大のものである５つのエントリのスペクトル効率に等しいかまたはほぼ等しい。
【０２０９】
Ｔ＝２の例において、対応するＣＱＩインデックスが第１のＣＱＩテーブル内にあり変調方式が６４ＱＡＭよりも高いエントリのうち最小のものであるＴ個のエントリを表３に示す。
【０２１０】
【表５１】
2020053973.tif 000071
【０２１１】
例示的に、第１のＣＱＩテーブルにおいて、変調方式がＱＰＳＫである３つのエントリが存在し、対応するＣＱＩインデックスは１乃至３であり、変調方式が１６ＱＡＭである３つのエントリが存在し、対応するＣＱＩインデックスは４乃至６であり、変調方式が６４ＱＡＭである５つのエントリが存在し、対応するＣＱＩインデックスは７乃至１１であり、第１のＣＱＩテーブル内のＣＱＩインデックスの値範囲は０乃至１５であるので、第１のＣＱＩテーブルおいて、変調方式が６４ＱＡＭよりも高い４つのエントリが存在し、対応するＣＱＩインデックスは１２乃至１５であり、当該エントリのうち最小のＣＱＩインデックスは１２であると仮定する。特に、表１に示すように、第１のＣＱＩテーブル内のＣＱＩインデックス１２に対応するエントリは、第２のＣＱＩテーブル内にありＣＱＩインデックス１５に対応するエントリである。
【０２１２】
表４によれば、例えば、ＣＱＩインデックスが１であるとき、同一のＣＱＩインデックスに対応する第１のＣＱＩテーブル内のエントリおよび第２のＣＱＩテーブル内のエントリが同一であってもよく、例えば、ＣＱＩインデックスが５、９および１０であるとき、同一のＣＱＩインデックスに対応する第１のＣＱＩテーブル内のエントリおよび第２のＣＱＩテーブル内のエントリが異なってもよいことは分かる。
【０２１３】
【表５２】
2020053973.tif 000072
【０２１４】
以上の６種類の第１のＣＱＩテーブルの各々が、変調方式が６４ＱＡＭよりも高いエントリを含み、その結果、端末装置は、６４ＱＡＭより高い変調方式を選択し、ＣＱＩインデックスを送信するための方法を用いることによって基地局に通知することをサポートされ、それによりシステム性能が高まることは理解できる。さらに、６番目のタイプの第１のＣＱＩテーブルは、変調方式がＱＰＳＫであるエントリ、変調方式が１６ＱＡＭであるエントリ、変調方式が６４ＱＡＭであるエントリ、および変調方式が６４ＱＡＭよりも高いエントリを含み、第１のＣＱＩテーブルであることが好ましい。
【０２１５】
さらに場合によっては、以上の第１のＣＱＩテーブルの何れかにおいて、対応するＣＱＩインデックスが、変調方式が６４ＱＡＭよりも高いエントリのうち最大であるエントリのスペクトル効率が、対応するＣＱＩインデックスが第２のＣＱＩテーブル内にあり変調方式が６４ＱＡＭである全てのエントリのうち最大であるエントリのスペクトル効率に４／３を掛けたもの、または、１より小さい正の実数である端末装置の最大符号化率に８を掛けたもの、または、７．４０６３，または７．４３２であってもよい。
【０２１６】
端末の最大符号化率とは、送信ブロックを当該端末により受信できる最大符号化率を指すことに留意されたい。送信ブロックの符号化率が当該端末の当該最大符号化率より大きい場合、当該端末が当該送信ブロックを受信しなくともよい。端末の最大符号化率はＣＱＩテーブル内の符号化率ではない。一般に、端末の最大符号化率が０．９３または０．９２９であってもよい。
【０２１７】
場合によっては、以上の第１のＣＱＩテーブルの何れかにおいて、ＣＱＩインデックスが最大のものであるＸ個のエントリのスペクトル効率は、当該スペクトル効率が昇順で配置したときの算術数列または略算術数列であり、第１のＣＱＩテーブル内にありＣＱＩインデックスが最大のものであるＸ個のエントリのスペクトル効率が昇順で配置されたスペクトル効率の算術数列であると述べたとき、これは、当該スペクトル効率の昇順で配置された当該Ｘ個のエントリ内の２番目のエントリから開始して、各エントリのスペクトル効率と夫々の先行エントリのスペクトル効率の差分は同一の定数に等しいことを意味するか、または、第１のＣＱＩテーブル内にありＣＱＩインデックスが最大のものであるＸ個のエントリのスペクトル効率が昇順で配置されたスペクトル効率の略算術数列であると述べたとき、これは当該スペクトル効率の昇順で配置された当該Ｘ個のエントリ内の２番目のエントリから開始して、各エントリのスペクトル効率と夫々の先行エントリのスペクトル効率の差分は、定数から事前設定値を引いたものから当該定数に当該事前設定値を足したものまでの範囲内にあり、Ｘは２より大きい整数であることを意味する。
【０２１８】
特に、第１のＣＱＩテーブル内にありＣＱＩインデックスが最大のものであるＸ個のエントリのスペクトル効率がそれぞれ（ｍ１、ｍ２，・・・，ｍＸ）であり、当該Ｘ個のエントリ内の２番目のエントリから開始して、各エントリのスペクトル効率と夫々の先行エントリのスペクトル効率の差分が計算されｔｉとして記録され、１≦ｉ≦Ｘ−１、即ち、（ｔ１、ｔ２、．．．、ｔＸ−１）、およびｔｉ＝ｍｉ＋１−ｍｉであると仮定する。
【０２１９】
（ｔ１、ｔ２，・・・，ｔＸ−１）の全ての数値が等しい（定数である）場合、第１のＣＱＩテーブル内にありＣＱＩインデックスが最大のものであるＸ個のエントリのスペクトル効率が昇順で配置されたスペクトル効率の算術数列である。当該定数は算術数列の公差と呼ばれる。
【０２２０】
（ｔ１、ｔ２，・・・，ｔＸ−１）の各数値と定数の差の絶対値が事前設定値範囲内にある場合、第１のＣＱＩテーブル内にありＣＱＩインデックスが最大のものであるＸ個のエントリのスペクトル効率が昇順で配置されたスペクトル効率の略算術数列である。（ｔ１、ｔ２，・・・，ｔＸ−１）の任意の２つの隣接数値の差分の絶対値が事前設定値より小さく、（ｔ１、ｔ２，・・・，ｔＸ−１）の数値の全てがほぼ等しい場合、第１のＣＱＩテーブル内にありＣＱＩインデックスが最大のものであるＸ個のエントリのスペクトル効率が昇順で配置されたスペクトル効率の略算術数列であることはわかる。当該定数は略算術数列における公差と呼ばれる。
【０２２１】
例示的に、Ｘ＝３の例において、第１のＣＱＩテーブル内にありＣＱＩインデックスが最大のものである３つのエントリを表５−１に示す。
【０２２２】
【表５３】
2020053973.tif 000073
【０２２３】
表５−１に示すように、それぞれのＣＱＩインデックスが１３乃至１５であるエントリに対応するスペクトル効率はそれぞれ６．１７１９、６．７８９１、および７．４０６３であり、第２のエントリ（即ち、ＣＱＩインデックスが１４であるエントリ）から開始して、各エントリのスペクトル効率と夫々の先行エントリのスペクトル効率の差分は０．６１７２に等しく、第１のＣＱＩテーブル内にありＣＱＩインデックスが最大のものである３つのエントリ内のスペクトル効率は当該スペクトル効率の昇順で算術数列を形成する。
【０２２４】
例示的に、Ｘ＝３の例において、第１のＣＱＩテーブル内にありＣＱＩインデックスが最大のものである３つのエントリを表５−２に示す。
【０２２５】
【表５４】
2020053973.tif 000074
【０２２６】
表５−２に示すように、それぞれのＣＱＩインデックスが１３乃至１５であるエントリに対応するスペクトル効率はそれぞれ６．１７９７、６．８０４７、および７．４２９７であり、第２のエントリ（即ち、ＣＱＩインデックスが１４であるエントリ）から開始して、各エントリのスペクトル効率と夫々の先行エントリのスペクトル効率の差分は０．６２５に等しく、第１のＣＱＩテーブル内にありＣＱＩインデックスが最大のものである３つのエントリ内のスペクトル効率は、スペクトル効率の昇順で算術数列を形成するか、または、表５−２に示すように、それぞれのＣＱＩインデックスが１３乃至１５であるエントリに対応するスペクトル効率はそれぞれ６．１８０５、６．８０６２、および７．４３２であり、事前設定値が０．００１である場合、第２のエントリ（即ち、ＣＱＩインデックスが１４であるエントリ）から開始して、各エントリのスペクトル効率と夫々の先行エントリのスペクトル効率の差分は０．６２５から０．００１を引いたものから０．６２５に０．００１を足したものの範囲内にあり、第１のＣＱＩテーブル内にありＣＱＩインデックスが最大のものである３つのエントリ内のスペクトル効率はスペクトル効率の昇順で略算術数列を形成する。
【０２２７】
さらに、場合によっては、対応するＣＱＩインデックスが第１のＣＱＩテーブル内にありＣＱＩインデックスが最大のものであるＸ個のエントリのうち最小であるエントリのスペクトル効率が、対応するＣＱＩインデックスが、第２のＣＱＩテーブル内にあり変調方式が６４ＱＡＭである全てのエントリのうち最大であるエントリのスペクトル効率に等しくてもよい。
【０２２８】
場合によっては、対応するＣＱＩインデックスが第１のＣＱＩテーブル内にありＣＱＩインデックスが最大のものであるＸ個のエントリのうち最大であるエントリのスペクトル効率が、対応するＣＱＩインデックスが第２のＣＱＩテーブル内にあり変調方式が６４ＱＡＭである全てのエントリのうち最大であるエントリのスペクトル効率に４／３を掛けたもの、または、１より小さい正の実数である端末の最大符号化率に８を掛けたもの、または、７．４０６３、または、７．４３２であってもよい。
【０２２９】
さらに場合によっては、以上の第１のＣＱＩテーブルの何れかにおいて、変調方式が６４ＱＡＭよりも高いエントリのスペクトル効率は以下の数値群のうち少なくとも１つを含む。
{5.5547  6.1805  6.8062  7.432},
{6.1805  6.8062  7.432},
{5.5547  6.1797  6.8047  7.4297},
{6.1797  6.8047  7.4297},
{5.5547  6.1719  6.7891  7.4063},
{6.1719  6.7891  7.4063},
{5.5547  6.4934  7.432},
{6.4934  7.432},
{5.5547  6.4922  7.4297},
{6.4922  7.4297},
{5.5547  6.4805  7.4063},
{6.4805  7.4063},
{5.5547  6.4844  7.4063},
{6.4844  7.4063},
{5.5547  6.0240  6.4934  6.9627  7.432},
{6.0234  6.4922  6.9609  7.4297},
{5.5547  6.0234  6.4922  6.9609  7.4297},
{6.0176  6.4805  6.9434  7.4063},
{5.5547  6.0176  6.4805  6.9434  7.4063},
{6.0176  6.4805  6.9434  7.4063},
{5.5547  6.0156  6.4844  6.9453  7.4063},
{6.0156  6.4844  6.9453  7.4063},
{5.5547  5.9302  6.3056  6.6811  7.0565  7.432},
{5.9302  6.3056  6.6811  7.0565  7.432},
{5.5547  5.9297  6.3047  6.6797  7.0547  7.4297},
{5.9297  6.3047  6.6797  7.0547  7.4297},
{5.5547  5.9250  6.2953  6.6656  7.0360  7.4063},
{5.9250  6.2953  6.6656  7.0360  7.4063},
{5.5547  5.9219  6.2969  6.6641  7.0391  7.4063}, および
{5.9219  6.2969  6.6641  7.0391  7.4063}。
【０２３０】
１例として、第１のＣＱＩテーブル内にあり変調方式が６４ＱＡＭよりも高いエントリのスペクトル効率の各々は以下の数値群のうち１つを含む。
{5.5547  6.1797  6.8047  7.4297}，または
{6.1797  6.8047  7.4297}，または
{5.5547  6.1719  6.7891  7.4063}，または
{6.1719  6.7891  7.4063}。
【０２３１】
４種類の第１のＣＱＩテーブルを以下のように列挙する。
【０２３２】
【表５５】
2020053973.tif 000075
【０２３３】
【表５６】
2020053973.tif 000076
【０２３４】
【表５７】
2020053973.tif 000077
【０２３５】
【表５８】
2020053973.tif 000078
【０２３６】
別の４種類の第１のＣＱＩテーブルを以下のように列挙する。
【０２３７】
【表５９】
2020053973.tif 000079
【０２３８】
【表６０】
2020053973.tif 000080
【０２３９】
【表６１】
2020053973.tif 000081
【０２４０】
【表６２】
2020053973.tif 000082
【０２４１】
以上の第１のＣＱＩテーブルが「第２のＣＱＩテーブル内のＣＱＩインデックス」という列を含まなくともよいことに留意されたい。当該列は、第１のＣＱＩテーブルと第２のＣＱＩテーブルの間の関係を示すために追加されている。
【０２４２】
さらに、以上の第１のＣＱＩテーブルはＣＱＩインデックスとエントリの間のマッピング関係を記述するために用いられており、本発明の当該実施形態の第１のＣＱＩテーブルにおけるマッピング関係は本発明を理解する簡単さのため１例として用いたにすぎず、本発明における第１のＣＱＩテーブルの表現形式は本明細書で説明した形式に限定されることを意味するものではなく、具体的には、第１のＣＱＩテーブルは、第１のＣＱＩインデックスとエントリの間のマッピング関係を提供できる限り、様々な組合せを有してもよいことに留意されたい。当該組合せの全ては本発明の保護範囲に入るものとする。
Ｓ１０２：端末装置が第１のＣＱＩインデックスを基地局に送信する。
【０２４３】
本発明はチャネル品質指標ならびに変調方式および符号化方式を通知するための方法および装置を提供する。当該方法および装置により、端末装置は６４ＱＡＭより高い変調方式を選択し、ＣＱＩインデックスを送信するための方法を用いることによって基地局に通知でき、また、基地局は６４ＱＡＭより高い変調方式を選択し、ＭＣＳインデックスを送信するための方法を用いることによって端末装置に通知でき、それによりシステム性能を高める。
【０２４４】
添付図面を参照して、以下では本発明の１実施形態に従うＭＣＳ通知方法を詳細に説明する。
【０２４５】
図２に示すように、ＭＣＳ通知方法の諸ステップは以下の通りである。
Ｓ２０１：基地局が第１のＣＱＩインデックスを受信する。第１のＣＱＩインデックスは取得した第１のＣＱＩテーブルに従って端末装置により決定される。
【０２４６】
Ｓ２０２：基地局が、第１のＣＱＩテーブル、第１のＭＣＳテーブル、および受信した第１のＣＱＩインデックスに従って第１のＭＣＳインデックスを決定する。
【０２４７】
第１のＣＱＩテーブルをプロトコルで予め定義してもよく、プロトコルに準拠して端末装置により事前設定してもよく、または端末装置により事前に格納してもよく、またはダウンリンク・チャネル状態に従って少なくとも２つの所定のテーブルから端末装置により選択され、または基地局によって端末装置に通知してもよい。特に、基地局により端末装置に通知するための方法が、基地局により、アップリンク・チャネル状態またはダウンリンク・チャネル状態に従って少なくとも２つの所定のテーブルから１つのテーブルを選択するステップと、端末装置に当該選択されたテーブルを通知するステップとであってもよい。ＣＱＩテーブルは、ＣＱＩインデックスとエントリの間のマッピング関係を記述するために使用される。本発明の当該実施形態におけるＣＱＩテーブル内のマッピング関係は本発明を理解する簡単さのため１例として用いたにすぎず、本発明におけるＣＱＩテーブルの表現形式は本明細書で説明した形式に限定されることを意味するものではない。即ち、当該ＣＱＩテーブルは、ＣＱＩインデックスとエントリの間のマッピング関係を提供できる限り、様々な組合せを有してもよい。当該組合せの全ては本発明の保護範囲に入るものとする。
【０２４８】
第１のＭＣＳテーブルをプロトコルで予め定義してもよく、プロトコルに準拠して端末装置により事前設定してもよく、または端末装置により事前に格納してもよく、またはダウンリンク・チャネル状態に従って少なくとも２つの所定のテーブルから端末装置により選択され、または基地局によって端末装置に通知してもよく、特に、基地局により端末装置に通知するための方法が、基地局により、アップリンク・チャネル状態またはダウンリンク・チャネル状態に従って少なくとも２つの所定のテーブルから１つのテーブルを選択するステップと、端末装置に当該選択されたテーブルを通知するステップとであってもよい。当該ＭＣＳテーブルはＭＣＳインデックスとエントリの間のマッピング関係を記述するために用いられたものである。本発明の当該実施形態におけるＭＣＳテーブル内のマッピング関係は本発明を理解する簡単さのため１例として用いたにすぎず、本発明におけるＭＣＳテーブルの表現形式は本明細書で説明した形式に限定されることを意味するものではない。即ち、当該ＭＣＳテーブルは、ＭＣＳインデックスとエントリの間のマッピング関係を提供できる限り、様々な組合せを有してもよい。当該組合せの全ては本発明の保護範囲に入るものとする。
【０２４９】
第１のＣＱＩテーブルが、変調方式が６４ＱＡＭよりも高いエントリと、第２のＣＱＩテーブル内にあり変調方式がＱＰＳＫである少なくとも１つのエントリであって、変調方式がＱＰＳＫである少なくとも１つのエントリは、第２のＣＱＩテーブル内にあり変調方式がＱＰＳＫである少なくとも１つのエントリにより形成された第１の組合せとは異なる組合せを含み、第１の組合せは、第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または第２のＣＱＩテーブル内にあり変調方式が１６ＱＡＭである少なくとも１つのエントリとを含んでもよい。第２のＣＱＩテーブル内の変調方式はＱＰＳＫ、１６ＱＡＭ、および６４ＱＡＭのみを含む。
【０２５０】
即ち、第１のＣＱＩテーブルは変調方式が６４ＱＡＭよりも高いエントリを含み、第１のＣＱＩテーブルはさらに、第２のＣＱＩテーブル内にあり変調方式がＱＰＳＫである少なくとも１つのエントリを含む。第１のＣＱＩテーブル内にあり変調方式がＱＰＳＫであるエントリが、第２のＣＱＩテーブル内にあり変調方式がＱＰＳＫであり対応するＣＱＩインデックスが連続であり最大のものであるＮ個のエントリにすぎないということはありえず、Ｎは３に等しいか、またはＮは４未満の正の整数であるか、またはＮは正の整数であり、かつ／または第１のＣＱＩテーブルはさらに、第２のＣＱＩテーブル内にあり変調方式が１６ＱＡＭである少なくとも１つのエントリを含む。第２のＣＱＩテーブル内のエントリの変調方式はＱＰＳＫ、１６ＱＡＭ、および６４ＱＡＭのみを含み、第１のＣＱＩテーブル内のエントリは、第１のＣＱＩテーブル内のＣＱＩインデックスに対応する１つの変調方式、１つの符号化率、１つのスペクトル効率を指し、第２のＣＱＩテーブル内のエントリは第２のＣＱＩテーブル内のＣＱＩインデックスに対応する１つの変調方式、１つの符号化率、および１つのスペクトル効率を指す。
【０２５１】
当該実施形態の第１のＣＱＩテーブルに関する詳細については、図１に対応する実施形態における第１のＣＱＩテーブルの説明を参照されたい。当該実施形態ではさらなる詳細は提供しない。
【０２５２】
第１のＭＣＳテーブルが、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは、第２のＭＣＳテーブル内にあり変調方式がＱＰＳＫである少なくとも１つのエントリにより形成された、第２の組合せと異なる組合せを含み、第２の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含んでもよく、第２のＭＣＳテーブル内の変調方式はＱＰＳＫ、１６ＱＡＭ、および６４ＱＡＭのみを含む。
【０２５３】
即ち、第１のＭＣＳテーブルはさらに、第２のＭＣＳテーブル内にあり変調方式がＱＰＳＫである少なくとも１つのエントリを含む。第２のＭＣＳテーブル内にあり変調方式がＱＰＳＫであるエントリは、第２のＭＣＳテーブル内にあり対応するＭＣＳインデックスは連続であり最大であるＫ個のエントリにすぎないということはありえない。Ｋは４に等しいか、またはＫは５未満の正の整数であるか、または、Ｋは正の整数であり、かつ／または第１のＭＣＳテーブルはさらに、第２のＭＣＳテーブル内にあり変調方式が１６ＱＡＭである少なくとも１つのエントリを含む。第２のＣＱＩテーブル内のエントリの変調方式はＱＰＳＫ、１６ＱＡＭ、および６４ＱＡＭのみを含む。第１のＭＣＳテーブル内のエントリは第１のＭＣＳテーブル内のＭＣＳインデックスに対応する１つの変調方式および１つのＴＢＳインデックスを指し、第２のＭＣＳテーブル内のエントリは第２のＭＣＳテーブル内のＭＣＳインデックスに対応する１つの変調方式および１つのＴＢＳインデックスを指す。
【０２５４】
当該組合せは、第２のＭＣＳテーブル内にあり変調方式がＱＰＳＫである少なくとも１つのエントリにより形成された組合せである。表６−２に示す第２のＭＣＳテーブルの例では、２９−１＝１０２３個の、第２のＭＣＳテーブル内にあり変調方式がＱＰＳＫである少なくとも１つのエントリにより形成された組合せが存在する。例えば、当該組合せが、第２のＭＳＣテーブルにおいて、ＭＣＳインデックス６に対応するエントリによって形成された組合せであってもよく、第２のＭＣＳテーブル内の、それぞれＭＣＳインデックス６、７、８、および９に対応するエントリによって形成された組合せであってもよく、第２のＭＣＳテーブル内の、それぞれ第２のＭＣＳインデックス３、６、７、８、および９に対応するエントリによって形成された組合せであってもよい、等である。
【０２５５】
特に、３つのタイプの第１のＭＣＳテーブルが存在してもよい。
１番目のタイプの第１のＭＣＳテーブル：変調方式がＱＰＳＫであるエントリおよび変調方式が６４ＱＡＭよりも高いエントリのみを含む。
２番目のタイプの第１のＭＣＳテーブル：変調方式が１６ＱＡＭであるエントリおよび変調方式が６４ＱＡＭよりも高いエントリのみを含む。
３番目のタイプの第１のＭＣＳテーブル：変調方式がＱＰＳＫであるエントリ、変調方式が１６ＱＡＭであるエントリ、および変調方式が６４ＱＡＭよりも高いエントリのみを含む。
【０２５６】
本発明において様々なタイプの第１のＭＣＳテーブルが存在してもよく、以上の３つのタイプの第１のＭＣＳテーブルは本発明を理解する簡単さのための例にすぎず、本発明を限定することを意味しない。
【０２５７】
特に、第１のＭＣＳインデックスが、受信した第１のＣＱＩインデックス、第１のＣＱＩテーブル、第１のＭＣＳテーブルに従って決定され、または取得した第１のＣＱＩテーブル、取得された第１のＭＣＳテーブル、および受信した第１のＣＱＩインデックスに従って第１のＭＣＳインデックスを決定するステップは、第１のＣＱＩテーブル、第１のＭＣＳテーブル、および受信した第１のＣＱＩインデックスに従って、第１のＴＢＳインデックスおよび第１のＭＣＳインデックスを決定するステップであって、特に、取得された第１のＰＲＢ量、第１のＣＱＩテーブル、および第１のＭＣＳテーブル、および受信した第１のＣＱＩインデックスに従って第１のＴＢＳインデックスおよび第１のＭＣＳインデックスを決定するステップを含む、ステップを含み、さらに、取得された第１のＰＲＢ量、第１のＣＱＩテーブル、第１のＭＣＳテーブル、および第１のＴＢＳテーブル、および受信した第１のＣＱＩインデックスに従って第１のＴＢＳインデックスおよび第１のＭＣＳインデックスを決定するステップを含む。
【０２５８】
第１のＰＲＢ量は基地局により端末装置に割り当てられたＰＲＢ量であるか、または、第１のＰＲＢ量は端末装置に割り当てられた当該ＰＲＢ量と特定の係数の積以下の最大の整数である。当該特定の係数は事前に格納された数値または基地局により端末装置に通知された数値である。
【０２５９】
特に、第１の変調方式が２５６ＱＡＭであり端末装置に割り当てられたＰＲＢ量が特定の閾値Ｑ以下である場合、第１のＰＲＢ量は端末装置に割り当てられた当該ＰＲＢ量と特定の係数Ｐの積を越えない最大の整数である。ＰとＱの積は最大ＰＲＢ量を越えず、ＬＴＥシステムでは、最大ＰＲＢ量は１１０である。Ｑ＝８２、Ｐ＝１．３３でありＰ＊Ｑ＝１０９．０６＜１１０であるとき、基地局により端末装置に割り当てられたＰＲＢ量が５０である場合、第１のＰＲＢ量が５０＊１．３３＝６６．５以下の最大の整数であること、即ち、第１のＰＲＢ量は６６であることが好ましい。
【０２６０】
第１のＴＢＳテーブルは各ＴＢＳインデックスに対応する少なくとも１つのＰＲＢ量および各ＰＲＢ量に対応する送信ブロック・サイズを含み、第１のＴＢＳテーブルは第１のＭＣＳテーブルに対応するＴＢＳテーブルである。
【０２６１】
さらに場合によっては、第１のＴＢＳテーブル内のＴＢＳインデックスの値範囲は０乃至Ａであり、Ａは２６以下の正の整数である。
【０２６２】
あるいは、場合によっては、第１のＴＢＳテーブル内のＴＢＳインデックスの値範囲は０乃至Ｂであり、Ｂは２６以上の正の整数であり、第１のＴＢＳテーブル内のＴＢＳインデックス０乃至２６に対応する送信ブロック・サイズは第２のＴＢＳテーブル内のＴＢＳインデックス０乃至２６に対応する送信ブロック・サイズと同一であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【０２６３】
あるいは、場合によっては、第１のＴＢＳテーブル内のＴＢＳインデックスの値範囲は０乃至Ｂであり、Ｂは２６以上の正の整数であり、第１のＴＢＳテーブル内のＴＢＳインデックス０乃至Ｃに対応する送信ブロック・サイズは第２のＴＢＳテーブル内のＴＢＳインデックス０乃至Ｃに対応する送信ブロック・サイズと同一であり、Ｃは２６以下の非負整数であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【０２６４】
さらに、特に、第１のＣＱＩテーブル、第１のＰＲＢ量、第１のＴＢＳテーブル、および受信した第１のＣＱＩインデックスに従って第１のＴＢＳインデックスを決定するステップは、先ず、受信した第１のＣＱＩインデックスに対応する第１の変調方式および第１のスペクトル効率が、受信した第１のＣＱＩインデックスおよび第１のＣＱＩテーブルに従って決定されることを含む。
【０２６５】
次に、端末装置に送信された第１の送信ブロック・サイズを第１のＰＲＢ量および第１のスペクトル効率に従って学習する。
【０２６６】
その後、第１のＴＢＳテーブル内の第１の送信ブロック・サイズおよび第１のＰＲＢ量に対応する第１のＴＢＳインデックスが第１のＴＢＳテーブルに従って取得される。
【０２６７】
第１のＣＱＩテーブル、第１のＭＣＳテーブル、および第１のＴＢＳテーブルを基地局により事前に格納してもよいことに留意されたい。
【０２６８】
理解の簡単さのため、以下では既存のプロトコルでＴＢＳテーブル（即ち、第２のＴＢＳテーブル）を提供する。
【０２６９】
【表６３】
2020053973.tif 000083
【０２７０】
例示的に、Ｂ＝３２のとき、第１のＴＢＳテーブルにおいて、第１のＴＢＳインデックスの値範囲は（表８に示すように）０乃至３２である。当該テーブルに示すｘｘｘは送信ブロック・サイズを表し、特定の値を、シミュレーション結果に従って設定してもよい。
【０２７１】
【表６４】
2020053973.tif 000084
【０２７２】
以下で第１のＴＢＳテーブルをさらに説明する。
【０２７３】
場合によっては、第１のＴＢＳテーブルはＴＢＳインデックスＹ１を含む。ＰＲＢ量ごとに、ＴＢＳインデックスＹ１に対応する送信ブロック・サイズは、第２のＴＢＳテーブルにおけるＴＢＳインデックス２５に対応する送信ブロック・サイズより大きく、第２のＴＢＳテーブルにおけるＴＢＳインデックス２６に対応する送信ブロック・サイズより小さく、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する１つの送信ブロック・サイズを含む。
【０２７４】
ＴＢＳインデックスＹ１が２６より大きくてもよい。例えば、Ｙ１が２７または２８であってもよい。
【０２７５】
例えば、ＰＲＢ量ごとに、第１のＴＢＳテーブル内のＴＢＳインデックス２７に対応する送信ブロック・サイズは、第２のＴＢＳテーブルにおけるＴＢＳインデックス２５に対応する送信ブロック・サイズより大きく、第２のＴＢＳテーブルにおけるＴＢＳインデックス２６に対応する送信ブロック・サイズより小さい。より具体的には、ＰＲＢ量が１である場合、第１のＴＢＳテーブル内の当該ＴＢＳインデックス２７に対応する送信ブロック・サイズは６１６より大きく７１２より小さい。別の例として、ＰＲＢ量が２である場合、第１のＴＢＳテーブル内のＴＢＳインデックス２７に対応する送信ブロック・サイズは１２５６より大きく１４８０より小さい。
【０２７６】
場合によっては、第１のＴＢＳテーブルは、ＴＢＳインデックスＹ２および以下の表ＡにおけるＴＢＳインデックスＹ２に対応するエントリのうち少なくとも１つを含む。任意の１つのエントリは、１つのＰＲＢ量および当該ＰＲＢ量に対応する１つの送信ブロック・サイズを含む。
【０２７７】
第１のＴＢＳテーブル内のＴＢＳインデックスＹ２が２６より大きく、例えば、Ｙ２＝２７であってもよい。
【０２７８】
【表６５】
2020053973.tif 000085
【０２７９】
かつ／または、第１のＴＢＳテーブルはＴＢＳインデックスＹ３および以下の表Ｂ１、Ｂ２、Ｂ３、またはＢ４におけるＴＢＳインデックスＹ３に対応する少なくとも１つのエントリを含む。任意の１つのエントリは、１つのＰＲＢ量および当該ＰＲＢ量に対応する１つの送信ブロック・サイズを含む。
【０２８０】
第１のＴＢＳテーブル内のＴＢＳインデックスＹ３が２６より大きく、例えば、Ｙ３＝３３であってもよい。
【０２８１】
【表６６】
2020053973.tif 000086
【０２８２】
【表６７】
2020053973.tif 000087
【０２８３】
【表６８】
2020053973.tif 000088
【０２８４】
【表６９】
2020053973.tif 000089
【０２８５】
かつ／または、第１のＴＢＳテーブルはＴＢＳインデックスＹ４＿１乃至Ｙ４＿５および以下の表Ｃ１またはＣ２におけるＴＢＳインデックスＹ４＿１乃至Ｙ４＿５に対応する少なくとも１つのエントリを含む。任意の１つのエントリは１つのＰＲＢ量および当該ＰＲＢ量に対応する５つの送信ブロック・サイズを含む。
【０２８６】
第１のＴＢＳテーブル内のＹ４＿１乃至Ｙ４＿５が２６より大きく、例えば、Ｙ４＿１＝２８、Ｙ４＿２＝２９、Ｙ４＿３＝３０、Ｙ４＿４＝３１、およびＹ４＿５＝３２であってもよい。
【０２８７】
【表７０】
2020053973.tif 000090
2020053973.tif 000091
2020053973.tif 000092
【０２８８】
【表７１】
2020053973.tif 000093
2020053973.tif 000094
2020053973.tif 000095
【０２８９】
最後に、第１のＴＢＳインデックスに対応する第１のＭＣＳインデックスを第１のＭＣＳテーブル、第１の変調方式、および第１のＴＢＳインデックスに従って学習する。
【０２９０】
当該実施形態の第１のＣＱＩテーブルは以上の実施形態における第１のＣＱＩテーブルと同じであり、詳細についてはここでは再度説明しない。以下で、当該実施形態における第１のＭＣＳテーブルを詳細に説明する。
【０２９１】
理解の簡単さのため、以下のＭＣＳテーブル（即ち、第２のＭＣＳテーブル）を説明のための１例として用いる
【０２９２】
【表７２】
2020053973.tif 000096
【０２９３】
表９では、変調順序は変調方式に対応する。例えば、変調方式がＱＰＳＫである場合、変調順序は２であり、変調方式が１６ＱＡＭである場合、変調順序が４であり、変調方式が６４ＱＡＭである場合、変調順序は６であり、変調方式が２５６ＱＡＭである場合、変調順序は８である。
【０２９４】
表９において、ＭＣＳインデックスが２９、３０、および３１であるエントリは予約されたエントリである。
【０２９５】
具体的な実装プロセスにおいて先行技術への変更を最小化するために、第１のＭＣＳテーブル内のＭＣＳインデックスの値範囲および第２のＭＣＳテーブル内のＭＣＳインデックスの値範囲が同一であってもよく、例えば、０乃至３１であることが好ましいことに留意されたい。明らかに、第１のＭＣＳテーブル内のＭＣＳインデックスの値範囲が第２のＭＣＳテーブル内のＭＣＳインデックスの値範囲より大きくてもよく、例えば、第１のＭＣＳテーブル内のＭＣＳインデックスの値範囲は０乃至４０である。
【０２９６】
１番目のタイプの第１のＭＣＳテーブル：当該１番目のタイプの第１のＭＣＳテーブルは、変調方式がＱＰＳＫであるエントリおよび変調方式が６４ＱＡＭよりも高いエントリのみを含む。
【０２９７】
第１のＭＣＳテーブルが、変調方式が６４ＱＡＭよりも高い１つのエントリまたは複数のエントリを含んでもよい。変調方式が６４ＱＡＭよりも高い各エントリは変調順序および第１のＴＢＳインデックスを含み、対応するＭＣＳインデックスを有する。
【０２９８】
【表７３】
2020053973.tif 000097
【０２９９】
第１のＭＣＳテーブルはさらに、第２のＭＣＳテーブル内にあり変調方式がＱＰＳＫである少なくとも１つのエントリを含む。変調方式がＱＰＳＫである少なくとも１つのエントリは、第２のＭＣＳテーブル内にあり変調方式がＱＰＳＫである少なくとも１つのエントリにより形成された、第２の組合せと異なる組合せを含む。即ち、第１のＭＣＳテーブルはさらに、第２のＭＣＳテーブル内にあり変調方式がＱＰＳＫである少なくとも１つのエントリを含む。変調方式がＱＰＳＫであるエントリは、第２のＭＣＳテーブル内にあり対応するＭＣＳインデックスは連続であり最大であるＫ個のエントリではない。Ｋは６である。特に、インデックス０乃至９に対応し変調方式がＱＰＳＫである第２のＭＣＳテーブル（即ち、表９）内の９個のエントリの一部は第１のＭＣＳテーブルに含まれる。第１のＭＣＳテーブル内にあり変調方式がＱＰＳＫであるエントリは、第２のＭＣＳテーブル内にあり変調方式がＱＰＳＫでありＭＣＳインデックスが連続であり最大のものである６つのエントリではない。
【０３００】
即ち、第１のＭＣＳテーブル内にあり変調方式がＱＰＳＫであるエントリが、第２のＭＣＳテーブル内の、それぞれＭＣＳインデックス４、５、６、７、８、および９に対応するエントリにすぎないということはありえない。
【０３０１】
あるいは、第１のＭＣＳテーブルはさらに、第２のＭＣＳテーブル内にあり変調方式がＱＰＳＫである少なくとも１つのエントリを含み、変調方式がＱＰＳＫであるエントリは、第２のＭＣＳテーブル内にあり対応するＭＣＳインデックスは連続であり最大であるＫ個のエントリではない。Ｋは正の整数である。特に、それぞれインデックス０乃至９に対応し変調方式がＱＰＳＫである第２のＭＣＳテーブル内の９個のエントリの一部は第１のＭＣＳテーブルに含まれる。第１のＭＣＳテーブル内にあり変調方式がＱＰＳＫであるエントリは、第２のＭＣＳテーブル内にあり変調方式がＱＰＳＫでありＭＣＳインデックスは連続であり最大のものであるＫ個のエントリではない。特に、Ｋの値範囲が１乃至８であってもよい。即ち、第１のＭＣＳテーブル内にあり変調方式がＱＰＳＫであるエントリ第２のＭＣＳテーブル内の、ＭＣＳインデックス９に対応するエントリにすぎないということはありえないか、または、第１のＭＣＳテーブル内にあり変調方式がＱＰＳＫであるエントリが、第２のＭＣＳテーブル内の、それぞれＭＣＳインデックス８および９に対応するエントリにすぎないということはありえないか、または、第１のＭＣＳテーブル内にあり変調方式がＱＰＳＫであるエントリが、第２のＭＣＳテーブル内の、それぞれＭＣＳインデックス７、８、および９に対応するエントリにすぎないということはありえないか、または、第１のＭＣＳテーブル内にあり変調方式がＱＰＳＫであるエントリが、第２のＭＣＳテーブル内の、それぞれＭＣＳインデックス６、７、８、および９に対応するエントリにすぎないということはありえないか、または、第１のＭＣＳテーブル内にあり変調方式がＱＰＳＫであるエントリが、第２のＭＣＳテーブル内の、それぞれＭＣＳインデックス５、６、７、８、および９に対応するエントリにすぎないということはありえないか、または、第１のＭＣＳテーブル内にあり変調方式がＱＰＳＫであるエントリが、第２のＭＣＳテーブル内の、それぞれＭＣＳインデックス４、５、６、７、８、および９に対応するエントリにすぎないということはありえないか、または、第１のＭＣＳテーブル内にあり変調方式がＱＰＳＫであるエントリが、第２のＭＣＳテーブル内の、それぞれＭＣＳインデックス３、４、５、６、７、８、および９に対応するエントリにすぎないということはありえないか、または、第１のＭＣＳテーブル内にあり変調方式がＱＰＳＫであるエントリが、第２のＭＣＳテーブル内の、それぞれＭＣＳインデックス２、３、４、５、６、７、８、および９に対応するエントリにすぎないということはありえない。
【０３０２】
あるいは、第１のＭＣＳテーブルは、第２のＭＣＳテーブル内にあり変調方式がＱＰＳＫであるエントリの一部を含む。当該エントリの一部に対応する連続するＭＣＳインデックスの差分は同一である。
【０３０３】
例示的に、第１のＭＣＳテーブル内にあり変調方式がＱＰＳＫであるエントリが第２のＭＣＳテーブル内にあり変調方式がＱＰＳＫであるエントリのうち３つを含む場合、第１のＭＣＳテーブル内にあり変調方式がＱＰＳＫであるエントリが第２のＭＣＳテーブル内の、それぞれＭＣＳインデックス０、３、および６に対応するエントリを含んでもよいか、または、第１のＭＣＳテーブル内にあり変調方式がＱＰＳＫであるエントリが、第２のＭＣＳテーブル内の、それぞれがＭＣＳインデックス２、５、および８に対応するエントリを含んでもよいか、または、第１のＭＣＳテーブル内にあり変調方式がＱＰＳＫであるエントリが、第２のＭＣＳテーブル内の、それぞれがＭＣＳインデックス３、６、および９に対応するエントリを含んでもよいか、または、第１のＭＣＳテーブル内にあり変調方式がＱＰＳＫであるエントリが、第２のＭＣＳテーブル内の、それぞれがＭＣＳインデックス０、４、および８に対応するエントリを含んでもよいか、または、第１のＭＣＳテーブル内にあり変調方式がＱＰＳＫであるエントリが、第２のＭＣＳテーブル内の、それぞれがＭＣＳインデックス１、５、および９に対応するエントリを含んでもよい。第１のＭＣＳテーブル内にあり変調方式がＱＰＳＫであるエントリが第２のＭＣＳテーブル内にあり変調方式がＱＰＳＫであるエントリのうち４つを含む場合、第１のＭＣＳテーブル内にあり変調方式がＱＰＳＫであるエントリが第２のＭＣＳテーブル内の、それぞれＭＣＳインデックス０、３、６、および９に対応するエントリを含んでもよい。第１のＭＣＳテーブル内にあり変調方式がＱＰＳＫであるエントリが第２のＭＣＳテーブル内にあり変調方式がＱＰＳＫであるエントリのうち５つを含む場合、第１のＭＣＳテーブル内にあり変調方式がＱＰＳＫであるエントリが、第２のＭＣＳテーブル内の、それぞれＭＣＳインデックス１、３、５、７、および９に対応するエントリを含んでもよいか、または、第１のＭＣＳテーブル内にあり変調方式がＱＰＳＫであるエントリが第２のＭＣＳテーブル内の、それぞれＭＣＳインデックス０、２、４、６、および８に対応するエントリを含んでもよい。
【０３０４】
あるいは、第１のＭＣＳテーブルは第２のＭＣＳテーブル内にあり変調方式がＱＰＳＫであるエントリの一部を含み、当該エントリの一部に対応する連続するＭＣＳインデックスの差分は同一ではない。
【０３０５】
例示的に、第１のＭＣＳテーブル内にあり変調方式がＱＰＳＫであるエントリは、第２のＭＣＳテーブル内にあり変調方式がＱＰＳＫであるエントリのうちＭ個を含む。Ｍの値は３、４、５、６、７、８、または９であってもよい。Ｍ＝５である場合、第１のＭＣＳテーブル内にあり変調方式がＱＰＳＫであるエントリは、第２のＭＣＳテーブル内にあり変調方式がＱＰＳＫであるエントリのうち５つを含み、第１のＭＣＳテーブル内にあり変調方式がＱＰＳＫであるエントリが、第２のＭＣＳテーブル内の、それぞれＭＣＳインデックス１、４、７、８、および９に対応するエントリを含んでもよい。
【０３０６】
あるいは、第１のＭＣＳテーブルは第２のＭＣＳテーブル内にあり変調方式がＱＰＳＫであるエントリの一部を含み、当該エントリの一部に対応するＭＣＳインデックスは不連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである。即ち、第１のＭＣＳテーブルは第２のＭＣＳテーブル内にあり変調方式がＱＰＳＫであるエントリの一部を含むが、ＭＣＳインデックスが、第２のＭＣＳテーブル内にあり変調方式がＱＰＳＫである全てのエントリのうち最大であるエントリは含まない。
【０３０７】
例示的に、第１のＭＣＳテーブル内にあり変調方式がＱＰＳＫであるエントリは第２のＭＣＳテーブル内にあり変調方式がＱＰＳＫであるエントリのうちＭ個を含む。Ｍの値は１、２、３、４、５、６、７、８、または９であってもよい。Ｍ＝８の場合、第１のＭＣＳテーブル内にあり変調方式がＱＰＳＫであるエントリは、第２のＭＣＳテーブル内にあり変調方式がＱＰＳＫであるエントリのうち８つを含み、第１のＭＣＳテーブル内にあり変調方式がＱＰＳＫであるエントリが第２のＭＣＳテーブル内の、それぞれＭＣＳインデックス０、１、２、３、４、５、６、７、および８に対応するエントリを含んでもよい。
【０３０８】
あるいは、第１のＭＣＳテーブルは、第２のＭＣＳテーブル内にあり変調方式がＱＰＳＫであるエントリの一部を含み、当該エントリの一部に対応するＭＣＳインデックスは連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである。即ち、第１のＭＣＳテーブルは第２のＭＣＳテーブル内にあり変調方式がＱＰＳＫであるエントリの一部を含むが、ＭＣＳインデックスが、第２のＭＣＳテーブル内にあり変調方式がＱＰＳＫである全てのエントリのうち最大であるエントリは含まない。
【０３０９】
例示的に、第１のＭＣＳテーブル内にあり変調方式がＱＰＳＫであるエントリは、第２のＭＣＳテーブル内にあり変調方式がＱＰＳＫであるエントリのうちＭ個を含む。Ｍの値は１、２、３、４、５、６、７、８、または９であってもよい。Ｍ＝８の場合、第１のＭＣＳテーブル内にあり変調方式がＱＰＳＫであるエントリは第２のＭＣＳテーブル内にあり変調方式がＱＰＳＫであるエントリのうち８つを含み、第１のＭＣＳテーブル内にあり変調方式がＱＰＳＫであるエントリが第２のＭＣＳテーブル内の、それぞれＭＣＳインデックス０、１、２、３、４、５、６、および７に対応するエントリを含んでもよい。
【０３１０】
２番目のタイプの第１のＭＣＳテーブル：当該２番目のタイプの第１のＭＣＳテーブルは、変調方式が１６ＱＡＭであるエントリおよび変調方式が６４ＱＡＭよりも高いエントリのみを含む。
【０３１１】
第１のＭＣＳテーブルが、変調方式が６４ＱＡＭよりも高い１つのエントリまたは複数のエントリを含んでもよい。変調方式が６４ＱＡＭよりも高い各エントリは変調順序および第１のＴＢＳインデックスを含み、対応するＭＣＳインデックスを有する。
【０３１２】
第１のＭＣＳテーブルはさらに、第２のＭＣＳテーブル内にあり変調方式が１６ＱＡＭである少なくとも１つのエントリを含む。
【０３１３】
特に、第１のＭＣＳテーブルはさらに、第２のＭＣＳテーブル内にあり変調方式が１６ＱＡＭである全てのエントリを含む。
【０３１４】
例示的に、第１のＭＣＳテーブルはさらに、第２のＭＣＳテーブル内にあり対応する変調方式が１６ＱＡＭであり対応するＭＣＳインデックスが１０乃至１６である６つのエントリを含む。
【０３１５】
あるいは、第１のＭＣＳテーブルはさらに、第２のＭＣＳテーブル内にあり変調方式が１６ＱＡＭであるエントリの一部を含む。当該エントリの一部に対応する連続するＭＣＳインデックスの差分は同一である。
【０３１６】
例示的に、第１のＭＣＳテーブル内にあり変調方式が１６ＱＡＭであるエントリが、第２のＭＣＳテーブル内にあり変調方式が１６ＱＡＭであるエントリのうち３つを含む場合、第１のＭＣＳテーブル内にあり変調方式が１６ＱＡＭであるエントリが、第２のＭＣＳテーブル内の、それぞれＭＣＳインデックス１０、１３、および１６に対応するエントリを含んでもよいか、または、第１のＭＣＳテーブル内にあり変調方式が１６ＱＡＭであるエントリが、第２のＭＣＳテーブル内の、それぞれＭＣＳインデックス１０、１２、および１４に対応するエントリを含んでもよいか、または、第１のＭＣＳテーブル内にあり変調方式が１６ＱＡＭであるエントリが、第２のＭＣＳテーブル内の、それぞれＭＣＳインデックス１１、１３、および１５に対応するエントリを含んでもよいか、または、第１のＭＣＳテーブル内にあり変調方式が１６ＱＡＭであるエントリが、第２のＭＣＳテーブル内の、それぞれＭＣＳインデックス１２、１４、および１６に対応するエントリを含んでもよい。第１のＭＣＳテーブル内にあり変調方式が１６ＱＡＭであるエントリが、第２のＭＣＳテーブル内にあり変調方式が１６ＱＡＭであるエントリのうち４つを含む場合、第１のＭＣＳテーブル内にあり変調方式が１６ＱＡＭであるエントリが、第２のＭＣＳテーブル内の、それぞれＭＣＳインデックス１０、１２、１４、および１６に対応するエントリを含んでもよい。
【０３１７】
あるいは、第１のＭＣＳテーブルはさらに、第２のＭＣＳテーブル内にあり変調方式が１６ＱＡＭであるエントリを含む。当該エントリの一部に対応する連続するＭＣＳインデックスの差分は同一ではない。
【０３１８】
例示的に、第１のＭＣＳテーブル内にあり変調方式がＱＰＳＫであるエントリが第２のＭＣＳテーブル内にあり変調方式が１６ＱＡＭであるエントリのうちＭ個を含む。Ｍの値は３、４、５、または６であってもよい。Ｍ＝５である場合、第１のＭＣＳテーブル内にあり変調方式が１６ＱＡＭであるエントリが第２のＭＣＳテーブル内の、それぞれＭＣＳインデックス１０、１２、１４、１５、および１６に対応するエントリを含んでもよい。
【０３１９】
あるいは、第１のＭＣＳテーブルはさらに、第２のＭＣＳテーブル内にあり変調方式が１６ＱＡＭであるエントリの一部を含む。当該エントリの一部に対応するＭＣＳインデックスは不連続であり、当該エントリの一部は、第２のＭＣＳインデックスが、第２のＭＣＳテーブル内にあり変調方式が１６ＱＡＭである全てのエントリのうち最大であるエントリと異なる少なくとも１つのエントリである。即ち、第１のＭＣＳテーブルはさらに、第２のＭＣＳテーブル内にあり変調方式が１６ＱＡＭであるエントリの一部を含む。当該エントリの一部に対応するＭＣＳインデックスは不連続であり、当該エントリの一部は、ＭＣＳインデックスが、第２のＭＣＳテーブル内にあり変調方式が１６ＱＡＭである全てのエントリのうち最大であるエントリを含まない。
【０３２０】
例示的に、第１のＭＣＳテーブル内にあり変調方式が１６ＱＡＭであるエントリは、変調方式が１６ＱＡＭであるエントリのうちＭ個を含む。Ｍの値は１、２、３、４、５、または６であってもよい。Ｍ＝５である場合、第１のＭＣＳテーブル内にあり変調方式が１６ＱＡＭであるエントリが、第２のＭＣＳテーブル内の、それぞれＭＣＳインデックス１０、１１、１２、１３、および１５に対応するエントリを含んでもよい。
【０３２１】
あるいは、第１のＭＣＳテーブルはさらに、第２のＭＣＳテーブル内にあり変調方式が１６ＱＡＭであるエントリの一部を含む。当該エントリの一部に対応するＭＣＳインデックスは連続であり、当該エントリの一部は、ＭＣＳインデックスが、第２のＭＣＳテーブル内にあり変調方式が１６ＱＡＭである全てのエントリのうち最大であるエントリと異なる少なくとも１つのエントリである。即ち、第１のＭＣＳテーブルはさらに、第２のＭＣＳテーブル内にあり変調方式が１６ＱＡＭであるエントリの一部を含み、当該エントリの一部は、ＭＣＳインデックスが、第２のＭＣＳテーブル内にあり変調方式が１６ＱＡＭである全てのエントリのうち最大であるエントリを含まない。
【０３２２】
例示的に、第１のＭＣＳテーブル内にあり変調方式が１６ＱＡＭであるエントリは、第２のＭＣＳテーブル内にあり変調方式が１６ＱＡＭであるエントリのうちＭ個を含む。Ｍの値は１、２、３、４、５、または６であってもよい。Ｍ＝６である場合、第１のＭＣＳテーブル内にあり変調方式が１６ＱＡＭであるエントリが、第２のＭＣＳテーブル内の、それぞれＭＣＳインデックス１０、１１、１２、１３、１４、および１５に対応するエントリを含んでもよい。
【０３２３】
あるいは、第１のＭＣＳテーブルはさらに、第２のＭＣＳテーブル内にあり変調方式が１６ＱＡＭであるエントリの一部を含む。当該エントリの一部は、各ＭＣＳインデックスが、第２のＭＣＳテーブル内にあり変調方式が１６ＱＡＭである全てのエントリのうち最大または最小であるエントリと異なる少なくとも１つのエントリである。即ち、第１のＭＣＳテーブルはさらに、第２のＭＣＳテーブル内にあり変調方式が１６ＱＡＭであるエントリの一部を含む。当該エントリの一部は、各ＭＣＳインデックスが、第２のＭＣＳテーブル内にあり変調方式が１６ＱＡＭである全てのエントリのうち最大または最小であるエントリを含まない。
【０３２４】
例示的に、第１のＭＣＳテーブル内にあり変調方式が１６ＱＡＭであるエントリは、第２のＭＣＳテーブル内にあり変調方式が１６ＱＡＭであるエントリのうちＭ個を含む。Ｍの値は１、２、３、４、または５であってもよい。Ｍ＝５である場合、第１のＭＣＳテーブル内にあり変調方式が１６ＱＡＭであるエントリが、第２のＭＣＳテーブル内の、それぞれＭＣＳインデックス１１、１２、１３、１４、および１５に対応するエントリを含んでもよい。あるいは、Ｍ＝４である場合、第１のＭＣＳテーブル内にあり変調方式が１６ＱＡＭであるエントリが、第２のＭＣＳテーブル内の、それぞれＭＣＳインデックス１１、１２、１３、および１４に対応するエントリを含んでもよいか、または、第１のＭＣＳテーブル内にあり変調方式が１６ＱＡＭであるエントリが、第２のＭＣＳテーブル内の、それぞれＭＣＳインデックス１１、１３、１４、および１５に対応するエントリを含んでもよい。
【０３２５】
３番目のタイプの第１のＭＣＳテーブル：変調方式が１６ＱＡＭであるエントリを、当該１番目のタイプの第１のＭＣＳテーブルに追加して当該３番目のタイプの第１のＣＱＩテーブルを得る。当該３番目のタイプの第１のＭＣＳテーブルが、変調方式がＱＰＳＫであるエントリ、変調方式が１６ＱＡＭであるエントリ、および変調方式が６４ＱＡＭよりも高いエントリのみを含む。特に、当該３番目のタイプの第１のＭＣＳテーブルに含まれ変調方式が１６ＱＡＭであるエントリが、当該２番目のタイプの第１のＭＣＳテーブル内にあり変調方式が１６ＱＡＭであるエントリと同一であってもよい。詳細については、当該２番目のタイプの第１のＭＣＳテーブル内にあり変調方式が１６ＱＡＭであるエントリに関する説明を参照されたい。
【０３２６】
さらに、第１のＭＣＳテーブルはさらに、第２のＭＣＳテーブル内にあり変調方式が６４ＱＡＭである少なくとも１つのエントリを含む。
【０３２７】
即ち、変調方式が６４ＱＡＭであるエントリを当該１番目のタイプの第１のＭＣＳテーブルに追加して４番目のタイプの第１のＭＣＳテーブルを得る。この場合、当該４番目のタイプの第１のＭＣＳテーブルは変調方式がＱＰＳＫであるエントリ、変調方式が６４ＱＡＭよりも高いエントリ、および変調方式が１６ＱＡＭであるエントリを含む。あるいは、変調方式が６４ＱＡＭであるエントリを当該２番目のタイプの第１のＭＣＳテーブルに追加して５番目のタイプの第１のＭＣＳテーブルを得る。この場合、当該５番目のタイプの第１のＭＣＳテーブルは変調方式が１６ＱＡＭであるエントリ、変調方式が６４ＱＡＭよりも高いエントリ、および変調方式が６４ＱＡＭであるエントリを含む。あるいは、変調方式が６４ＱＡＭであるエントリを当該３番目のタイプの第１のＭＣＳテーブルに追加して６番目のタイプの第１のＭＣＳテーブルを得る。この場合、当該６番目のタイプの第１のＭＣＳテーブルは、変調方式がＱＰＳＫであるエントリ、変調方式が１６ＱＡＭであるエントリ、変調方式が６４ＱＡＭよりも高いエントリ、および変調方式が６４ＱＡＭであるエントリを含む。
【０３２８】
４番目、５番目または６番目のタイプの第１のＭＣＳテーブルにおいて、変調方式が６４ＱＡＭであるエントリは以下の通りである。特に、第１のＭＣＳテーブルはさらに、第２のＭＣＳテーブル内にあり変調方式が６４ＱＡＭである全てのエントリを含む。
【０３２９】
例示的に、第１のＭＣＳテーブルはさらに、第２のＭＣＳテーブル内にあり対応する変調方式が６４ＱＡＭであり対応するＭＣＳインデックスが１７乃至２８である１２個のエントリを含む。
【０３３０】
あるいは、第１のＭＣＳテーブルはさらに、第２のＭＣＳテーブル内にあり変調方式が６４ＱＡＭであるエントリの一部を含む。当該エントリの一部は、ＭＣＳインデックスが、第２のＭＣＳテーブル内にあり変調方式が６４ＱＡＭである全てのエントリのうち最小であるエントリと異なる少なくとも１つのエントリである。即ち、第２のＭＣＳテーブル内にあり変調方式が６４ＱＡＭであるエントリの一部は第１のＭＣＳテーブルに含まれ、当該エントリの一部は、ＭＣＳインデックスが、第２のＭＣＳテーブル内にあり変調方式が６４ＱＡＭである全てのエントリのうち最小であるエントリを含まない。
【０３３１】
あるいは、第１のＭＣＳテーブルはさらに、第２のＭＣＳテーブル内にあり変調方式が６４ＱＡＭであるエントリの一部を含む。当該エントリの一部は、ＭＣＳインデックスが、第２のＭＣＳテーブル内にあり変調方式が６４ＱＡＭである全てのエントリのうち最大であるエントリと異なる少なくとも１つのエントリである。即ち、第２のＭＣＳテーブル内にあり変調方式が６４ＱＡＭであるエントリの一部は、第１のＭＣＳテーブルに含まれ、当該エントリの一部は、ＭＣＳインデックスが、第２のＭＣＳテーブル内にあり変調方式が６４ＱＡＭである全てのエントリのうち最大であるエントリを含まない。
【０３３２】
例示的に、第１のＭＣＳテーブルはさらに、第２のＭＣＳテーブル内にあり変調方式が６４ＱＡＭであるエントリのうちＭ個を含む。Ｍの値範囲は１乃至１１であり、Ｍは整数である。Ｍ＝５である場合、第１のＭＣＳテーブル内にあり変調方式が６４ＱＡＭであるエントリが、第２のＭＣＳテーブル内の、それぞれＭＣＳインデックス１８、１９、２０、２１、および２３に対応するエントリを含んでもよいか、または、第１のＭＣＳテーブル内にあり変調方式が６４ＱＡＭであるエントリが、第２のＭＣＳテーブル内の、それぞれＭＣＳインデックス１８、２０、２１、２４、および２５に対応するエントリを含んでもよいか、または、あるいは、Ｍ＝７である場合、第１のＭＣＳテーブル内にあり変調方式が６４ＱＡＭであるエントリが、第２のＭＣＳテーブル内の、それぞれＭＣＳインデックス１８、１９、２０、２１、２３、２５、および２６に対応するエントリを含んでもよいか、または、第１のＭＣＳテーブル内にあり変調方式が６４ＱＡＭであるエントリが、第２のＭＣＳテーブル内の、それぞれＭＣＳインデックス１９、２０、２１、２４、２５、２７、および２８に対応するエントリを含んでもよい、または、あるいは、Ｍ＝１１である場合、第１のＭＣＳテーブル内にあり変調方式が６４ＱＡＭであるエントリが、第２のＭＣＳテーブル内の、それぞれＭＣＳインデックス１７、１８、１９、２０、２１、２２、２３、２４、２５、２６、および２７に対応するエントリを含んでもよい。
【０３３３】
さらに、以上の６種類の第１のＭＣＳテーブルでは、対応するＭＣＳインデックスが、第１のＭＣＳテーブル内にあり変調方式が６４ＱＡＭよりも高い全てのエントリのうち最小であるエントリのＴＢＳインデックスは、ＭＣＳインデックスが、第２のＭＣＳテーブル内にあり変調方式が６４ＱＡＭである全てのエントリのうち最大であるエントリのＴＢＳインデックスと同じである。
【０３３４】
さらに、以上の６種類の第１のＭＣＳテーブルでは、対応するＭＣＳインデックスが、第１のＭＣＳテーブル内にあり変調方式が６４ＱＡＭよりも高いエントリのうち最小のものであるＲ個のエントリのＴＢＳインデックスが、ＭＣＳインデックスが、第２のＭＣＳテーブル内にあり変調方式が６４ＱＡＭでありそれぞれのＭＣＳインデックスが２７より大きくない全てのエントリのうち最大のものであるＲ個のエントリのＴＢＳインデックスに等しくてもよい。Ｒは自然数である。
【０３３５】
例示的に、対応するＭＣＳインデックスが、第１のＭＣＳテーブル内にあり変調方式が６４ＱＡＭよりも高いエントリのうち最小のものであるＲ個のエントリのＴＢＳインデックスは、以下の数値：｛１５、１６、１７、１８、１９、２０、２１、２２、２３、２４、２５｝のうち任意の１つまたは複数（３以上）を含む。
【０３３６】
Ｒ＝２の例では、対応するＭＣＳインデックスが、第１のＭＣＳテーブル内にあり変調方式が６４ＱＡＭよりも高いエントリのうち最小のものであるＲ個のエントリを以下の表１１−１に示す。
【０３３７】
【表７４】
2020053973.tif 000098
【０３３８】
例示的に、第１のＭＣＳテーブルにおいて、変調方式がＱＰＳＫである５つのエントリが存在し、対応するＭＣＳインデックスは０乃至４であり、変調方式が１６ＱＡＭである５つのエントリが存在し、対応するＭＣＳインデックスが５乃至９であり、変調方式が６４ＱＡＭである１１個のエントリが存在し、対応するＭＣＳインデックスは１０乃至２０であり、第１のＭＣＳテーブル内のＭＣＳインデックスの値範囲は０乃至３１であり、第１のＭＣＳテーブル内において、変調方式が６４ＱＡＭよりも高い７つのエントリが存在し（４つの予約されたエントリが含まれ、予約されたエントリに対応するＭＣＳインデックスはそれぞれ２８、２９、３０、および３１である）、対応するＭＣＳインデックスは２１乃至２８であり、当該エントリのうち最小のインデックスは２１であると仮定する。特に、以下の表１１−２で示すように、第１のＭＣＳテーブル内にありＭＣＳインデックスが２１乃至２６であるエントリのＴＢＳインデックスは、第２のＭＣＳテーブル内にありＭＣＳインデックス２８に対応するエントリのＴＢＳインデックスに等しい。
【０３３９】
【表７５】
2020053973.tif 000099
【０３４０】
第１のＭＣＳテーブルが実際には「第２のＭＣＳテーブル内のＭＣＳインデックス」という列を含まなくともよいことに留意されたい。当該列は、第１のＭＣＳテーブルと第２のＭＣＳテーブルの関係を明確に記述するために表１１＿１または表１１＿２において示されているにすぎない。
【０３４１】
あるいは、第１のＭＣＳテーブルはさらに、以下の表Ｄ１、Ｄ２、Ｄ３、Ｄ４、またはＤ５における少なくとも１つのエントリを含み、任意の１つのエントリは、ＭＣＳインデックス、ならびに当該ＭＣＳインデックスに対応する変調順序およびＴＢＳインデックスを含む。
【０３４２】
【表７６】
2020053973.tif 000100
【０３４３】
【表７７】
2020053973.tif 000101
【０３４４】
【表７８】
2020053973.tif 000102
【０３４５】
【表７９】
2020053973.tif 000103
【０３４６】
【表８０】
2020053973.tif 000104
【０３４７】
特に、当該実施形態では、例えば、Ｙ２＝２７、Ｙ３＝３３、Ｙ４＿１＝２８、Ｙ４＿２＝２９、Ｙ４＿３＝３０、Ｙ４＿４＝３１、およびＹ４＿５＝３２である。
【０３４８】
以上の６種類の第１のＭＣＳテーブルの各々は変調方式が６４ＱＡＭよりも高いエントリを含み、その結果、基地局は、６４ＱＡＭより高い変調方式を選択して、ＭＣＳインデックスを送信するための方法を用いることによって端末装置に通知でき、それによりシステム性能が高まることがわかる。さらに、当該６番目のタイプの第１のＭＣＳテーブルが第１のＭＣＳテーブルであることが好ましく、変調方式がＱＰＳＫであるエントリ、変調方式が１６ＱＡＭであるエントリ、変調方式が６４ＱＡＭであるエントリ、および変調方式が６４ＱＡＭよりも高いエントリを含む。
Ｓ２０３：基地局が、決定された第１のＭＣＳインデックスを端末装置に送信する。
【０３４９】
図３に示すように、本発明はさらに、別のＭＣＳ通知方法を提供する。当該実施形態の第１のＣＱＩテーブルが上述の実施形態における任意の種類の第１のＣＱＩテーブルと同一であってもよく、または上述の実施形態における任意の種類の第１のＣＱＩテーブルと異なってもよいが、当該２つのＣＱＩテーブルは１つのことを共有する。即ち、両方は変調方式が６４ＱＡＭよりも高いエントリを含む。当該実施形態における第１のＭＣＳテーブルが上述の実施形態における任意の種類のＭＣＳテーブルであってもよい。
【０３５０】
第１のＣＱＩテーブルをプロトコルで予め定義してもよく、プロトコルに準拠して端末装置により事前設定してもよく、または端末装置により事前格納してもよく、またはダウンリンク・チャネル状態に従って少なくとも２つの所定のテーブルから端末装置により選択され、または基地局により端末装置に通知してもよい。特に、基地局により端末装置に通知するための方法が、基地局により、アップリンク・チャネル状態またはダウンリンク・チャネル状態に従って少なくとも２つの所定のテーブルから１つのテーブルを選択するステップと、端末装置に当該選択されたテーブルを通知するステップとであってもよい。ＣＱＩテーブルは、ＣＱＩインデックスとエントリの間のマッピング関係を記述するために使用される。本発明の当該実施形態におけるＣＱＩテーブル内のマッピング関係は本発明を理解する簡単さのため１例として用いたにすぎず、本発明におけるＣＱＩテーブルの表現形式は本明細書で説明した形式に限定されることを意味するものではない。即ち、当該ＣＱＩテーブルは、ＣＱＩインデックスとエントリの間のマッピング関係を提供できる限り、様々な組合せを有してもよい。当該組合せの全ては本発明の保護範囲に入るものとする。
【０３５１】
第１のＭＣＳテーブルをプロトコルで予め定義してもよく、プロトコルに準拠して端末装置により事前設定してもよく、または端末装置により事前に格納してもよく、またはダウンリンク・チャネル状態に従って少なくとも２つの所定のテーブルから端末装置により選択され、または基地局により端末装置に通知してもよく、特に、基地局により端末装置に通知するための方法が、基地局により、アップリンク・チャネル状態またはダウンリンク・チャネル状態に従って少なくとも２つの所定のテーブルから１つのテーブルを選択するステップと、端末装置に当該選択されたテーブルを通知するステップとであってもよい。当該ＭＣＳテーブルはＭＣＳインデックスとエントリの間のマッピング関係を記述するために用いられたものである。本発明の当該実施形態におけるＭＣＳテーブル内のマッピング関係は本発明を理解する簡単さのため１例として用いたにすぎず、本発明におけるＭＣＳテーブルの表現形式は本明細書で説明した形式に限定されることを意味するものではない。具体的には、ＭＣＳテーブルは、ＭＣＳインデックスとエントリの間のマッピング関係を提供できる限り、様々な組合せを有してもよい。当該組合せの全ては本発明の保護範囲に入るものとする。
【０３５２】
当該方法は以下のステップを含む。
Ｓ３０１：基地局が第１のＣＱＩインデックスを受信する。
【０３５３】
第１のＣＱＩインデックスは、取得した第１のＣＱＩテーブルに従って端末装置により決定される。第１のＭＣＳインデックスは取得した第１のＭＣＳテーブルに従って基地局により決定される。
【０３５４】
Ｓ３０２：基地局は、第１のＣＱＩテーブル、第１のＭＣＳテーブル、および受信した第１のＣＱＩインデックスに従って第１のＭＣＳインデックスを決定する。
【０３５５】
第１のＣＱＩテーブルは変調方式が６４ＱＡＭよりも高いエントリを含み、第１のＣＱＩテーブル内のエントリは、第１のＣＱＩテーブル内のＣＱＩインデックスに対応する１つの変調方式、１つの符号化率、および１つのスペクトル効率を指す。
【０３５６】
第１のＭＣＳテーブルは、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは、第１の組合せ（第１の組合せにおける第１のという用語は或る組合せを別の組合せから区別するために用いられるにすぎず、必ずしも何等かの関係または順序がこれらの組合せの間に存在するのを要求または暗示するものではない。第１の組合せは、図２に対応する実施形態における第２の組合せと本質的に同一である）と異なる、第２のＭＣＳテーブル内にあり変調方式がＱＰＳＫである少なくとも１つのエントリにより形成された組合せを含み、第１の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含み、第２のＭＣＳテーブル内の変調方式はＱＰＳＫ、１６ＱＡＭ、および６４ＱＡＭのみを含む。
【０３５７】
即ち、第１のＭＣＳテーブルは変調方式が６４ＱＡＭよりも高いエントリを含み、第１のＭＣＳテーブルはさらに、第２のＭＣＳテーブル内にあり変調方式がＱＰＳＫである少なくとも１つのエントリを含む。第１のＭＣＳテーブル内にあり変調方式がＱＰＳＫであるエントリは、第２のＭＣＳテーブル内にあり対応するＭＣＳインデックスは連続であり最大であるＫ個のエントリにすぎないということはありえない。Ｋは４に等しいか、またはＫは５未満の正の整数であるか、または、Ｋは正の整数であり、かつ／または第１のＭＣＳテーブルはさらに、第２のＭＣＳテーブル内にあり変調方式が１６ＱＡＭである少なくとも１つのエントリを含む。第２のＭＣＳテーブル内のエントリの変調方式はＱＰＳＫ、１６ＱＡＭ、および６４ＱＡＭのみを含む。第１のＭＣＳテーブル内のエントリは第１のＭＣＳテーブル内のＭＣＳインデックスに対応する１つの変調順序および１つのＴＢＳインデックスを指し、第２のＭＣＳテーブル内のエントリは第２のＭＣＳテーブル内のＭＣＳインデックスに対応する１つの変調順序および１つのＴＢＳインデックスを指す。
【０３５８】
当該組合せは、第２のＭＣＳテーブル内にあり変調方式がＱＰＳＫである少なくとも１つのエントリにより形成された組合せである。表６に示す第２のＭＣＳテーブルの例では、第２のＭＣＳテーブル内にあり変調方式がＱＰＳＫである少なくとも１つのエントリにより形成された２９−１＝１０２３個の組合せが存在する。例えば、当該組合せが、ＣＱＩインデックス６に対応する第２のＭＣＳテーブル内のエントリによって形成された組合せであってもよく、第２のＭＣＳテーブル内の、それぞれＭＣＳインデックス６、７、８、および９、に対応するエントリによって形成された組合せであってもよく、ＣＱＩインデックス３、６、７、８、および９が対応し第２のＣＱＩテーブル内にあるエントリによって形成された組合せであってもよい、等である。
【０３５９】
取得した第１のＣＱＩインデックス、第１のＣＱＩテーブル、および第１のＭＣＳテーブルに従って第１のＭＣＳインデックスを決定する方法は以上の実施形態における方法と同じであり、詳細についてはここでは再度説明しないことに留意されたい。第１のＴＢＳインデックスを決定するための方法および第１のＴＢＳテーブルおよび第２のＴＢＳテーブルに関する説明に関しては、前述の実施形態を参照されたい。詳細についてはここでは再度説明しない。
【０３６０】
さらに、当該実施形態における第１のＭＣＳテーブルが、以上の実施形態のにおける６種類の第１のＭＣＳテーブルの何れか１つであってもよい。詳細についてはここでは再度説明しない。
【０３６１】
Ｓ３０３：基地局が、決定された第１のＭＣＳインデックスを端末装置に送信する。
【０３６２】
図４に示すように、本発明はさらに別のＭＣＳ通知方法を提供する。当該実施形態の第１のＭＣＳテーブルが上述の実施形態における任意の種類の第１のＭＣＳテーブルであってもよい。
【０３６３】
当該実施形態では、第１のＭＣＳテーブルをプロトコルで予め定義してもよく、プロトコルに準拠して端末装置により事前設定してもよく、または端末装置により事前格納してもよく、またはダウンリンク・チャネル状態に従って少なくとも２つの所定のテーブルから端末装置により選択され、または基地局により端末装置に通知してもよい。特に、基地局により端末装置に通知するための方法が、基地局により、アップリンク・チャネル状態またはダウンリンク・チャネル状態に従って少なくとも２つの所定のテーブルから１つのテーブルを選択するステップと、端末装置に当該選択されたテーブルを通知するステップとであってもよい。ＭＣＳテーブルはＭＣＳインデックスとエントリの間のマッピング関係を記述するために用いられたものである。本発明の当該実施形態におけるＭＣＳテーブル内のマッピング関係は本発明を理解する簡単さのため１例として用いたにすぎず、本発明におけるＭＣＳテーブルの表現形式は本明細書で説明した形式に限定されることを意味するものではない。即ち、当該ＭＣＳテーブルは、ＭＣＳインデックスとエントリの間のマッピング関係を提供できる限り、様々な組合せを有してもよい。当該組合せの全ては本発明の保護範囲に入るものとする。
【０３６４】
当該方法は以下のステップを含む。
【０３６５】
Ｓ４０１：端末装置が、基地局により送信された第１のＭＣＳインデックスを受信する。第１のＭＣＳインデックスは、取得した第１のＭＣＳテーブルに従って基地局により決定される。
【０３６６】
Ｓ４０２：端末装置が第１のＭＣＳテーブルおよび受信した第１のＭＣＳインデックスに従って、変調順序および符号ブロック・サイズを決定する。
【０３６７】
第１のＭＣＳテーブルは、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは第２のＭＣＳテーブル内にあり変調方式がＱＰＳＫである少なくとも１つのエントリによって形成された、第１の組合せと異なる組合せを含み、第１の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含み、第２のＭＣＳテーブル内の変調方式はＱＰＳＫ、１６ＱＡＭ、および６４ＱＡＭのみを含む。
【０３６８】
第１のＭＣＳテーブルは変調方式が６４ＱＡＭよりも高いエントリを含み、第１のＭＣＳテーブルはさらに、第２のＭＣＳテーブル内にあり変調方式がＱＰＳＫである少なくとも１つのエントリを含む。第１のＭＣＳテーブル内にあり変調方式がＱＰＳＫであるエントリは、第２のＭＣＳテーブル内にあり対応するＭＣＳインデックスが連続であり最大のものであるＫ個のエントリにすぎないということはありえず、Ｋは４に等しいか、またはＫは５未満の正の整数であるか、または、Ｋは正の整数であり、かつ／または第１のＭＣＳテーブルはさらに、第２のＭＣＳテーブル内にあり変調方式が１６ＱＡＭである少なくとも１つのエントリを含む。第２のＭＣＳテーブル内のエントリの変調方式はＱＰＳＫ、１６ＱＡＭ、および６４ＱＡＭのみを含む。第１のＭＣＳテーブル内のエントリは第１のＭＣＳテーブル内のＭＣＳインデックスに対応する１つの変調順序および１つのＴＢＳインデックスを指し、第２のＭＣＳテーブル内のエントリは第２のＭＣＳテーブル内のＭＣＳインデックスに対応する１つの変調順序および１つのＴＢＳインデックスを指す。
【０３６９】
当該組合せは、第２のＭＣＳテーブル内にあり変調方式がＱＰＳＫである少なくとも１つのエントリにより形成された組合せである。表６に示す第２のＭＣＳテーブルの例では、２９−１＝１０２３個の、第２のＭＣＳテーブル内にあり変調方式がＱＰＳＫである少なくとも１つのエントリにより形成された組合せが存在する。例えば、当該組合せが、第２のＭＣＳテーブル内にありＣＱＩインデックス６に対応するエントリによって形成された組合せであってもよく、それぞれＭＣＳインデックス６、７、８、および９に対応する第２のＭＣＳテーブル内のエントリによって形成された組合せであってもよく、それぞれＣＱＩインデックス３、６、７、８、および９に対応する第２のＣＱＩテーブル内のエントリによって形成された組合せであってもよい、等である。
【０３７０】
当該実施形態における第１のＭＣＳテーブルが上述の実施形態における６種類の第１のＭＣＳテーブルのうち任意の種類であってもよいに留意されたい。詳細についてはここでは再度説明しない。
【０３７１】
特に、第１のＭＣＳテーブルおよび受信した第１のＭＣＳインデックスに従って変調順序および符号ブロック・サイズを決定するステップは、第１のＭＣＳテーブルおよび受信した第１のＭＣＳインデックスに従って、第１のＴＢＳインデックスおよび当該変調順序を決定するステップと、第１のＴＢＳインデックス、第１のＰＲＢ量、および第１のＴＢＳテーブルに従って当該符号ブロック・サイズを決定するステップとを含む。
【０３７２】
第１のＰＲＢ量は基地局により端末装置に割り当てられたＰＲＢ量であるか、または、第１のＰＲＢ量は端末装置に割り当てられた当該ＰＲＢ量と特定の係数の積以下の最大の整数である。
【０３７３】
第１のＴＢＳテーブルは各ＴＢＳインデックスに対応する少なくとも１つのＰＲＢ量および各ＰＲＢ量に対応する送信ブロック・サイズを含み、第１のＴＢＳテーブルは第１のＭＣＳテーブルに対応するＴＢＳテーブルである。
【０３７４】
第１のＴＢＳテーブル内のＴＢＳインデックスの値範囲は０乃至Ａであり、Ａは２６以下の正の整数である。
【０３７５】
あるいは、場合によっては、第１のＴＢＳテーブル内のＴＢＳインデックスの値範囲は０乃至Ｂであり、Ｂは２６以上の正の整数であり、第１のＴＢＳテーブル内のＴＢＳインデックス０乃至２６に対応する送信ブロック・サイズは第２のＴＢＳテーブル内のＴＢＳインデックス０乃至２６に対応する送信ブロック・サイズと同一であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【０３７６】
あるいは、場合によっては、第１のＴＢＳテーブル内のＴＢＳインデックスの値範囲は０乃至Ｂであり、Ｂは２６以上の正の整数であり、第１のＴＢＳテーブル内のＴＢＳインデックス０乃至Ｃに対応する送信ブロック・サイズは第２のＴＢＳテーブル内のＴＢＳインデックス０乃至Ｃに対応する送信ブロック・サイズと同一であり、Ｃは２６以下の非負整数であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【０３７７】
当該実施形態の第１のＴＢＳテーブルおよび第２のＴＢＳテーブルの説明については、上述の実施形態を参照されたい。詳細についてはここでは再度説明しない。さらに、端末装置は、当該変調順序および当該符号ブロック・サイズに従ってＰＤＳＣＨを受信する。
【０３７８】
図５に示すように、本発明の１実施形態はさらにＣＱＩ通知装置５０を提供する。装置５０は、第１のＣＱＩテーブルを取得するように構成された取得モジュール５１と、取得モジュール５１により取得された第１のＣＱＩテーブルに従って第１のＣＱＩインデックスを学習するように構成された第１の取得モジュール５２と、第１の取得モジュール５２により学習された第１のＣＱＩインデックスを基地局に送信して、基地局が第１のＣＱＩインデックスに従って第１の変調符号化方式ＭＣＳインデックスを決定するようにするように構成された送信モジュール５３とを備える。第１のＣＱＩテーブルが端末装置により事前に設定してもよく、基地局により端末装置に通知してもよく、またはダウンリンク・チャネル状態に従って少なくとも２つの所定のテーブルから端末装置により選択してもよい。特に、基地局により端末装置に通知するための方法が、基地局により、アップリンク・チャネル状態またはダウンリンク・チャネル状態に従って当該少なくとも２つの所定のテーブルから１つのテーブルを選択するステップと、当該選択されたテーブルを基地局に報告するステップとであってもよい。ＣＱＩテーブルは、ＣＱＩインデックスとエントリの間のマッピング関係を記述するために使用され、当該マッピング関係はタブ形式で表すことに限定されず、記述式で表してもよい。
【０３７９】
取得モジュール５１により取得された第１のＣＱＩテーブルは、変調方式が６４直角位相振幅変調ＱＡＭより高いエントリと、第２のＣＱＩテーブル内にあり変調方式が４相位相偏移変調ＱＰＳＫである少なくとも１つのエントリであって、変調方式がＱＰＳＫである少なくとも１つのエントリは、第２のＣＱＩテーブル内にあり変調方式がＱＰＳＫである少なくとも１つのエントリにより形成された第１の組合せとは異なる組合せを含み、第１の組合せは、第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または第２のＣＱＩテーブル内にあり変調方式が１６ＱＡＭである少なくとも１つのエントリとを含み、第２のＣＱＩテーブル内のエントリの変調方式はＱＰＳＫ、１６ＱＡＭ、および６４ＱＡＭのみを含む。
【０３８０】
当該取得モジュールにより取得された第１のＣＱＩテーブルにおいて、第２のＣＱＩテーブル内にあり変調方式がＱＰＳＫである少なくとも１つのエントリは、第２のＣＱＩテーブル内にあり変調方式がＱＰＳＫであるエントリの一部であって、当該エントリの一部に対応する連続するＣＱＩインデックスの差分は同一である、エントリの一部、または、第２のＣＱＩテーブル内にあり変調方式がＱＰＳＫであるエントリの一部であって、当該エントリの一部に対応する連続するＣＱＩインデックスの差分は同一ではない、エントリの一部、または、第２のＣＱＩテーブル内にあり変調方式がＱＰＳＫであるエントリの一部であって、当該エントリの一部に対応するＣＱＩインデックスは不連続であり、当該エントリの一部は、対応するＣＱＩインデックスが、第２のＣＱＩテーブル内にあり変調方式がＱＰＳＫである全てのエントリのうち最大のものであるエントリと異なる少なくとも１つのエントリである、エントリの一部、または、第２のＣＱＩテーブル内にあり変調方式がＱＰＳＫであるエントリの一部であって、当該エントリの一部に対応するＣＱＩインデックスは連続であり、当該エントリの一部は、対応するＣＱＩインデックスが当該ＣＱＩテーブル内にあり変調方式がＱＰＳＫである全てのエントリのうち最大であるエントリと異なる少なくとも１つのエントリである、エントリの一部を含む。
【０３８１】
当該取得モジュールにより取得された第１のＣＱＩテーブルにおいて、第２のＣＱＩテーブル内にあり変調方式が１６ＱＡＭである少なくとも１つのエントリは、第２のＣＱＩテーブル内にあり変調方式が１６ＱＡＭである全てのエントリ、または、対応するＣＱＩインデックスが第２のＣＱＩテーブル内にあり変調方式が１６ＱＡＭである全てのエントリのうち最小であるエントリと異なる少なくとも１つのエントリを含む。
【０３８２】
さらに、取得モジュール５１により取得された第１のＣＱＩテーブルはさらに、第２のＣＱＩテーブル内にあり変調方式が６４ＱＡＭである少なくとも１つのエントリを含む。
【０３８３】
特に、当該取得モジュールにより取得された第１のＣＱＩテーブルにおいて、変調方式が６４ＱＡＭである少なくとも１つのエントリは、第２のＣＱＩテーブル内にあり変調方式が６４ＱＡＭである全てのエントリ、または、第２のＣＱＩテーブル内にあり変調方式が６４ＱＡＭであるエントリの一部であって、当該エントリの一部は、対応するＣＱＩインデックスが第２のＣＱＩテーブル内にあり変調方式が６４ＱＡＭである全てのエントリのうち最大であるエントリと異なる少なくとも１つのエントリである、エントリの一部を含む。
【０３８４】
さらに、対応するＣＱＩインデックスが取得モジュール５１により取得された第１のＣＱＩテーブル内にあり変調方式が６４ＱＡＭよりも高いエントリのうち最小であるエントリのスペクトル効率は、対応するＣＱＩインデックスが第２のＣＱＩテーブル内にあり変調方式が６４ＱＡＭである全てのエントリのうち最大であるエントリのスペクトル効率に等しいか、または、対応するＣＱＩインデックスが第１のＣＱＩテーブル内にあり変調方式が６４ＱＡＭよりも高いエントリのうち最小のものであるＴ個のエントリのスペクトル効率は、対応するＣＱＩインデックスが、第２のＣＱＩテーブル内にあり変調方式が６４ＱＡＭである全てのエントリのうち最大のものであるＴ個のエントリのスペクトル効率に等しいかまたはほぼ等しく、Ｔは１乃至５のうち何れか１つの自然数に等しい。
【０３８５】
場合によっては、対応するＣＱＩインデックスが第１のＣＱＩテーブル内にあり変調方式が６４ＱＡＭよりも高いエントリのうち最大であるエントリのスペクトル効率は、対応するＣＱＩインデックスが第２のＣＱＩテーブル内にあり変調方式が６４ＱＡＭである全てのエントリのうち最大であるエントリのスペクトル効率に４／３を掛けたもの、または、１より小さい正の実数である端末の最大符号化率に８を掛けたもの、または、７．４０６３、または、７．４３２である。
【０３８６】
場合によっては、第１のＣＱＩテーブル内にありＣＱＩインデックスが最大のものであるＸ個のエントリのスペクトル効率は昇順で配置されたスペクトル効率の算術数列または略算術数列であり、第１のＣＱＩテーブル内にありＣＱＩインデックスが最大のものであるＸ個のエントリのスペクトル効率が昇順で配置されたスペクトル効率の算術数列であると述べたとき、これは当該スペクトル効率の昇順で配置された当該Ｘ個のエントリ内の２番目のエントリから開始して、各エントリのスペクトル効率と夫々の先行エントリのスペクトル効率の差分は同一の定数に等しいことを意味し、第１のＣＱＩテーブル内にありＣＱＩインデックスが最大のものであるＸ個のエントリのスペクトル効率が昇順で配置されたスペクトル効率の略算術数列であると述べたとき、これは当該スペクトル効率の昇順で配置された当該Ｘ個のエントリ内の２番目のエントリから開始して、各エントリのスペクトル効率と夫々の先行エントリのスペクトル効率の差分は、定数から事前設定値を引いたものから当該定数に当該事前設定値を足したものまでの範囲内にあり、Ｘは２より大きい整数であることを意味し、対応するＣＱＩインデックスが第１のＣＱＩテーブル内にありＣＱＩインデックスが最大のものである当該Ｘ個のエントリのうち最小であるエントリのスペクトル効率は、対応するＣＱＩインデックスが第２のＣＱＩテーブル内にあり変調方式が６４ＱＡＭである全てのエントリのうち最大であるエントリのスペクトル効率に等しく、対応するＣＱＩインデックスが第１のＣＱＩテーブル内にありＣＱＩインデックスが最大のものである当該Ｘ個のエントリのうち最大であるエントリのスペクトル効率は、当該対応するＣＱＩインデックスが、第２のＣＱＩテーブル内にあり変調方式が６４ＱＡＭである全てのエントリのうち最大であるエントリのスペクトル効率に４／３を掛けたもの、または、１より小さい正の実数である端末の最大符号化率に８を掛けたもの、または、７．４０６３、または、７．４３２である。
【０３８７】
場合によっては、第１のＣＱＩテーブル内にあり変調方式が６４ＱＡＭよりも高いエントリのスペクトル効率は以下の数値群のうち少なくとも１つを含む。
{5.5547  6.1805  6.8062  7.432},
{6.1805  6.8062  7.432},
{5.5547  6.1797  6.8047  7.4297},
{6.1797  6.8047  7.4297},
{5.5547  6.1719  6.7891  7.4063},
{6.1719  6.7891  7.4063},
{5.5547  6.4934  7.432},
{6.4934  7.432},
{5.5547  6.4922  7.4297},
{6.4922  7.4297},
{5.5547  6.4805  7.4063},
{6.4805  7.4063},
{5.5547  6.4844  7.4063},
{6.4844  7.4063},
{5.5547  6.0240  6.4934  6.9627  7.432},
{6.0234  6.4922  6.9609  7.4297},
{5.5547  6.0234  6.4922  6.9609  7.4297},
{6.0176  6.4805  6.9434  7.4063},
{5.5547  6.0176  6.4805  6.9434  7.4063},
{6.0176  6.4805  6.9434  7.4063},
{5.5547  6.0156  6.4844  6.9453  7.4063},
{6.0156  6.4844  6.9453  7.4063},
{5.5547  5.9302  6.3056  6.6811  7.0565  7.432},
{5.9302  6.3056  6.6811  7.0565  7.432},
{5.5547  5.9297  6.3047  6.6797  7.0547  7.4297},
{5.9297  6.3047  6.6797  7.0547  7.4297},
{5.5547  5.9250  6.2953  6.6656  7.0360  7.4063},
{5.9250  6.2953  6.6656  7.0360  7.4063},
{5.5547  5.9219  6.2969  6.6641  7.0391  7.4063}, および
{5.9219  6.2969  6.6641  7.0391  7.4063}。
【０３８８】
さらに、取得モジュール５１により取得された第１のＣＱＩテーブル内のＣＱＩインデックスの値範囲は第２のＣＱＩテーブル内のＣＱＩインデックスの値範囲と同じである。
【０３８９】
図５に示すＭＣＳ通知装置は、上述の方法の実施形態における対応するステップを実行することができる。詳細については、上述の方法の実施形態の説明を参照されたい。当該ＭＣＳ通知装置により達成される効果については、上述の方法の実施形態の説明を参照されたい。
【０３９０】
図６に示すように、本発明の１実施形態はさらに、ＭＣＳ通知装置６０を提供する。装置６０は、第１のＣＱＩテーブルおよび第１のＭＣＳテーブルを取得するように構成された取得モジュール６１と、端末装置により送信された第１のＣＱＩインデックスを受信するように構成された受信モジュール６２であって、第１のＣＱＩインデックスは第１のＣＱＩテーブルに従って端末装置により決定される、受信モジュール６２と、当該取得モジュールにより取得された第１のＣＱＩテーブル、当該取得モジュールにより取得された第１のＭＣＳテーブル、および受信モジュール６２により受信された第１のＣＱＩインデックスに従って第１のＭＣＳインデックスを決定するように構成された決定モジュール６３と、決定された第１のＭＣＳインデックスを端末装置に送信するように構成された送信モジュール６４とを備える。第１のＣＱＩテーブルをプロトコルで予め定義してもよく、プロトコルに準拠して端末装置により事前設定してもよく、または端末装置により事前格納してもよく、またはダウンリンク・チャネル状態に従って少なくとも２つの所定のテーブルから端末装置により選択され、または基地局により端末装置に通知してもよい。特に、基地局により端末装置に通知するための方法が、基地局により、アップリンク・チャネル状態またはダウンリンク・チャネル状態に従って少なくとも２つの所定のテーブルから１つのテーブルを選択するステップと、端末装置に当該選択されたテーブルを通知するステップとであってもよい。ＣＱＩテーブルは、ＣＱＩインデックスとエントリの間のマッピング関係を記述するために使用される。本発明の当該実施形態におけるＣＱＩテーブル内のマッピング関係は本発明を理解する簡単さのため１例として用いたにすぎず、本発明におけるＣＱＩテーブルの表現形式は本明細書で説明した形式に限定されることを意味するものではない。即ち、当該ＣＱＩテーブルは、ＣＱＩインデックスとエントリの間のマッピング関係を提供できる限り、様々な組合せを有してもよい。当該組合せの全ては本発明の保護範囲に入るものとする。第１のＭＣＳテーブルをプロトコルで予め定義してもよく、プロトコルに準拠して端末装置により事前設定してもよく、または端末装置により事前に格納してもよく、またはダウンリンク・チャネル状態に従って少なくとも２つの所定のテーブルから端末装置により選択され、または基地局によって端末装置に通知してもよい。特に、基地局により端末装置に通知するための方法が、基地局により、アップリンク・チャネル状態またはダウンリンク・チャネル状態に従って少なくとも２つの所定のテーブルから１つのテーブルを選択するステップと、端末装置に当該選択されたテーブルを通知するステップとであってもよい。ＭＣＳテーブルはＭＣＳインデックスとエントリの間のマッピング関係を記述するために用いられたものである。本発明の当該実施形態におけるＭＣＳテーブル内のマッピング関係は本発明を理解する簡単さのため１例として用いたにすぎず、本発明におけるＭＣＳテーブルの表現形式は本明細書で説明した形式に限定されることを意味するものではない。即ち、ＭＣＳテーブルは、ＭＣＳインデックスとエントリの間のマッピング関係を提供できる限り、様々な組合せを有してもよい。当該組合せの全ては本発明の保護範囲に入るものとする。
【０３９１】
取得モジュール６１により取得された第１のＣＱＩテーブルは、変調方式が６４ＱＡＭよりも高いエントリと、第２のＣＱＩテーブル内にあり変調方式がＱＰＳＫである少なくとも１つのエントリであって、変調方式がＱＰＳＫである少なくとも１つのエントリは、第２のＣＱＩテーブル内にあり変調方式がＱＰＳＫである少なくとも１つのエントリにより形成された第１の組合せとは異なる組合せを含み、第１の組合せは、第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または第２のＣＱＩテーブル内にあり変調方式が１６ＱＡＭである少なくとも１つのエントリとを含み、第２のＣＱＩテーブル内の変調方式はＱＰＳＫ、１６ＱＡＭ、および６４ＱＡＭのみを含む。
【０３９２】
当該取得モジュールにより取得された第１のＭＣＳテーブルは、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは、第２のＭＣＳテーブル内にあり変調方式がＱＰＳＫである少なくとも１つのエントリにより形成された、第２の組合せと異なる組合せを含み、第２の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含み、第２のＭＣＳテーブル内の変調方式はＱＰＳＫ、１６ＱＡＭ、および６４ＱＡＭのみを含む。
【０３９３】
決定モジュール６３は特に、取得した第１のＰＲＢ量、当該取得モジュールにより取得された第１のＣＱＩテーブル、当該取得モジュールにより取得された第１のＭＣＳテーブル、第１のＴＢＳテーブル、および受信した第１のＣＱＩインデックスに従って、第１のＴＢＳインデックスおよび第１のＭＣＳインデックスを決定するように構成され、第１のＰＲＢ量は基地局により端末装置に割り当てられたＰＲＢ量であるか、または、第１のＰＲＢ量は端末装置に割り当てられた当該ＰＲＢ量と特定の係数の積以下の最大の整数であり、第１のＴＢＳテーブルは各ＴＢＳインデックスに対応する少なくとも１つのＰＲＢ量および各ＰＲＢ量に対応する送信ブロック・サイズを含み、第１のＴＢＳテーブルは第１のＭＣＳテーブルに対応するＴＢＳテーブルである。
【０３９４】
場合によっては、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブル内のＴＢＳインデックス０乃至２６に対応する送信ブロック・サイズは第２のＴＢＳテーブル内のＴＢＳインデックス０乃至２６に対応する送信ブロック・サイズと同一であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【０３９５】
あるいは、場合によっては、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブル内のＴＢＳインデックス０乃至Ｃに対応する送信ブロック・サイズは第２のＴＢＳテーブル内のＴＢＳインデックス０乃至Ｃに対応する送信ブロック・サイズと同一であり、Ｃは２６以下の非負整数であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【０３９６】
決定モジュール６３は、当該取得モジュールにより取得された第１のＣＱＩテーブルおよび当該受信モジュールにより受信された第１のＣＱＩインデックスに従って、受信した第１のＣＱＩインデックスに対応する第１の変調方式および第１のスペクトル効率を決定するように構成された第１の決定サブモジュール６３１と、当該取得された第１のＰＲＢ量および当該第１の決定サブモジュールにより決定された第１のスペクトル効率に従って、端末装置に送信された第１の送信ブロック・サイズを学習し、第１のＴＢＳテーブルに従って、第１のＴＢＳテーブル内にあり第１の送信ブロック・サイズおよび第１のＰＲＢ量に対応する第１のＴＢＳインデックスを取得するように構成された第２の決定サブモジュール６３２とを備える。第１の送信ブロック・サイズは第２の決定サブモジュールにより決定される。
【０３９７】
場合によっては、第１のＴＢＳテーブルは、ＴＢＳインデックスＹ１、ＴＢＳインデックスＹ２、ＴＢＳインデックスＹ３、およびＴＢＳインデックスＹ４＿１乃至Ｙ４＿５のうち少なくとも１つを含む。第１のＴＢＳテーブル内のこれらのＴＢＳインデックスに対応するエントリの説明については、上述の方法の実施形態を参照されたい。詳細についてはここでは再度説明しない。
【０３９８】
当該取得モジュールにより取得された第１のＣＱＩテーブルにおいて、第２のＣＱＩテーブル内にあり変調方式がＱＰＳＫである少なくとも１つのエントリは、第２のＣＱＩテーブル内にあり変調方式がＱＰＳＫであるエントリの一部であって、当該エントリの一部に対応する連続するＣＱＩインデックスの差分は同一である、エントリの一部、または、第２のＣＱＩテーブル内にあり変調方式がＱＰＳＫであるエントリの一部であって、当該エントリの一部に対応する連続するＣＱＩインデックスの差分は同一ではない、エントリの一部、または、第２のＣＱＩテーブル内にあり変調方式がＱＰＳＫであるエントリの一部であって、当該エントリの一部に対応するＣＱＩインデックスは不連続であり、当該エントリの一部は、対応するＣＱＩインデックスが、第２のＣＱＩテーブル内にあり変調方式がＱＰＳＫである全てのエントリのうち最大のものであるエントリと異なる少なくとも１つのエントリである、エントリの一部、または、第２のＣＱＩテーブル内にあり変調方式がＱＰＳＫであるエントリの一部であって、当該エントリの一部に対応するＣＱＩインデックスは連続であり、当該エントリの一部は、対応するＣＱＩインデックスが当該ＣＱＩテーブル内にあり変調方式がＱＰＳＫである全てのエントリのうち最大であるエントリと異なる少なくとも１つのエントリである、エントリの一部を含む。
【０３９９】
当該取得モジュールにより取得された第１のＣＱＩテーブルにおいて、第２のＣＱＩテーブル内にあり変調方式が１６ＱＡＭである少なくとも１つのエントリは、第２のＣＱＩテーブル内にあり変調方式が１６ＱＡＭである全てのエントリ、または、対応するＣＱＩインデックスが第２のＣＱＩテーブル内にあり変調方式が１６ＱＡＭである全てのエントリのうち最小であるエントリと異なる少なくとも１つのエントリを含む。
【０４００】
さらに、当該取得モジュールにより取得された第１のＣＱＩテーブルはさらに、第２のＣＱＩテーブル内にあり変調方式が６４ＱＡＭである少なくとも１つのエントリを含んでもよい。
【０４０１】
特に、当該取得モジュールにより取得された第１のＣＱＩテーブルにおいて、第２のＣＱＩテーブル内にあり変調方式が６４ＱＡＭである少なくとも１つのエントリは、第２のＣＱＩテーブル内にあり変調方式が６４ＱＡＭである全てのエントリ、または、第２のＣＱＩテーブル内にあり変調方式が６４ＱＡＭであるエントリの一部であって、当該エントリの一部は、対応するＣＱＩインデックスが第２のＣＱＩテーブル内にあり変調方式が６４ＱＡＭである全てのエントリのうち最大であるエントリと異なる少なくとも１つのエントリである、エントリの一部を含む。
【０４０２】
さらに、対応するＣＱＩインデックスが、当該取得モジュールにより取得された第１のＣＱＩテーブル内にあり変調方式が６４ＱＡＭよりも高いエントリのうち最小であるエントリのスペクトル効率は、対応するＣＱＩインデックスが第２のＣＱＩテーブル内にあり変調方式が６４ＱＡＭである全てのエントリのうち最大であるエントリのスペクトル効率に等しいか、または、対応するＣＱＩインデックスが第１のＣＱＩテーブル内にあり変調方式が６４ＱＡＭよりも高いエントリのうち最小のものであるＴ個のエントリのスペクトル効率は、対応するＣＱＩインデックスが、第２のＣＱＩテーブル内にあり変調方式が６４ＱＡＭである全てのエントリのうち最大のものであるＴ個のエントリのスペクトル効率に等しいかまたはほぼ等しく、Ｔは１乃至５のうち何れか１つの自然数に等しい。
【０４０３】
さらに、当該取得モジュールにより取得された第１のＣＱＩテーブル内のＣＱＩインデックスの値範囲は第２のＣＱＩテーブル内のＣＱＩインデックスの値範囲と同じである。
【０４０４】
当該取得モジュールにより取得された第１のＭＣＳテーブルにおいて、第２のＭＣＳテーブル内にあり変調方式がＱＰＳＫである少なくとも１つのエントリは、第２のＭＣＳテーブル内にあり変調方式がＱＰＳＫであるエントリの一部であって、当該エントリの一部に対応する連続するＭＣＳインデックスの差分は同一である、エントリの一部、または、第２のＭＣＳテーブル内にあり変調方式がＱＰＳＫであるエントリの一部であって、当該エントリの一部に対応する連続するＭＣＳインデックスの差分は同一ではない、エントリの一部、または、第２のＭＣＳテーブル内にあり変調方式がＱＰＳＫであるエントリの一部であって、当該エントリの一部に対応するＭＣＳインデックスは不連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部、または、第２のＭＣＳテーブル内にあり変調方式がＱＰＳＫであるエントリの一部であって、当該エントリの一部に対応するＭＣＳインデックスは連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部を含む。
【０４０５】
当該取得モジュールにより取得された第１のＣＱＩテーブルにおいて、第２のＭＣＳテーブル内にあり変調方式が１６ＱＡＭである少なくとも１つのエントリは、第２のＭＣＳテーブル内にあり変調方式が１６ＱＡＭである全てのエントリ、または、第２のＭＣＳテーブル内にあり変調方式が１６ＱＡＭであるエントリの一部であって、当該エントリの一部に対応する連続するＭＣＳインデックスの差分は同一である、エントリの一部、または、第２のＭＣＳテーブル内にあり変調方式が１６ＱＡＭであるエントリの一部であって、当該エントリの一部に対応する連続するＭＣＳインデックスの差分は同一ではない、エントリの一部、または、第２のＭＣＳテーブル内にあり変調方式が１６ＱＡＭであるエントリの一部であって、当該エントリの一部に対応するＭＣＳインデックスは不連続であり、当該エントリの一部は、第２のＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部に対応するＭＣＳインデックスは連続であり、当該エントリの一部は、ＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部は、各ＭＣＳインデックスが、第２のＭＣＳテーブル内にあり変調方式が１６ＱＡＭである全てのエントリのうち最大または最小であるエントリと異なる少なくとも１つのエントリである、エントリの一部を含む。
【０４０６】
さらに、当該取得モジュールにより取得された第１のＭＣＳテーブルはさらに第２のＭＣＳテーブル内にあり変調方式が６４ＱＡＭである少なくとも１つのエントリを含んでもよい。
【０４０７】
特に、当該取得モジュールにより取得された第１のＣＱＩテーブルにおいて、第２のＭＣＳテーブル内にあり変調方式が６４ＱＡＭである少なくとも１つのエントリは、第２のＭＣＳテーブル内にあり変調方式が６４ＱＡＭである全てのエントリ、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最小であるエントリと異なる少なくとも１つのエントリである、エントリの一部、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最大であるエントリと異なる少なくとも１つのエントリである、エントリの一部を含む。
【０４０８】
さらに、第２のＭＣＳテーブル内にあり変調方式が６４ＱＡＭである少なくとも１つのエントリは、ＭＣＳインデックスが、第２のＭＣＳテーブル内にあり変調方式が６４ＱＡＭである全てのエントリのうち最大であるエントリのＴＢＳインデックスと同じである、対応するＭＣＳインデックスが当該取得モジュールにより取得された第１のＭＣＳテーブル内にあり変調方式が６４ＱＡＭよりも高い全てのエントリのうち最小であるエントリのＴＢＳインデックス、または、対応するＭＣＳインデックスが、第１のＭＣＳテーブル内にあり変調方式が６４ＱＡＭよりも高いエントリのうち最小のものであり、ＭＣＳインデックスが全ての変調方式が６４ＱＡＭであるエントリのうち最大のものでありＭＣＳインデックスは２７を越えないＲ個のエントリないのＴＢＳインデックスに等しくてもよい、Ｒ個のエントリのＴＢＳインデックスを含む。Ｒは自然数である。
【０４０９】
さらに、当該取得モジュールにより取得された第１のＭＣＳテーブル内のＭＣＳインデックスの値範囲は第２のＭＣＳテーブル内のＭＣＳインデックスの値範囲と同じである。
【０４１０】
場合によっては、第１のＭＣＳテーブルはさらに表Ｄ１、Ｄ２、Ｄ３、Ｄ４、またはＤ５内の少なくとも１つのエントリを含んでもよい。任意の１つのエントリは、ＭＣＳインデックス、ならびに、当該ＭＣＳインデックスに対応する変調順序およびＴＢＳインデックスを含む。表Ｄ１、表Ｄ２、表Ｄ３、表Ｄ４、および表Ｄ５については、上述の方法の実施形態を参照されたい、詳細についてはここでは再度説明しない。
【０４１１】
図６に示すＭＣＳ通知装置は、上述の方法の実施形態における対応するステップを実行することができる。詳細については、上述の方法の実施形態の説明を参照されたい。当該ＭＣＳ通知装置により達成される効果については、上述の方法の実施形態の説明を参照されたい。
【０４１２】
図７に示すように、本発明の１実施形態ではさらに、ＭＣＳ通知装置７０を提供する。装置７０は、第１のＣＱＩテーブルおよび第１のＭＣＳテーブルを取得するように構成された取得モジュール７１と、第１のＣＱＩインデックスを受信するように構成された受信モジュール７２であって、当該第１のＣＱＩインデックスは第１のＣＱＩテーブルに従って端末装置により決定される受信モジュール７２と、当該取得モジュールにより取得された第１のＣＱＩテーブル、当該取得モジュールにより取得された第１のＭＣＳテーブル、および受信モジュール７２により受信された第１のＣＱＩインデックスに従って第１のＭＣＳインデックスを決定するように構成された決定モジュール７３と、当該決定モジュールにより決定された第１のＭＣＳインデックスを端末装置に送信するように構成された送信モジュール７４とを提供する。第１のＣＱＩテーブルをプロトコルで予め定義してもよく、プロトコルに準拠して端末装置により事前設定してもよく、または端末装置により事前格納してもよく、またはダウンリンク・チャネル状態に従って少なくとも２つの所定のテーブルから端末装置により選択され、または基地局により端末装置に通知してもよい。特に、基地局により端末装置に通知するための方法が、基地局により、アップリンク・チャネル状態またはダウンリンク・チャネル状態に従って少なくとも２つの所定のテーブルから１つのテーブルを選択するステップと、端末装置に当該選択されたテーブルを通知するステップとであってもよい。ＣＱＩテーブルは、ＣＱＩインデックスとエントリの間のマッピング関係を記述するために使用される。本発明の当該実施形態におけるＣＱＩテーブル内のマッピング関係は本発明を理解する簡単さのため１例として用いたにすぎず、本発明におけるＣＱＩテーブルの表現形式は本明細書で説明した形式に限定されることを意味するものではない。即ち、当該ＣＱＩテーブルは、ＣＱＩインデックスとエントリの間のマッピング関係を提供できる限り、様々な組合せを有してもよい。当該組合せの全ては本発明の保護範囲に入るものとする。第１のＭＣＳテーブルをプロトコルで予め定義してもよく、プロトコルに準拠して端末装置により事前設定してもよく、または端末装置により事前格納してもよく、またはダウンリンク・チャネル状態に従って少なくとも２つの所定のテーブルから端末装置により選択され、または基地局により端末装置に通知してもよい。特に、基地局により端末装置に通知するための方法が、基地局により、アップリンク・チャネル状態またはダウンリンク・チャネル状態に従って少なくとも２つの所定のテーブルから１つのテーブルを選択するステップと、端末装置に当該選択されたテーブルを通知するステップとであってもよい。ＭＣＳテーブルはＭＣＳインデックスとエントリの間のマッピング関係を記述するために用いられたものである。本発明の当該実施形態におけるＭＣＳテーブル内のマッピング関係は本発明を理解する簡単さのため１例として用いたにすぎず、本発明におけるＭＣＳテーブルの表現形式は本明細書で説明した形式に限定されることを意味するものではない。即ち、当該ＭＣＳテーブルは、ＭＣＳインデックスとエントリの間のマッピング関係を提供できる限り、様々な組合せを有してもよい。当該組合せの全ては本発明の保護範囲に入るものとする。
【０４１３】
当該取得モジュールにより取得された第１のＣＱＩテーブルは変調方式が６４ＱＡＭよりも高いエントリを含み、第１のＣＱＩテーブル内のエントリは、第１のＣＱＩテーブル内のＣＱＩインデックスに対応する１つの変調方式、１つの符号化率、および１つのスペクトル効率を指す。
【０４１４】
当該取得モジュールにより取得された第１のＭＣＳテーブルは、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは、第１の組合せ（第１の組合せにおける第１のという用語は或る組合せを別の組合せから区別するために用いられるにすぎず、必ずしも何等かの関係または順序がこれらの組合せの間に存在するのを要求または暗示するものではない。第１の組合せは、図２に対応する実施形態における第２の組合せと本質的に同一である）と異なる、第２のＭＣＳテーブル内にあり変調方式がＱＰＳＫである少なくとも１つのエントリにより形成された組合せを含み、第１の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含み、第２のＭＣＳテーブル内の変調方式はＱＰＳＫ、１６ＱＡＭ、および６４ＱＡＭのみを含む。
【０４１５】
ＭＣＳ通知装置７０により使用される第１のＭＣＳテーブルがＭＣＳ通知装置６０により使用される第１のＭＣＳテーブルと同一であってもよいことに留意されたい。当該２つの装置の違いは、ＭＣＳ通知装置７０により使用される第１のＣＱＩテーブルがＭＣＳ通知装置６０により使用される第１のＣＱＩテーブルと異なってもよいということである。しかし、当該２つの装置により使用される第１のＣＱＩテーブルは両方とも、変調方式が６４ＱＡＭよりも高いエントリを含む。
【０４１６】
当該取得モジュールにより取得された第１のＭＣＳテーブルにおいて、第２のＭＣＳテーブル内にあり変調方式がＱＰＳＫである少なくとも１つのエントリは、第２のＭＣＳテーブル内にあり変調方式がＱＰＳＫであるエントリの一部であって、当該エントリの一部に対応する連続するＭＣＳインデックスの差分は同一である、エントリの一部、または、第２のＭＣＳテーブル内にあり変調方式がＱＰＳＫであるエントリの一部であって、当該エントリの一部に対応する連続するＭＣＳインデックスの差分は同一ではない、エントリの一部、または、第２のＭＣＳテーブル内にあり変調方式がＱＰＳＫであるエントリの一部であって、当該エントリの一部に対応するＭＣＳインデックスは不連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部、または、第２のＭＣＳテーブル内にあり変調方式がＱＰＳＫであるエントリの一部であって、当該エントリの一部に対応するＭＣＳインデックスは連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部を含む。
【０４１７】
当該取得モジュールにより取得された第１のＭＣＳテーブルにおいて、第２のＭＣＳテーブル内にあり変調方式が１６ＱＡＭである少なくとも１つのエントリは、第２のＭＣＳテーブル内にあり変調方式が１６ＱＡＭである全てのエントリ、または、第２のＭＣＳテーブル内にあり変調方式が１６ＱＡＭであるエントリの一部であって、当該エントリの一部に対応する連続するＭＣＳインデックスの差分は同一である、エントリの一部、または、第２のＭＣＳテーブル内にあり変調方式が１６ＱＡＭであるエントリの一部であって、当該エントリの一部に対応する連続するＭＣＳインデックスの差分は同一ではない、エントリの一部、または、第２のＭＣＳテーブル内にあり変調方式が１６ＱＡＭであるエントリの一部であって、当該エントリの一部に対応するＭＣＳインデックスは不連続であり、当該エントリの一部は、第２のＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部に対応するＭＣＳインデックスは連続であり、当該エントリの一部は、ＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部は、各ＭＣＳインデックスが、第２のＭＣＳテーブル内にあり変調方式が１６ＱＡＭである全てのエントリのうち最大または最小であるエントリと異なる少なくとも１つのエントリである、エントリの一部を含む。
【０４１８】
さらに、当該取得モジュールにより取得された第１のＭＣＳテーブルはさらに、第２のＭＣＳテーブル内にあり変調方式が６４ＱＡＭである少なくとも１つのエントリを含む。
【０４１９】
特に、当該取得モジュールにより取得された第１のＭＣＳテーブルにおいて、第２のＭＣＳテーブル内にあり変調方式が６４ＱＡＭである少なくとも１つのエントリは、第２のＭＣＳテーブル内にあり変調方式が６４ＱＡＭである全てのエントリ、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最小であるエントリと異なる少なくとも１つのエントリである、エントリの一部を含む。
【０４２０】
さらに、当該取得モジュールにより取得された第１のＭＣＳテーブルにおいて、第２のＭＣＳテーブル内にあり変調方式が６４ＱＡＭである少なくとも１つのエントリは、対応するＭＣＳインデックスが、当該取得モジュールにより取得された第１のＭＣＳテーブル内にあり変調方式が６４ＱＡＭよりも高い全てのエントリのうち最小であるエントリのＴＢＳインデックスが、ＭＣＳインデックスが、第２のＭＣＳテーブル内にあり変調方式が６４ＱＡＭである全てのエントリのうち最大であるエントリのＴＢＳインデックスと同じであるということを含む。
【０４２１】
さらに、当該取得モジュールにより取得された第１のＭＣＳテーブル内のＭＣＳインデックスの値範囲は第２のＭＣＳテーブル内のＭＣＳインデックスの値範囲と同じである。
【０４２２】
図７に示すＭＣＳ通知装置は、上述の方法の実施形態における対応するステップを実行することができる。詳細については、上述の方法の実施形態の説明を参照されたい。当該ＭＣＳ通知装置により達成される効果については、上述の方法の実施形態の説明を参照されたい。
【０４２３】
図８に示すように、本発明の１実施形態ではさらに、ＭＣＳ通知装置８０を提供する。装置８０は、第１のＭＣＳテーブルを取得するように構成された取得モジュール８１と、基地局により送信された第１のＭＣＳインデックスを受信するように構成された受信モジュール８２であって、第１のＭＣＳインデックスは、第１のＭＣＳテーブルに従って基地局により決定される、受信モジュール８２と、第１のＭＣＳテーブルおよび受信モジュール８２により受信された第１のＭＣＳインデックスに従って変調順序および符号ブロック・サイズを決定するように構成された決定モジュール８３とを提供する。第１のＭＣＳテーブルをプロトコルで予め定義してもよく、プロトコルに準拠して端末装置により事前設定してもよく、または端末装置により事前格納してもよく、またはダウンリンク・チャネル状態に従って少なくとも２つの所定のテーブルから端末装置により選択され、または基地局により端末装置に通知してもよい。特に、基地局により端末装置に通知するための方法が、基地局により、アップリンク・チャネル状態またはダウンリンク・チャネル状態に従って少なくとも２つの所定のテーブルから１つのテーブルを選択するステップと、端末装置に当該選択されたテーブルを通知するステップとであってもよい。ＭＣＳテーブルはＭＣＳインデックスとエントリの間のマッピング関係を記述するために用いられたものである。本発明の当該実施形態におけるＭＣＳテーブル内のマッピング関係は本発明を理解する簡単さのため１例として用いたにすぎず、本発明におけるＭＣＳテーブルの表現形式は本明細書で説明した形式に限定されることを意味するものではない。即ち、当該ＭＣＳテーブルは、ＭＣＳインデックスとエントリの間のマッピング関係を提供できる限り、様々な組合せを有してもよい。当該組合せの全ては本発明の保護範囲に入るものとする。
【０４２４】
当該取得モジュールにより取得された第１のＭＣＳテーブルは、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは、第２のＭＣＳテーブル内にあり変調方式がＱＰＳＫである少なくとも１つのエントリによって形成された、第１の組合せと異なる組合せを含み、第１の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含み、第２のＭＣＳテーブル内の変調方式はＱＰＳＫ、１６ＱＡＭ、および６４ＱＡＭのみを含む。
【０４２５】
決定モジュール８３は、当該取得モジュールにより取得された第１のＭＣＳテーブルおよび受信した第１のＭＣＳインデックスに従って、第１のＴＢＳインデックスおよび変調順序を決定するように構成された第１の決定サブモジュール８３１と、第１のＴＢＳインデックス、第１のＰＲＢ量、および第１のＴＢＳテーブルに従って符号ブロック・サイズを決定するように構成された第２の決定サブモジュール８３２とを備え、第１のＰＲＢ量は基地局により端末装置に割り当てられたＰＲＢ量であるか、または、第１のＰＲＢ量は端末装置に割り当てられた当該ＰＲＢ量と特定の係数の積以下の最大の整数であり、第１のＴＢＳテーブルは各ＴＢＳインデックスに対応する少なくとも１つのＰＲＢ量および各ＰＲＢ量に対応する送信ブロック・サイズを含み、第１のＴＢＳテーブルは第１のＭＣＳテーブルに対応するＴＢＳテーブルである。
【０４２６】
場合によっては、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブル内のＴＢＳインデックス０乃至２６に対応する送信ブロック・サイズは第２のＴＢＳテーブル内のＴＢＳインデックス０乃至２６に対応する送信ブロック・サイズと同一であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【０４２７】
あるいは、場合によっては、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブル内のＴＢＳインデックス０乃至Ｃに対応する送信ブロック・サイズは第２のＴＢＳテーブル内のＴＢＳインデックス０乃至Ｃに対応する送信ブロック・サイズと同一であり、Ｃは２６以下の非負整数であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【０４２８】
場合によっては、第１のＴＢＳテーブルはＴＢＳインデックスＹ１、ＴＢＳインデックスＹ２、ＴＢＳインデックスＹ３、およびＴＢＳインデックスＹ４＿１乃至Ｙ４＿５のうち少なくとも１つを含む。第１のＴＢＳテーブル内のこれらのＴＢＳインデックスに対応するエントリの説明については、上述の方法の実施形態を参照されたい。詳細についてはここでは再度説明しない。
【０４２９】
当該取得モジュールにより取得された第１のＭＣＳテーブルにおいて、第２のＭＣＳテーブル内にあり変調方式がＱＰＳＫである少なくとも１つのエントリは、第２のＭＣＳテーブル内にあり変調方式がＱＰＳＫであるエントリの一部であって、当該エントリの一部に対応する連続するＭＣＳインデックスの差分は同一である、エントリの一部、または、第２のＭＣＳテーブル内にあり変調方式がＱＰＳＫであるエントリの一部であって、当該エントリの一部に対応する連続するＭＣＳインデックスの差分は同一ではない、エントリの一部、または、第２のＭＣＳテーブル内にあり変調方式がＱＰＳＫであるエントリの一部であって、当該エントリの一部に対応するＭＣＳインデックスは不連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部、または、第２のＭＣＳテーブル内にあり変調方式がＱＰＳＫであるエントリの一部であって、当該エントリの一部に対応するＭＣＳインデックスは連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部を含む。
【０４３０】
当該取得モジュールにより取得された第１のＭＣＳテーブルにおいて、第２のＭＣＳテーブル内にあり変調方式が１６ＱＡＭである少なくとも１つのエントリは、第２のＭＣＳテーブル内にあり変調方式が１６ＱＡＭである全てのエントリ、または、第２のＭＣＳテーブル内にあり変調方式が１６ＱＡＭであるエントリの一部であって、当該エントリの一部に対応する連続するＭＣＳインデックスの差分は同一である、エントリの一部、または、第２のＭＣＳテーブル内にあり変調方式が１６ＱＡＭであるエントリの一部であって、当該エントリの一部に対応する連続するＭＣＳインデックスの差分は同一ではない、エントリの一部、または、第２のＭＣＳテーブル内にあり変調方式が１６ＱＡＭであるエントリの一部であって、当該エントリの一部に対応するＭＣＳインデックスは不連続であり、当該エントリの一部は、第２のＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部に対応するＭＣＳインデックスは連続であり、当該エントリの一部は、ＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部は、各ＭＣＳインデックスが、第２のＭＣＳテーブル内にあり変調方式が１６ＱＡＭである全てのエントリのうち最大または最小であるエントリと異なる少なくとも１つのエントリである、エントリの一部を含む。
【０４３１】
さらに、当該取得モジュールにより取得された第１のＭＣＳテーブルはさらに、第２のＭＣＳテーブル内にあり変調方式が６４ＱＡＭである少なくとも１つのエントリを含む。
【０４３２】
特に、当該取得モジュールにより取得された第１のＭＣＳテーブルにおいて、第２のＭＣＳテーブル内にあり変調方式が６４ＱＡＭである少なくとも１つのエントリは、第２のＭＣＳテーブル内にあり変調方式が６４ＱＡＭである全てのエントリ、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最小であるエントリと異なる少なくとも１つのエントリである、エントリの一部、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最大であるエントリと異なる少なくとも１つのエントリである、エントリの一部を含む。
【０４３３】
さらに、当該取得モジュールにより取得された第１のＭＣＳテーブルにおいて、第２のＭＣＳテーブル内にあり変調方式が６４ＱＡＭである少なくとも１つのエントリは、対応するＭＣＳインデックスが、第１のＭＣＳテーブル内にあり変調方式が６４ＱＡＭよりも高い全てのエントリのうち最小であるエントリのＴＢＳインデックスが、ＭＣＳインデックスが、第２のＭＣＳテーブル内にあり変調方式が６４ＱＡＭである全てのエントリのうち最大であるエントリのＴＢＳインデックスと同じであるか、または、対応するＭＣＳインデックスが、第１のＭＣＳテーブル内にあり変調方式が６４ＱＡＭよりも高いエントリのうち最小のものであるＲ個のエントリのＴＢＳインデックスが、ＭＣＳインデックスが、第２のＭＣＳテーブル内にあり変調方式が６４ＱＡＭでありＭＣＳインデックスは２７より大きくない全てのエントリのうち最大のものであるＲ個のエントリのＴＢＳインデックスに等しくてもよく、Ｒは自然数である、ということを含む。
【０４３４】
場合によっては、第１のＭＣＳテーブルはさらに、表Ｄ１、Ｄ２、Ｄ３、Ｄ４、またはＤ５内の少なくとも１つのエントリを含む。任意の１つのエントリは、ＭＣＳインデックス、ならびに当該ＭＣＳインデックスに対応する変調順序およびＴＢＳインデックスを含む。表Ｄ１、Ｄ２、Ｄ３、Ｄ４、およびＤ５については、上述の方法の実施形態を参照されたい。
【０４３５】
さらに、当該取得モジュールにより取得された第１のＭＣＳテーブル内のＭＣＳインデックスの値範囲は第２のＭＣＳテーブル内のＭＣＳインデックスの値範囲と同じである。
【０４３６】
図８に示すＭＣＳ通知装置は、上述の方法の実施形態における対応するステップを実行することができる。詳細については、上述の方法の実施形態の説明を参照されたい。当該ＭＣＳ通知装置により達成される効果については、上述の方法の実施形態の説明を参照されたい。
【０４３７】
図９に示すように、本発明の１実施形態はさらに、チャネル品質指標ＣＱＩ通知装置９０を提供する。チャネル品質指標ＣＱＩ通知装置９０は、プロセッサ９１および送信器９２を備える。当該プロセッサは、第１のＣＱＩテーブルを取得するように構成され、第１のＣＱＩテーブルに従って第１のＣＱＩインデックスを学習するように構成され、当該送信器は、当該プロセッサにより取得された第１のＣＱＩインデックスを基地局に送信するように構成される。その結果、基地局が第１のＣＱＩインデックスに従って第１の変調符号化方式ＭＣＳインデックスを決定する。
【０４３８】
当該プロセッサにより取得された第１のＣＱＩテーブルは、変調方式が６４直角位相振幅変調ＱＡＭより高いエントリと、第２のＣＱＩテーブル内にあり変調方式が４相位相偏移変調ＱＰＳＫである少なくとも１つのエントリであって、変調方式がＱＰＳＫである少なくとも１つのエントリは、第２のＣＱＩテーブル内にあり変調方式がＱＰＳＫである少なくとも１つのエントリにより形成された第１の組合せとは異なる組合せを含み、第１の組合せは、第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または第２のＣＱＩテーブル内にあり変調方式が１６ＱＡＭである少なくとも１つのエントリとを含み、第２のＣＱＩテーブル内のエントリの変調方式はＱＰＳＫ、１６ＱＡＭ、および６４ＱＡＭのみを含む。
【０４３９】
当該プロセッサにより取得された第１のＣＱＩテーブルにおいて、第２のＣＱＩテーブル内にあり変調方式がＱＰＳＫである少なくとも１つのエントリは、第２のＣＱＩテーブル内にあり変調方式がＱＰＳＫであるエントリの一部であって、当該エントリの一部に対応する連続するＣＱＩインデックスの差分は同一である、エントリの一部、または、第２のＣＱＩテーブル内にあり変調方式がＱＰＳＫであるエントリの一部であって、当該エントリの一部に対応する連続するＣＱＩインデックスの差分は同一ではない、エントリの一部、または、第２のＣＱＩテーブル内にあり変調方式がＱＰＳＫであるエントリの一部であって、当該エントリの一部に対応するＣＱＩインデックスは不連続であり、当該エントリの一部は、対応するＣＱＩインデックスが、第２のＣＱＩテーブル内にあり変調方式がＱＰＳＫである全てのエントリのうち最大のものであるエントリと異なる少なくとも１つのエントリである、エントリの一部、または、第２のＣＱＩテーブル内にあり変調方式がＱＰＳＫであるエントリの一部であって、当該エントリの一部に対応するＣＱＩインデックスは連続であり、当該エントリの一部は、対応するＣＱＩインデックスが、第２のＣＱＩテーブル内にあり変調方式がＱＰＳＫである全てのエントリのうち最大のものであるエントリと異なる少なくとも１つのエントリである、エントリの一部を含む。
【０４４０】
当該プロセッサにより取得された第１のＣＱＩテーブルにおいて、第２のＣＱＩテーブル内にあり変調方式が１６ＱＡＭである少なくとも１つのエントリは、第２のＣＱＩテーブル内にあり変調方式が１６ＱＡＭである全てのエントリ、または、対応するＣＱＩインデックスが第２のＣＱＩテーブル内にあり変調方式が１６ＱＡＭである全てのエントリのうち最小であるエントリと異なる少なくとも１つのエントリを含む。
【０４４１】
当該プロセッサにより取得された第１のＣＱＩテーブルはさらに、第２のＣＱＩテーブル内にあり変調方式が６４ＱＡＭである少なくとも１つのエントリを含む。
【０４４２】
当該プロセッサにより取得された第１のＣＱＩテーブルにおいて、当該変調方式が６４ＱＡＭである少なくとも１つのエントリは、第２のＣＱＩテーブル内にあり変調方式が６４ＱＡＭである全てのエントリ、または、第２のＣＱＩテーブル内にあり変調方式が６４ＱＡＭであるエントリの一部であって、当該エントリの一部は、対応するＣＱＩインデックスが第２のＣＱＩテーブル内にあり変調方式が６４ＱＡＭである全てのエントリのうち最大であるエントリと異なる少なくとも１つのエントリである、エントリの一部を含む。
【０４４３】
対応するＣＱＩインデックスが、当該プロセッサにより取得された第１のＣＱＩテーブル内にあり変調方式が６４ＱＡＭよりも高いエントリのうち最小であるエントリのスペクトル効率は、対応するＣＱＩインデックスが第２のＣＱＩテーブル内にあり変調方式が６４ＱＡＭである全てのエントリのうち最大であるエントリのスペクトル効率に等しい。
【０４４４】
当該プロセッサにより取得された第１のＣＱＩテーブル内のＣＱＩインデックスの値範囲は第２のＣＱＩテーブル内のＣＱＩインデックスの値範囲と同じである。
【０４４５】
当該実施形態のＣＱＩ通知装置９０の様々なコンポーネントの機能の具体的な実装については、当該ＣＱＩ通知方法の以上の実施形態の説明を参照されたい、詳細についてはここでは再度説明しない。
【０４４６】
図１０に示すように、本発明の１実施形態はさらに変調符号化方式ＭＣＳ通知装置１０を提供する。変調符号化方式ＭＣＳ通知装置１０は、第１のＣＱＩテーブルおよび第１のＭＣＳテーブルを取得するように構成されたプロセッサ１０１と、端末装置により送信された第１のチャネル品質指標ＣＱＩインデックスを受信するように構成された受信器１０２であって、第１のＣＱＩインデックスは第１のＣＱＩテーブルに従って端末装置により決定される受信器１０２と、当該プロセッサにより決定された第１のＭＣＳインデックスを端末装置に送信するように構成された送信器１０３とを備える。当該プロセッサは、当該プロセッサにより取得された第１のＣＱＩテーブル、当該取得された第１のＭＣＳテーブル、および当該受信器により受信された第１のＣＱＩインデックスに従って、第１のＭＣＳインデックスを決定するように構成される。
【０４４７】
当該プロセッサにより取得された第１のＣＱＩテーブルは、変調方式が６４ＱＡＭよりも高いエントリと、第２のＣＱＩテーブル内にあり変調方式がＱＰＳＫである少なくとも１つのエントリであって、変調方式がＱＰＳＫである少なくとも１つのエントリは、、第２のＣＱＩテーブル内にあり変調方式がＱＰＳＫである少なくとも１つのエントリにより形成された第１の組合せとは異なる組合せを含み、第１の組合せは、第２のＣＱＩテーブル内にありＱＰＳＫに対応するＣＱＩインデックスが連続的かつ最大のものであるＮ個のエントリであり、Ｎは３に等しいか、またはＮは４未満の正の整数であるか、またはＮは正の整数である少なくとも１つのエントリ、および／または第２のＣＱＩテーブル内の変調方式が１６ＱＡＭである少なくとも１つのエントリとを含み、第２のＣＱＩテーブル内の変調方式はＱＰＳＫ、１６ＱＡＭ、および６４ＱＡＭのみを含む。
【０４４８】
当該プロセッサにより取得された第１のＭＣＳテーブルは、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは、第２のＭＣＳテーブル内にあり変調方式がＱＰＳＫである少なくとも１つのエントリにより形成された、第２の組合せと異なる組合せを含み、第２の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含み、第２のＭＣＳテーブル内の変調方式はＱＰＳＫ、１６ＱＡＭ、および６４ＱＡＭのみを含む。
【０４４９】
当該プロセッサは特に、取得した第１のＰＲＢ量、当該プロセッサにより取得された第１のＣＱＩテーブル、および当該プロセッサにより取得された第１のＭＣＳテーブル、および受信した第１のＣＱＩインデックスに従って、第１のＴＢＳインデックスおよび第１のＭＣＳインデックスを決定するように構成され、第１のＰＲＢ量は基地局により端末装置に割り当てられたＰＲＢ量であるか、または、第１のＰＲＢ量は端末装置に割り当てられた当該ＰＲＢ量と特定の係数の積以下の最大の整数であり、第１のＴＢＳテーブルは各ＴＢＳインデックスに対応する少なくとも１つのＰＲＢ量および各ＰＲＢ量に対応する送信ブロック・サイズを含み、第１のＴＢＳテーブルは第１のＭＣＳテーブルに対応するＴＢＳテーブルであり、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブル内のＴＢＳインデックス０乃至２６に対応する送信ブロック・サイズは第２のＴＢＳテーブル内のＴＢＳインデックス０乃至２６に対応する送信ブロック・サイズと同一であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【０４５０】
当該プロセッサは特に、当該プロセッサにより取得された第１のＣＱＩテーブルおよび当該受信器により受信された第１のＣＱＩインデックスに従って、受信した第１のＣＱＩインデックスに対応する第１の変調方式および第１のスペクトル効率を決定し、第１のＰＲＢ量および当該決定された第１のスペクトル効率に従って、端末装置に送信された第１の送信ブロック・サイズを学習し、第１のＴＢＳテーブルに従って、第１のＴＢＳテーブル内にあり当該決定された第１の送信ブロック・サイズおよび第１のＰＲＢ量に対応する第１のＴＢＳインデックスを取得するように構成される。
【０４５１】
当該プロセッサにより取得された第１のＣＱＩテーブルにおいて、第２のＣＱＩテーブル内にあり変調方式がＱＰＳＫである少なくとも１つのエントリは、第２のＣＱＩテーブル内にあり変調方式がＱＰＳＫであるエントリの一部であって、当該エントリの一部に対応する連続するＣＱＩインデックスの差分は同一である、エントリの一部、または、第２のＣＱＩテーブル内にあり変調方式がＱＰＳＫであるエントリの一部であって、当該エントリの一部に対応する連続するＣＱＩインデックスの差分は同一ではない、エントリの一部、または、第２のＣＱＩテーブル内にあり変調方式がＱＰＳＫであるエントリの一部であって、当該エントリの一部に対応するＣＱＩインデックスは不連続であり、当該エントリの一部は、対応するＣＱＩインデックスが、第２のＣＱＩテーブル内にあり変調方式がＱＰＳＫである全てのエントリのうち最大のものであるエントリと異なる少なくとも１つのエントリである、エントリの一部、または、第２のＣＱＩテーブル内にあり変調方式がＱＰＳＫであるエントリの一部であって、当該エントリの一部に対応するＣＱＩインデックスは連続であり、当該エントリの一部は、対応するＣＱＩインデックスが、第２のＣＱＩテーブル内にあり変調方式がＱＰＳＫである全てのエントリのうち最大のものであるエントリと異なる少なくとも１つのエントリである、エントリの一部を含む。
【０４５２】
当該プロセッサにより取得された第１のＣＱＩテーブルにおいて、第２のＣＱＩテーブル内にあり変調方式が１６ＱＡＭである少なくとも１つのエントリは、第２のＣＱＩテーブル内にあり変調方式が１６ＱＡＭである全てのエントリ、または、対応するＣＱＩインデックスが第２のＣＱＩテーブル内にあり変調方式が１６ＱＡＭである全てのエントリのうち最小であるエントリと異なる少なくとも１つのエントリを含む。
【０４５３】
当該プロセッサにより取得された第１のＣＱＩテーブルはさらに、第２のＣＱＩテーブル内にあり変調方式が６４ＱＡＭである少なくとも１つのエントリを含む。
【０４５４】
当該プロセッサにより取得された第１のＣＱＩテーブルにおいて、第２のＣＱＩテーブル内にあり変調方式が６４ＱＡＭである少なくとも１つのエントリは、第２のＣＱＩテーブル内にあり変調方式が６４ＱＡＭである全てのエントリ、または、第２のＣＱＩテーブル内にあり変調方式が６４ＱＡＭであるエントリの一部であって、当該エントリの一部は、対応するＣＱＩインデックスが第２のＣＱＩテーブル内にあり変調方式が６４ＱＡＭである全てのエントリのうち最大であるエントリと異なる少なくとも１つのエントリである、エントリの一部を含む。
【０４５５】
対応するＣＱＩインデックスが当該プロセッサにより取得された第１のＣＱＩテーブル内にあり変調方式が６４ＱＡＭよりも高いエントリのうち最小であるエントリのスペクトル効率は、対応するＣＱＩインデックスが第２のＣＱＩテーブル内にあり変調方式が６４ＱＡＭである全てのエントリのうち最大であるエントリのスペクトル効率に等しい。
【０４５６】
当該プロセッサにより取得された第１のＣＱＩテーブル内のＣＱＩインデックスの値範囲は第２のＣＱＩテーブル内のＣＱＩインデックスの値範囲と同じである。
【０４５７】
当該プロセッサにより取得された第１のＭＣＳテーブルにおいて、第２のＭＣＳテーブル内にあり変調方式がＱＰＳＫである少なくとも１つのエントリは、第２のＭＣＳテーブル内にあり変調方式がＱＰＳＫであるエントリの一部であって、当該エントリの一部に対応する連続するＭＣＳインデックスの差分は同一である、エントリの一部、または、第２のＭＣＳテーブル内にあり変調方式がＱＰＳＫであるエントリの一部であって、当該エントリの一部に対応する連続するＭＣＳインデックスの差分は同一ではない、エントリの一部、または、第２のＭＣＳテーブル内にあり変調方式がＱＰＳＫであるエントリの一部であって、当該エントリの一部に対応するＭＣＳインデックスは不連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部、または、第２のＭＣＳテーブル内にあり変調方式がＱＰＳＫであるエントリの一部であって、当該エントリの一部に対応するＭＣＳインデックスは連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部を含む。
【０４５８】
当該プロセッサにより取得された第１のＣＱＩテーブルにおいて、第２のＭＣＳテーブル内にあり変調方式が１６ＱＡＭである少なくとも１つのエントリは、第２のＭＣＳテーブル内にあり変調方式が１６ＱＡＭである全てのエントリ、または、第２のＭＣＳテーブル内にあり変調方式が１６ＱＡＭであるエントリの一部であって、当該エントリの一部に対応する連続するＭＣＳインデックスの差分は同一である、エントリの一部、または、第２のＭＣＳテーブル内にあり変調方式が１６ＱＡＭであるエントリの一部であって、当該エントリの一部に対応する連続するＭＣＳインデックスの差分は同一ではない、エントリの一部、または、第２のＭＣＳテーブル内にあり変調方式が１６ＱＡＭであるエントリの一部であって、当該エントリの一部に対応するＭＣＳインデックスは不連続であり、当該エントリの一部は、第２のＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部に対応するＭＣＳインデックスは連続であり、当該エントリの一部は、ＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部は、各ＭＣＳインデックスが、第２のＭＣＳテーブル内にあり変調方式が１６ＱＡＭである全てのエントリのうち最大または最小であるエントリと異なる少なくとも１つのエントリである、エントリの一部を含む。
【０４５９】
当該プロセッサにより取得された第１のＭＣＳテーブルはさらに、第２のＭＣＳテーブル内にあり変調方式が６４ＱＡＭである少なくとも１つのエントリを含む。
【０４６０】
当該プロセッサにより取得された第１のＣＱＩテーブルにおいて、第２のＭＣＳテーブル内にあり変調方式が６４ＱＡＭである少なくとも１つのエントリは、第２のＭＣＳテーブル内にあり変調方式が６４ＱＡＭである全てのエントリ、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最小であるエントリと異なる少なくとも１つのエントリである、エントリの一部を含む。
【０４６１】
当該プロセッサにより取得された第１のＣＱＩテーブルにおいて、第２のＭＣＳテーブル内にあり変調方式が６４ＱＡＭである少なくとも１つのエントリは、対応するＭＣＳインデックスが、第１のＭＣＳテーブル内にあり変調方式が６４ＱＡＭよりも高い全てのエントリのうち最小であるエントリのＴＢＳインデックスは、ＭＣＳインデックスが、第２のＭＣＳテーブル内にあり変調方式が６４ＱＡＭである全てのエントリのうち最大であるエントリのＴＢＳインデックスと同じであるということを含む。
【０４６２】
当該プロセッサにより取得された第１のＭＣＳテーブル内のＭＣＳインデックスの値範囲は第２のＭＣＳテーブル内のＭＣＳインデックスの値範囲と同じである。
【０４６３】
当該実施形態のＭＣＳ通知装置１０の様々なコンポーネントの機能の具体的な実装については、図２に対応するＭＣＳ通知方法の以上の実施形態の説明を参照されたい、詳細についてはここでは再度説明しない。
【０４６４】
図１１に示すように、本発明の１実施形態はさらに変調符号化方式ＭＣＳ通知装置１１を提供する。変調符号化方式ＭＣＳ通知装置１１は、第１のＭＣＳテーブルを取得するように構成されたプロセッサ１１１と、基地局により送信された第１のＭＣＳインデックスを受信するように構成された受信器１１２であって、第１のＭＣＳインデックスは、当該プロセッサにより取得された第１のＭＣＳテーブルに従って基地局により決定される、受信器１１２とを備え、プロセッサ１１１は、当該プロセッサにより取得された第１のＭＣＳテーブルおよび当該受信器により受信された第１のＭＣＳインデックスに従って、変調順序および符号ブロック・サイズを決定するように構成される。
【０４６５】
当該プロセッサにより取得された第１のＭＣＳテーブルは、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは、第１の組合せ（第１の組合せにおける第１のという用語は或る組合せを別の組合せから区別するために用いられるにすぎず、必ずしも何等かの関係または順序がこれらの組合せの間に存在するのを要求または暗示するものではない。第１の組合せは、図２に対応する実施形態における第２の組合せと本質的に同一である）と異なる、第２のＭＣＳテーブル内にあり変調方式がＱＰＳＫである少なくとも１つのエントリにより形成された組合せを含み、第１の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含み、第２のＭＣＳテーブル内の変調方式はＱＰＳＫ、１６ＱＡＭ、および６４ＱＡＭのみを含む。
【０４６６】
当該プロセッサは特に、当該プロセッサにより取得された第１のＭＣＳテーブルおよび受信した第１のＭＣＳインデックスに従って、第１のＴＢＳインデックスおよび変調順序を決定し、第１のＴＢＳインデックス、第１のＰＲＢ量、および第１のＴＢＳテーブルに従って符号ブロック・サイズを決定するように構成され、第１のＰＲＢ量は基地局により端末装置に割り当てられたＰＲＢ量であるか、または、第１のＰＲＢ量は端末装置に割り当てられた当該ＰＲＢ量と特定の係数の積以下の最大の整数であり、第１のＴＢＳテーブルは各ＴＢＳインデックスに対応する少なくとも１つのＰＲＢ量および各ＰＲＢ量に対応する送信ブロック・サイズを含み、第１のＴＢＳテーブルは第１のＭＣＳテーブルに対応するＴＢＳテーブルであり、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブル内のＴＢＳインデックス０乃至２６に対応する送信ブロック・サイズは第２のＴＢＳテーブル内のＴＢＳインデックス０乃至２６に対応する送信ブロック・サイズと同一であり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する送信ブロック・サイズを含む。
【０４６７】
当該プロセッサにより取得された第１のＭＣＳテーブルにおいて、第２のＭＣＳテーブル内にあり変調方式がＱＰＳＫである少なくとも１つのエントリは、第２のＭＣＳテーブル内にあり変調方式がＱＰＳＫであるエントリの一部であって、当該エントリの一部に対応する連続するＭＣＳインデックスの差分は同一である、エントリの一部、または、第２のＭＣＳテーブル内にあり変調方式がＱＰＳＫであるエントリの一部であって、当該エントリの一部に対応する連続するＭＣＳインデックスの差分は同一ではない、エントリの一部、または、第２のＭＣＳテーブル内にあり変調方式がＱＰＳＫであるエントリの一部であって、当該エントリの一部に対応するＭＣＳインデックスは不連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部、または、第２のＭＣＳテーブル内にあり変調方式がＱＰＳＫであるエントリの一部であって、当該エントリの一部に対応するＭＣＳインデックスは連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部を含む。
【０４６８】
当該プロセッサにより取得された第１のＭＣＳテーブルにおいて、第２のＭＣＳテーブル内にあり変調方式が１６ＱＡＭである少なくとも１つのエントリは、第２のＭＣＳテーブル内にあり変調方式が１６ＱＡＭである全てのエントリ、または、第２のＭＣＳテーブル内にあり変調方式が１６ＱＡＭであるエントリの一部であって、当該エントリの一部に対応する連続するＭＣＳインデックスの差分は同一である、エントリの一部、または、第２のＭＣＳテーブル内にあり変調方式が１６ＱＡＭであるエントリの一部であって、当該エントリの一部に対応する連続するＭＣＳインデックスの差分は同一ではない、エントリの一部、または、第２のＭＣＳテーブル内にあり変調方式が１６ＱＡＭであるエントリの一部であって、当該エントリの一部に対応するＭＣＳインデックスは不連続であり、当該エントリの一部は、第２のＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部に対応するＭＣＳインデックスは連続であり、当該エントリの一部は、ＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部は、各ＭＣＳインデックスが、第２のＭＣＳテーブル内にあり変調方式が１６ＱＡＭである全てのエントリのうち最大または最小であるエントリと異なる少なくとも１つのエントリである、エントリの一部を含む。
【０４６９】
当該プロセッサにより取得された第１のＭＣＳテーブルはさらに、第２のＭＣＳテーブル内にあり変調方式が６４ＱＡＭである少なくとも１つのエントリを含む。
【０４７０】
当該プロセッサにより取得された第１のＭＣＳテーブルにおいて、第２のＭＣＳテーブル内にあり変調方式が６４ＱＡＭである少なくとも１つのエントリは、第２のＭＣＳテーブル内にあり変調方式が６４ＱＡＭである全てのエントリ、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最小であるエントリと異なる少なくとも１つのエントリである、エントリの一部を含む。
【０４７１】
当該プロセッサにより取得された第１のＭＣＳテーブルにおいて、第２のＭＣＳテーブル内にあり変調方式が６４ＱＡＭである少なくとも１つのエントリは、対応するＭＣＳインデックスが、第１のＭＣＳテーブル内にあり変調方式が６４ＱＡＭよりも高い全てのエントリのうち最小であるエントリのＴＢＳインデックスは、ＭＣＳインデックスが、第２のＭＣＳテーブル内にあり変調方式が６４ＱＡＭである全てのエントリのうち最大であるエントリのＴＢＳインデックスと同じであるということを含む。
【０４７２】
当該プロセッサにより取得された第１のＭＣＳテーブル内のＭＣＳインデックスの値範囲は第２のＭＣＳテーブル内のＭＣＳインデックスの値範囲と同じである。
【０４７３】
当該実施形態のＭＣＳ通知装置１１の様々なコンポーネントの機能の具体的な実装については、図３に対応するＭＣＳ通知方法の以上の実施形態の説明を参照されたい、詳細についてはここでは再度説明しない。
【０４７４】
図１２に示すように、本発明は変調符号化方式ＭＣＳ通知装置を提供する。当該装置は、第１のＣＱＩテーブルおよび第１のＭＣＳテーブルを取得するように構成されたプロセッサ１２１と、第１のＣＱＩインデックスを受信するように構成された受信器１２２であって、第１のＣＱＩインデックスは第１のＣＱＩテーブルに従って端末装置により決定される、受信器１２２と、プロセッサ１２１により決定された第１のＭＣＳインデックスを端末装置に送信するように構成された送信器１２３とを備える。プロセッサ１２１は、取得した第１のＣＱＩテーブル、当該取得された第１のＭＣＳテーブル、および当該受信器により受信された第１のＣＱＩインデックスに従って第１のＭＣＳインデックスを決定するように構成され、当該プロセッサにより取得された第１のＣＱＩテーブルは変調方式が６４ＱＡＭよりも高いエントリを含み、当該プロセッサにより取得された第１のＣＱＩテーブル内のエントリは、第１のＣＱＩテーブル内のＣＱＩインデックスに対応する１つの変調方式、１つの符号化率、および１つのスペクトル効率を指し、当該プロセッサにより取得された第１のＭＣＳテーブルは、変調方式が６４ＱＡＭよりも高いエントリと、第２のＭＣＳテーブル内にあり変調方式がＱＰＳＫである少なくとも１つのエントリであって、変調方式がＱＰＳＫである少なくとも１つのエントリは第２のＭＣＳテーブル内にあり変調方式がＱＰＳＫである少なくとも１つのエントリによって形成された、第１の組合せと異なる組合せを含み、第１の組合せは、第２のＭＣＳテーブル内にありＱＰＳＫに対応するＭＣＳインデックスが連続で最大のものであるＫ個のエントリであり、Ｋは４に等しいか、または、Ｋは５未満の正の整数であるか、または、Ｋは正の整数である少なくとも１つのエントリ、および／または第２のＭＣＳテーブル内にあり変調方式が１６ＱＡＭである少なくとも１つのエントリとを含み、第２のＭＣＳテーブル内の変調方式はＱＰＳＫ、１６ＱＡＭ、および６４ＱＡＭのみを含む。
【０４７５】
当該プロセッサにより取得された第１のＭＣＳテーブルにおいて、第２のＭＣＳテーブル内にあり変調方式がＱＰＳＫである少なくとも１つのエントリは、第２のＭＣＳテーブル内にあり変調方式がＱＰＳＫであるエントリの一部であって、当該エントリの一部に対応する連続するＭＣＳインデックスの差分は同一である、エントリの一部、または、第２のＭＣＳテーブル内にあり変調方式がＱＰＳＫであるエントリの一部であって、当該エントリの一部に対応する連続するＭＣＳインデックスの差分は同一ではない、エントリの一部、または、第２のＭＣＳテーブル内にあり変調方式がＱＰＳＫであるエントリの一部であって、当該エントリの一部に対応するＭＣＳインデックスは不連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部、または、第２のＭＣＳテーブル内にあり変調方式がＱＰＳＫであるエントリの一部であって、当該エントリの一部に対応するＭＣＳインデックスは連続であり、当該エントリの一部は、ＭＣＳインデックスが、第２のＭＣＳテーブル内にあり変調方式がＱＰＳＫである全てのエントリのうち最大であるエントリと異なる少なくとも１つのエントリである、エントリの一部を含む。
【０４７６】
当該プロセッサにより取得された第１のＭＣＳテーブルにおいて、第２のＭＣＳテーブル内にあり変調方式が１６ＱＡＭである少なくとも１つのエントリは、第２のＭＣＳテーブル内にあり変調方式が１６ＱＡＭである全てのエントリ、または、第２のＭＣＳテーブル内にあり変調方式が１６ＱＡＭであるエントリの一部であって、当該エントリの一部に対応する連続するＭＣＳインデックスの差分は同一である、エントリの一部、または、第２のＭＣＳテーブル内にあり変調方式が１６ＱＡＭであるエントリの一部であって、当該エントリの一部に対応する連続するＭＣＳインデックスの差分は同一ではない、エントリの一部、または、第２のＭＣＳテーブル内にあり変調方式が１６ＱＡＭであるエントリの一部であって、当該エントリの一部に対応するＭＣＳインデックスは不連続であり、当該エントリの一部は、第２のＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部に対応するＭＣＳインデックスは連続であり、当該エントリの一部は、ＭＣＳインデックスが、第２のＭＣＳテーブル内にあり変調方式が１６ＱＡＭである全てのエントリのうち最大であるエントリと異なる少なくとも１つのエントリである、エントリの一部、または、第２のＭＣＳテーブル内にあり変調方式が１６ＱＡＭであるエントリの一部であって、当該エントリの一部は、各ＭＣＳインデックスが、第２のＭＣＳテーブル内にあり変調方式が１６ＱＡＭである全てのエントリのうち最大または最小であるエントリ少なくとも１つのエントリである、エントリの一部を含む。
【０４７７】
当該プロセッサにより取得された第１のＭＣＳテーブルはさらに、第２のＭＣＳテーブル内にあり変調方式が６４ＱＡＭである少なくとも１つのエントリを含む。
【０４７８】
当該プロセッサにより取得された第１のＭＣＳテーブルにおいて、第２のＭＣＳテーブル内にあり変調方式が６４ＱＡＭである少なくとも１つのエントリは、第２のＭＣＳテーブル内にあり変調方式が６４ＱＡＭである全てのエントリ、または、第２のＭＣＳテーブル内にあり変調方式が６４ＱＡＭであるエントリの一部であって、当該エントリの一部は、ＭＣＳインデックスが、第２のＭＣＳテーブル内にあり変調方式が６４ＱＡＭである全てのエントリのうち最小であるエントリと異なる少なくとも１つのエントリである、エントリの一部を含む。
【０４７９】
当該プロセッサにより取得された第１のＭＣＳテーブルにおいて、第２のＭＣＳテーブル内にあり変調方式が６４ＱＡＭである少なくとも１つのエントリは、対応するＭＣＳインデックスが、第１のＭＣＳテーブル内にあり変調方式が６４ＱＡＭよりも高い全てのエントリのうち最小であるエントリのＴＢＳインデックスは、ＭＣＳインデックスが、第２のＭＣＳテーブル内にあり変調方式が６４ＱＡＭである全てのエントリのうち最大であるエントリのＴＢＳインデックスと同じである。ということを含む。
【０４８０】
当該プロセッサにより取得された第１のＭＣＳテーブル内のＭＣＳインデックスの値範囲は第２のＭＣＳテーブル内のＭＣＳインデックスの値範囲と同じである。
【０４８１】
図９乃至図１２に示す装置が、それぞれ上述の方法の実施形態で提供した方法を実装してもよいことに留意されたい。詳細については上述の実施形態の説明を参照されたい。当該装置により実現される効果については、上述の実施形態の説明を参照されたい。
【０４８２】
当該実施形態のＭＣＳ通知装置１１の様々なコンポーネントの機能の具体的な実装については、図４に対応するＭＣＳ通知方法の以上の実施形態の説明を参照されたい、詳細についてはここでは再度説明しない。
【０４８３】
便宜および説明の簡単さのため、以上の機能モジュールの分割は説明のための１例として挙げられたことは当業者には明らかに理解される。実際の適用では、以上の機能を要件に従って様々なモジュールに割り当てて実装することができる。即ち、装置の内部構造は、上述の機能の全部または一部を実装するために様々な機能モジュールに分割される。以上のシステム、装置、およびユニットの詳細な動作プロセスについては上述の方法の実施形態における対応するプロセスを参照されたい。詳細についてはここで再度説明しない。
【０４８４】
本願で提供した幾つかの実施形態では、開示したシステム、装置、および方法を他の方式で実装してもよいことは理解される。例えば、説明した装置の実施形態は例にすぎない。例えば、ユニット分割は論理的な機能分割にすぎず、実際の実装では他の分割があってもよい。例えば、複数のユニットまたはコンポーネントを組み合せるかまたは別のシステムに統合してもよく、または幾つかの機能を無視するかまたは実施しなくてもよい。さらに、表示または議論した相互結合または直接結合または通信接続を何らかのインタフェースを用いて実装してもよい。装置またはユニットの間の間接結合または通信接続を電気的、機械的、または他の形態で実装してもよい。
【０４８５】
別々の部分として説明したユニットが物理的に別々であってもなくてもよく、ユニットとして表示した部分が物理ユニットであってもなくてもよく、１つの位置に配置されてもよく、または複数のネットワーク・ユニットに分散してもよい。当該ユニットの一部、または全部を、諸実施形態の解決策の目的を達成するための実際のニーズに従って選択してもよい。
【０４８６】
さらに、本発明の諸実施形態における機能ユニットを、１つの処理ユニットに統合してもよく、または当該ユニットの各々が物理的に単体で存在してもよく、または２つ以上のユニットが１つのユニットに統合される。当該統合されたユニットをハードウェアの形態で実装してもよく、またはソフトウェア機能ユニットに加えてハードウェアの形態で実装してもよい。
【０４８７】
以上の統合ユニットをソフトウェア機能ユニットの形態で実装するとき、当該統合ユニットをコンピュータ可読記憶媒体に格納してもよい。当該ソフトウェア機能ユニットは記憶媒体に格納され、本発明の諸実施形態で説明した方法の諸ステップの一部を実施するようにコンピュータ装置（パーソナル・コンピュータ、サーバ、またはネットワーク装置であってもよい）に指示するための幾つかの命令を含む。以上の記憶媒体は、ＵＳＢフラッシュ・ドライブ、取外し可能ハード・ディスク、読取専用メモリ（Ｒｅａｄ−Ｏｎｌｙ  Ｍｅｍｏｒｙ、ＲＯＭ）、ランダム・アクセス・メモリ（Ｒａｎｄｏｍ  Ａｃｃｅｓｓ  Ｍｅｍｏｒｙ、ＲＡＭ）、磁気ディスク、または光ディスクのような、プログラム・コードを格納できる任意の媒体を含む。
【０４８８】
最後に、上述の実施形態は、本発明を限定するのではなく本発明の技術的解決策を説明するためのものにすぎないことに留意されたい。以上の実施形態を参照して本発明を詳細に説明したが、当業者は、本発明の諸実施形態の技術的解決策の趣旨と範囲を逸脱せずに、上述の実施形態で説明した技術的解決策に修正を加え、または、その幾つかの技術的特徴に均等な置換えを行ってもよいことは当業者には理解される。
【符号の説明】
【０４８９】
５１  取得モジュール
５２  送信モジュール
５３  第１の取得モジュール
６１  取得モジュール
６２  受信モジュール
６３  決定モジュール
６３１  第１の決定サブモジュール
６３２  第２の決定サブモジュール
６４  送信モジュール
７１  取得モジュール
７２  受信モジュール
７３  決定モジュール
７４  送信モジュール
８１  取得モジュール
８２  受信モジュール
８３  決定モジュール
８３１  第１の決定サブモジュール
８３２  第２の決定サブモジュール
９１  プロセッサ
９２  送信器
１０１  プロセッサ
１０２  受信器
１０３  送信器
１１１  プロセッサ
１１２  受信器
１２１  プロセッサ
１２２  受信器
１２３  送信器
【図１】
2020053973.tif 000170
【図２】
2020053973.tif 000171
【図３】
2020053973.tif 000172
【図４】
2020053973.tif 000173
【図５】
2020053973.tif 000174
【図６】
2020053973.tif 000175
【図７】
2020053973.tif 000176
【図８】
2020053973.tif 000177
【図９】
2020053973.tif 000178
【図１０】
2020053973.tif 000179
【図１１】
2020053973.tif 000180
【図１２】
2020053973.tif 000181
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
変調符号化方式（ＭＣＳ）通知方法であって、
基地局により、ユーザ機器（ＵＥ）から第１のチャネル品質指標（ＣＱＩ）インデックスを受信するステップと、
前記基地局により、第１のＣＱＩテーブル、第１のＭＣＳテーブル、および前記受信された第１のＣＱＩインデックスに従って、第１のＭＣＳインデックスを決定するステップと、
前記基地局により、前記第１のＭＣＳインデックスを前記ＵＥに送信するステップと、
を含み、
前記第１のＣＱＩテーブルは、
変調方式が６４直角位相振幅変調（ＱＡＭ）より高いエントリ、
第２のＣＱＩテーブル内にあり変調方式が４相位相偏移変調（ＱＰＳＫ）であるエントリ、および
前記第２のＣＱＩテーブル内にあり変調方式が１６ＱＡＭである少なくとも１つのエントリ
を含み、
変調方式がＱＰＳＫであるエントリは、前記第２のＣＱＩテーブル内にあり変調方式がＱＰＳＫであるＮ個のエントリではなく、対応するＣＱＩインデックスは連続かつ最大のものであり、対応する符号化率は最大のものであり、Ｎは正の整数であり、
前記第２のＣＱＩテーブル内のエントリの変調方式は、ＱＰＳＫ、１６ＱＡＭ、および６４ＱＡＭのみを含み、前記第１のＣＱＩテーブル内のＣＱＩインデックスの値範囲は、前記第２のＣＱＩテーブル内のＣＱＩインデックスの値範囲と同じであり、
前記第１のＣＱＩテーブル内にあり変調方式が６４ＱＡＭより高いエントリのうち、対応するＣＱＩインデックスが最小であるエントリ内のスペクトル効率は、前記第２のＣＱＩテーブル内にあり変調方式が６４ＱＡＭである全てのエントリのうち、対応するＣＱＩインデックスが最大であるエントリ内のスペクトル効率に等しく、または
変調方式が６４ＱＡＭより高いエントリのうち、対応するＣＱＩインデックスが最小のものであるＴ個のエントリ内のスペクトル効率は、前記第２のＣＱＩテーブル内にあり変調方式が６４ＱＡＭである全てのエントリのうち、対応するＣＱＩインデックスが最大のものであるＴ個のエントリ内のスペクトル効率に等しいかまたはほぼ等しく、Ｔは１から５のいずれか１つの自然数に等しい、方法。
【請求項２】
前記第１のＣＱＩテーブル内にあり変調方式が６４ＱＡＭより高いエントリのうち、対応するＣＱＩインデックスが最大であるエントリ内のスペクトル効率は、
７．４０６３、または
前記第２のＣＱＩテーブル内にあり変調方式が６４ＱＡＭである全てのエントリのうち、対応するＣＱＩインデックスが最大であるエントリ内のスペクトル効率に４／３を掛けたものである、請求項１に記載の方法。
【請求項３】
変調方式がＱＰＳＫである少なくとも１つのエントリは、
前記第２のＣＱＩテーブル内にあり変調方式がＱＰＳＫであるエントリの一部であって、前記エントリの一部に対応する連続するＣＱＩインデックスの差分は同一である、エントリの一部、または
前記第２のＣＱＩテーブル内にあり変調方式がＱＰＳＫであるエントリの一部であって、前記エントリの一部に対応する連続するＣＱＩインデックスの差分は同一ではない、エントリの一部、または
前記第２のＣＱＩテーブル内にあり変調方式がＱＰＳＫであるエントリの一部であって、前記エントリの一部に対応するＣＱＩインデックスは不連続であり、前記エントリの一部は、前記第２のＣＱＩテーブル内にあり変調方式がＱＰＳＫである全てのエントリのうち、対応するＣＱＩインデックスが最大であるエントリと異なる少なくとも１つのエントリである、エントリの一部、または 
前記第２のＣＱＩテーブル内にあり変調方式がＱＰＳＫであるエントリの一部であって、前記エントリの一部に対応するＣＱＩインデックスは連続であり、前記エントリの一部は、前記第２のＣＱＩテーブル内にあり変調方式がＱＰＳＫである全てのエントリのうち、対応するＣＱＩインデックスが最大であるエントリと異なる少なくとも１つのエントリである、エントリの一部
を含む、請求項１または２に記載の方法。
【請求項４】
前記第２のＣＱＩテーブル内にあり変調方式が１６ＱＡＭである前記少なくとも１つのエントリは、前記第２のＣＱＩテーブル内にあり変調方式が１６ＱＡＭである全てのエントリである、請求項１から３のいずれか一項に記載の方法。
【請求項５】
前記第１のＣＱＩテーブルは、変調方式が６４ＱＡＭである少なくとも１つのエントリをさらに含み、前記少なくとも１つのエントリは、前記第２のＣＱＩテーブル内にあり変調方式が６４ＱＡＭであるエントリの一部であり、前記エントリの一部は、前記第２のＣＱＩテーブル内にあり変調方式が６４ＱＡＭである全てのエントリのうち、対応するＣＱＩインデックスが最大であるエントリと異なる少なくとも１つのエントリである、請求項１から４のいずれか一項に記載の方法。
【請求項６】
変調方式が６４直角位相振幅変調（ＱＡＭ）より高いエントリの変調方式は、２５６ＱＡＭである、請求項１から５のいずれか一項に記載の方法。
【請求項７】
変調符号化方式（ＭＣＳ）通知装置であって、
ユーザ機器（ＵＥ）から第１のチャネル品質指標（ＣＱＩ）インデックスを受信するように構成された受信モジュールと、
第１のＣＱＩテーブル、第１のＭＣＳテーブル、および前記第１のＣＱＩインデックスに従って、第１のＭＣＳインデックスを決定するように構成された決定モジュールと、
前記決定された第１のＭＣＳインデックスを前記ＵＥに送信するように構成された送信モジュールと、
を含み、
前記第１のＣＱＩテーブルは、
変調方式が６４直角位相振幅変調（ＱＡＭ）より高いエントリ、
第２のＣＱＩテーブル内にあり変調方式が４相位相偏移変調（ＱＰＳＫ）であるエントリ、および
前記第２のＣＱＩテーブル内にあり変調方式が１６ＱＡＭである少なくとも１つのエントリ
を含み、
変調方式がＱＰＳＫであるエントリは、前記第２のＣＱＩテーブル内にあり変調方式がＱＰＳＫであるＮ個のエントリではなく、対応するＣＱＩインデックスは連続かつ最大のものであり、対応する符号化率は最大のものであり、Ｎは正の整数であり、
前記第２のＣＱＩテーブル内のエントリの変調方式は、ＱＰＳＫ、１６ＱＡＭ、および６４ＱＡＭのみを含み、前記第１のＣＱＩテーブル内のＣＱＩインデックスの値範囲は、前記第２のＣＱＩテーブル内のＣＱＩインデックスの値範囲と同じであり、
前記第１のＣＱＩテーブル内にあり変調方式が６４ＱＡＭより高いエントリのうち、対応するＣＱＩインデックスが最小であるエントリ内のスペクトル効率は、前記第２のＣＱＩテーブル内にあり変調方式が６４ＱＡＭである全てのエントリのうち、対応するＣＱＩインデックスが最大であるエントリ内のスペクトル効率に等しく、または
変調方式が６４ＱＡＭより高いエントリのうち、対応するＣＱＩインデックスが最小のものであるＴ個のエントリ内のスペクトル効率は、前記第２のＣＱＩテーブル内にあり変調方式が６４ＱＡＭである全てのエントリのうち、対応するＣＱＩインデックスが最大のものであるＴ個のエントリ内のスペクトル効率に等しいかまたはほぼ等しく、Ｔは１から５のいずれか１つの自然数に等しい、装置。
【請求項８】
前記第１のＣＱＩテーブル内にあり変調方式が６４ＱＡＭより高いエントリのうち、対応するＣＱＩインデックスが最大であるエントリ内のスペクトル効率は、
７．４０６３、または
前記第２のＣＱＩテーブル内にあり変調方式が６４ＱＡＭである全てのエントリのうち、対応するＣＱＩインデックスが最大であるエントリ内のスペクトル効率に４／３を掛けたものである、請求項７に記載の装置。
【請求項９】
変調方式がＱＰＳＫである少なくとも１つのエントリは、
前記第２のＣＱＩテーブル内にあり変調方式がＱＰＳＫであるエントリの一部であって、前記エントリの一部に対応する連続するＣＱＩインデックスの差分は同一である、エントリの一部、または
前記第２のＣＱＩテーブル内にあり変調方式がＱＰＳＫであるエントリの一部であって、前記エントリの一部に対応する連続するＣＱＩインデックスの差分は同一ではない、エントリの一部、または
前記第２のＣＱＩテーブル内にあり変調方式がＱＰＳＫであるエントリの一部であって、前記エントリの一部に対応するＣＱＩインデックスは不連続であり、前記エントリの一部は、前記第２のＣＱＩテーブル内にあり変調方式がＱＰＳＫである全てのエントリのうち、対応するＣＱＩインデックスが最大であるエントリと異なる少なくとも１つのエントリである、エントリの一部、または
前記第２のＣＱＩテーブル内にあり変調方式がＱＰＳＫであるエントリの一部であって、前記エントリの一部に対応するＣＱＩインデックスは連続であり、前記エントリの一部は、前記ＣＱＩテーブル内にあり変調方式がＱＰＳＫである全てのエントリのうち、対応するＣＱＩインデックスが最大であるエントリと異なる少なくとも１つのエントリである、エントリの一部
を含む、請求項７または８に記載の装置。
【請求項１０】
前記第２のＣＱＩテーブル内にあり変調方式が１６ＱＡＭである前記少なくとも１つのエントリは、前記第２のＣＱＩテーブル内にあり変調方式が１６ＱＡＭである全てのエントリである、請求項７から９のいずれか一項に記載の装置。
【請求項１１】
前記第１のＣＱＩテーブルは、変調方式が６４ＱＡＭである少なくとも１つのエントリをさらに含み、前記少なくとも１つのエントリは、前記第２のＣＱＩテーブル内にあり変調方式が６４ＱＡＭであるエントリの一部であり、前記エントリの一部は、前記第２のＣＱＩテーブル内にあり変調方式が６４ＱＡＭである全てのエントリのうち、対応するＣＱＩインデックスが最大であるエントリと異なる少なくとも１つのエントリである、請求項７から１０のいずれか一項に記載の装置。
【請求項１２】
変調方式が６４直角位相振幅変調（ＱＡＭ）より高いエントリの変調方式は、２５６ＱＡＭである、請求項７から１１のいずれか一項に記載の装置。
【請求項１３】
変調符号化方式（ＭＣＳ）通知装置であって、
ユーザ機器（ＵＥ）から第１のチャネル品質指標（ＣＱＩ）インデックスを受信するように構成された受信器と、
第１のＣＱＩテーブル、第１のＭＣＳテーブル、および前記第１のＣＱＩインデックスに従って、第１のＭＣＳインデックスを決定するように構成されたプロセッサと、
前記決定された第１のＭＣＳインデックスを前記ＵＥに送信するように構成された送信器と、
を含み、
前記第１のＣＱＩテーブルは、
変調方式が６４直角位相振幅変調（ＱＡＭ）より高いエントリ、
第２のＣＱＩテーブル内にあり変調方式が４相位相偏移変調（ＱＰＳＫ）であるエントリ、および
前記第２のＣＱＩテーブル内にあり変調方式が１６ＱＡＭである少なくとも１つのエントリ
を含み、
変調方式がＱＰＳＫであるエントリは、前記第２のＣＱＩテーブル内にあり変調方式がＱＰＳＫであるＮ個のエントリではなく、対応するＣＱＩインデックスは連続かつ最大のものであり、対応する符号化率は最大のものであり、Ｎは正の整数であり、
前記第２のＣＱＩテーブル内のエントリの変調方式は、ＱＰＳＫ、１６ＱＡＭ、および６４ＱＡＭのみを含み、前記第１のＣＱＩテーブル内のＣＱＩインデックスの値範囲は、前記第２のＣＱＩテーブル内のＣＱＩインデックスの値範囲と同じであり、
前記第１のＣＱＩテーブル内にあり変調方式が６４ＱＡＭより高いエントリのうち、対応するＣＱＩインデックスが最小であるエントリ内のスペクトル効率は、前記第２のＣＱＩテーブル内にあり変調方式が６４ＱＡＭである全てのエントリのうち、対応するＣＱＩインデックスが最大であるエントリ内のスペクトル効率に等しく、または
変調方式が６４ＱＡＭより高いエントリのうち、対応するＣＱＩインデックスが最小のものであるＴ個のエントリ内のスペクトル効率は、前記第２のＣＱＩテーブル内にあり変調方式が６４ＱＡＭである全てのエントリのうち、対応するＣＱＩインデックスが最大のものであるＴ個のエントリ内のスペクトル効率に等しいかまたはほぼ等しく、Ｔは１から５のいずれか１つの自然数に等しい、装置。
【請求項１４】
命令を含むコンピュータ可読記憶媒体であって、前記命令は、コンピュータによって実行されるとき、前記コンピュータに、請求項１から６のいずれか一項に記載の方法を実施させる、コンピュータ可読記憶媒体。
【請求項１５】
チャネル品質指標（ＣＱＩ）通知方法であって、
取得された第１のＣＱＩテーブルに従って第１のＣＱＩインデックスを取得するステップと、
前記第１のＣＱＩインデックスを基地局に送信するステップと、
を含み、
前記第１のＣＱＩテーブルは、
変調方式が２５６直角位相振幅変調（ＱＡＭ）であるエントリ、
第２のＣＱＩテーブル内にあり変調方式が４相位相偏移変調（ＱＰＳＫ）であるエントリ、および
前記第２のＣＱＩテーブル内にあり変調方式が１６ＱＡＭである少なくとも１つのエントリ
を含み、
変調方式がＱＰＳＫであるエントリは、前記第２のＣＱＩテーブル内にあり変調方式がＱＰＳＫであるＮ個のエントリではなく、対応するＣＱＩインデックスは連続かつ最大のものであり、対応する符号化率は最大のものであり、Ｎは正の整数であり、
前記第２のＣＱＩテーブル内のエントリの変調方式は、ＱＰＳＫ、１６ＱＡＭ、および６４ＱＡＭのみを含み、前記第１のＣＱＩテーブル内のＣＱＩインデックスの値範囲は、前記第２のＣＱＩテーブル内のＣＱＩインデックスの値範囲と同じであり、
前記第１のＣＱＩテーブル内にあり変調方式が２５６ＱＡＭであるエントリのうち、対応するＣＱＩインデックスが最小であるエントリ内のスペクトル効率は、前記第２のＣＱＩテーブル内にあり変調方式が６４ＱＡＭである全てのエントリのうち、対応するＣＱＩインデックスが最大であるエントリ内のスペクトル効率に等しく、または
変調方式が２５６ＱＡＭであるエントリのうち、対応するＣＱＩインデックスが最小のものであるＴ個のエントリ内のスペクトル効率は、前記第２のＣＱＩテーブル内にあり変調方式が６４ＱＡＭである全てのエントリのうち、対応するＣＱＩインデックスが最大のものであるＴ個のエントリ内のスペクトル効率に等しいかまたはほぼ等しく、Ｔは１から５のいずれか１つの自然数に等しい、方法。
【請求項１６】
前記第１のＣＱＩテーブル内にあり変調方式が２５６ＱＡＭであるエントリのうち、対応するＣＱＩインデックスが最大であるエントリ内のスペクトル効率は、
前記第２のＣＱＩテーブル内にあり変調方式が６４ＱＡＭである全てのエントリのうち、対応するＣＱＩインデックスが最大であるエントリ内のスペクトル効率に４／３を掛けたもの、または
７．４０６３である、請求項１５に記載の方法。
【請求項１７】
変調方式がＱＰＳＫである少なくとも１つのエントリは、
前記第２のＣＱＩテーブル内にあり変調方式がＱＰＳＫであるエントリの一部であって、前記エントリの一部に対応する連続するＣＱＩインデックスの差分は同一である、エントリの一部、または
前記第２のＣＱＩテーブル内にあり変調方式がＱＰＳＫであるエントリの一部であって、前記エントリの一部に対応する連続するＣＱＩインデックスの差分は同一ではない、エントリの一部、または
前記第２のＣＱＩテーブル内にあり変調方式がＱＰＳＫであるエントリの一部であって、前記エントリの一部に対応するＣＱＩインデックスは不連続であり、前記エントリの一部は、前記第２のＣＱＩテーブル内にあり変調方式がＱＰＳＫである全てのエントリのうち、対応するＣＱＩインデックスが最大であるエントリと異なる少なくとも１つのエントリである、エントリの一部、または
前記第２のＣＱＩテーブル内にあり変調方式がＱＰＳＫであるエントリの一部であって、前記エントリの一部に対応するＣＱＩインデックスは連続であり、前記エントリの一部は、前記ＣＱＩテーブル内にあり変調方式がＱＰＳＫである全てのエントリのうち、対応するＣＱＩインデックスが最大であるエントリと異なる少なくとも１つのエントリである、エントリの一部
を含む、請求項１５または１６に記載の方法。
【請求項１８】
前記第２のＣＱＩテーブル内にあり変調方式が１６ＱＡＭである前記少なくとも１つのエントリは、前記第２のＣＱＩテーブル内にあり変調方式が１６ＱＡＭである全てのエントリである、請求項１５から１７のいずれか一項に記載の方法。
【請求項１９】
前記第１のＣＱＩテーブルは、変調方式が６４ＱＡＭである少なくとも１つのエントリをさらに含み、前記少なくとも１つのエントリは、前記第２のＣＱＩテーブル内にあり変調方式が６４ＱＡＭであるエントリの一部であり、前記エントリの一部は、前記第２のＣＱＩテーブル内にあり変調方式が６４ＱＡＭである全てのエントリのうち、対応するＣＱＩインデックスが最大であるエントリと異なる少なくとも１つのエントリである、請求項１５から１８のいずれか一項に記載の方法。
【請求項２０】
チャネル品質指標（ＣＱＩ）通知装置であって、
第１のＣＱＩテーブルに従って第１のＣＱＩインデックスを取得するように構成された第１の取得モジュールと、
前記第１の取得モジュールによって取得された前記第１のＣＱＩインデックスを基地局に送信するように構成された送信モジュールと、
を含み、
前記第１の取得モジュールによって取得された前記第１のＣＱＩテーブルは、
変調方式が２５６直角位相振幅変調（ＱＡＭ）であるエントリ、
第２のＣＱＩテーブル内にあり変調方式が４相位相偏移変調（ＱＰＳＫ）であるエントリ、および
前記第２のＣＱＩテーブル内にあり変調方式が１６ＱＡＭである少なくとも１つのエントリ
を含み、
変調方式がＱＰＳＫであるエントリは、前記第２のＣＱＩテーブル内にあり変調方式がＱＰＳＫであるＮ個のエントリではなく、対応するＣＱＩインデックスは連続かつ最大のものであり、対応する符号化率は最大のものであり、Ｎは正の整数であり、
前記第２のＣＱＩテーブル内のエントリの変調方式は、ＱＰＳＫ、１６ＱＡＭ、および６４ＱＡＭのみを含み、前記第１のＣＱＩテーブル内のＣＱＩインデックスの値範囲は、前記第２のＣＱＩテーブル内のＣＱＩインデックスの値範囲と同じであり、
前記第１のＣＱＩテーブル内にあり変調方式が２５６ＱＡＭであるエントリのうち、対応するＣＱＩインデックスが最小であるエントリ内のスペクトル効率は、前記第２のＣＱＩテーブル内にあり変調方式が６４ＱＡＭである全てのエントリのうち、対応するＣＱＩインデックスが最大であるエントリ内のスペクトル効率に等しく、または
変調方式が２５６ＱＡＭであるエントリのうち、対応するＣＱＩインデックスが最小のものであるＴ個のエントリ内のスペクトル効率は、前記第２のＣＱＩテーブル内にあり変調方式が６４ＱＡＭである全てのエントリのうち、対応するＣＱＩインデックスが最大のものであるＴ個のエントリ内のスペクトル効率に等しいかまたはほぼ等しく、Ｔは１から５のいずれか１つの自然数に等しい、装置。
【請求項２１】
前記第１のＣＱＩテーブル内にあり変調方式が２５６ＱＡＭであるエントリのうち、対応するＣＱＩインデックスが最大であるエントリ内のスペクトル効率は、
前記第２のＣＱＩテーブル内にあり変調方式が６４ＱＡＭである全てのエントリのうち、対応するＣＱＩインデックスが最大であるエントリ内のスペクトル効率に４／３を掛けたもの、または
７．４０６３である、請求項２０に記載の装置。
【請求項２２】
変調方式がＱＰＳＫである少なくとも１つのエントリは、
前記第２のＣＱＩテーブル内にあり変調方式がＱＰＳＫであるエントリの一部であって、前記エントリの一部に対応する連続するＣＱＩインデックスの差分は同一である、エントリの一部、または
前記第２のＣＱＩテーブル内にあり変調方式がＱＰＳＫであるエントリの一部であって、前記エントリの一部に対応する連続するＣＱＩインデックスの差分は同一ではない、エントリの一部、または
前記第２のＣＱＩテーブル内にあり変調方式がＱＰＳＫであるエントリの一部であって、前記エントリの一部に対応するＣＱＩインデックスは不連続であり、前記エントリの一部は、前記第２のＣＱＩテーブル内にあり変調方式がＱＰＳＫである全てのエントリのうち、対応するＣＱＩインデックスが最大であるエントリと異なる少なくとも１つのエントリである、エントリの一部、または
前記第２のＣＱＩテーブル内にあり変調方式がＱＰＳＫであるエントリの一部であって、前記エントリの一部に対応するＣＱＩインデックスは連続であり、前記エントリの一部は、前記ＣＱＩテーブル内にあり変調方式がＱＰＳＫである全てのエントリのうち、対応するＣＱＩインデックスが最大であるエントリと異なる少なくとも１つのエントリである、エントリの一部
を含む、請求項２０または２１に記載の装置。
【請求項２３】
前記第２のＣＱＩテーブル内にあり変調方式が１６ＱＡＭである前記少なくとも１つのエントリは、前記第２のＣＱＩテーブル内にあり変調方式が１６ＱＡＭである全てのエントリである、請求項２０から２２のいずれか一項に記載の装置。
【請求項２４】
前記第１のＣＱＩテーブルは、変調方式が６４ＱＡＭである少なくとも１つのエントリをさらに含み、前記少なくとも１つのエントリは、前記第２のＣＱＩテーブル内にあり変調方式が６４ＱＡＭであるエントリの一部であり、前記エントリの一部は、前記第２のＣＱＩテーブル内にあり変調方式が６４ＱＡＭである全てのエントリのうち、対応するＣＱＩインデックスが最大であるエントリと異なる少なくとも１つのエントリである、請求項２０から２３のいずれか一項に記載の装置。
【請求項２５】
チャネル品質指標（ＣＱＩ）通知装置であって、
第１のＣＱＩテーブルに従って第１のＣＱＩインデックスを取得するように構成されたプロセッサと、
前記第１のＣＱＩインデックスを送信するように構成された送信器と、
を含み、
取得された前記第１のＣＱＩテーブルは、
変調方式が２５６直角位相振幅変調（ＱＡＭ）であるエントリ、
第２のＣＱＩテーブル内にあり変調方式が４相位相偏移変調（ＱＰＳＫ）であるエントリ、および
前記第２のＣＱＩテーブル内にあり変調方式が１６ＱＡＭである少なくとも１つのエントリ
を含み、
変調方式がＱＰＳＫであるエントリは、前記第２のＣＱＩテーブル内にあり変調方式がＱＰＳＫであるＮ個のエントリではなく、対応するＣＱＩインデックスは連続かつ最大のものであり、対応する符号化率は最大のものであり、Ｎは正の整数であり、
前記第２のＣＱＩテーブル内のエントリの変調方式は、ＱＰＳＫ、１６ＱＡＭ、および６４ＱＡＭのみを含み、前記第１のＣＱＩテーブル内のＣＱＩインデックスの値範囲は、前記第２のＣＱＩテーブル内のＣＱＩインデックスの値範囲と同じであり、
前記第１のＣＱＩテーブル内にあり変調方式が２５６ＱＡＭであるエントリのうち、対応するＣＱＩインデックスが最小であるエントリ内のスペクトル効率は、前記第２のＣＱＩテーブル内にあり変調方式が６４ＱＡＭである全てのエントリのうち、対応するＣＱＩインデックスが最大であるエントリ内のスペクトル効率に等しく、または
変調方式が２５６ＱＡＭであるエントリのうち、対応するＣＱＩインデックスが最小のものであるＴ個のエントリ内のスペクトル効率は、前記第２のＣＱＩテーブル内にあり変調方式が６４ＱＡＭである全てのエントリのうち、対応するＣＱＩインデックスが最大のものであるＴ個のエントリ内のスペクトル効率に等しいかまたはほぼ等しく、Ｔは１から５のいずれか１つの自然数に等しい、装置。
【請求項２６】
命令を含むコンピュータ可読記憶媒体であって、前記命令は、コンピュータによって実行されるとき、前記コンピュータに、請求項１５から１９のいずれか一項に記載の方法を実施させる、コンピュータ可読記憶媒体。
【外国語明細書】
2020053973000001.pdf